(57)【要約】  データ伝送方法および装置、ならびに関連デバイスが開示されている。データ伝送方法は、送信される必要があるデータに第１のＲＢＩＤおよび／または第１のＵＥの端末識別子情報を第１のＵＥが追加する段階であって、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のＵＥの第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、第２のＵＥがデータをネットワーク側デバイスに転送するよう、第１のＲＢＩＤおよび／または端末識別子情報が追加されたデータを第１のＵＥが第２のＵＥに送信する段階とを備える。本発明の実施形態の実装例中、ネットワーク側デバイスは、第１のＲＢＩＤに基づいてデータのデータタイプを識別し、端末識別子情報に基づいて、データの送信元の送信端を識別することができる。
2019504567.tif 000002
【特許請求の範囲】
【請求項１】
データ伝送方法であって、
送信される必要があるデータに第１の無線ベアラ識別子情報および／または第１のユーザ機器の端末識別子情報を前記第１のユーザ機器が追加する段階であって、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、段階と、
第２のユーザ機器が前記データを前記ネットワーク側デバイスに転送するよう、前記第１の無線ベアラ識別子情報および／または前記端末識別子情報が追加された前記データを前記第１のユーザ機器が前記第２のユーザ機器に送信する段階と
を備える
方法。
【請求項２】
送信される必要があるデータに第１の無線ベアラ識別子情報および／または第１のユーザ機器の端末識別子情報を前記第１のユーザ機器が追加する前記段階は、
前記データを含むデータパケットのヘッダに前記第１の無線ベアラ識別子情報および／または前記第１のユーザ機器の前記端末識別子情報を前記第１のユーザ機器が追加する段階を有する、
請求項１に記載の方法。
【請求項３】
前記第２のユーザ機器によって転送された前記ネットワーク側デバイスのデータを前記第１のユーザ機器が受信する段階であって、前記データは、前記第１の無線ベアラ識別子情報を保持する、段階と、
前記第１の無線ベアラ識別子情報に基づいて前記データのデータタイプを前記第１のユーザ機器が取得する段階であって、前記データタイプは、サービスまたはシグナリングを含み、前記シグナリングは、前記アクセスネットワークにとって可視の制御信号を示すために使用される、段階
をさらに備える
請求項１に記載の方法。
【請求項４】
第２のユーザ機器が前記データを前記ネットワーク側デバイスに転送するよう、前記第１の無線ベアラ識別子情報および／または前記端末識別子情報が追加された前記データを前記第１のユーザ機器が前記第２のユーザ機器に送信する前記段階は、
前記第２のユーザ機器が、前記第１の無線ベアラ識別子情報および前記端末識別子情報が追加された前記データを前記ネットワーク側デバイスに送信するよう、前記第１の無線ベアラ識別子情報および／または前記端末識別子情報が追加された前記データを事前に確立された前記第２のユーザ機器への通信接続を使用することによって前記第１のユーザ機器が前記第２のユーザ機器に送信する段階であって、前記通信接続は、デバイスツーデバイス接続、ブルートゥース（登録商標）接続、またはＷｉＦｉ（登録商標）接続を含む、段階を有する、
請求項１から３のいずれか一項に記載の方法。
【請求項５】
データ伝送方法であって、
第１のユーザ機器によって送信されたデータを第２のユーザ機器が受信する段階であって、前記データは、第１の無線ベアラ識別子情報および／または前記第１のユーザ機器の端末識別子情報を保持し、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、段階と、
前記データが転送される必要があるデータであると前記第２のユーザ機器が判断する段階と、
前記データを前記第２のユーザ機器が前記ネットワーク側デバイスに送信する段階と
を備える
方法。
【請求項６】
前記ネットワーク側デバイスによって送信されたデータを前記第２のユーザ機器が受信する段階であって、前記データは、前記第１の無線ベアラ識別子情報および／または前記第１のユーザ機器の前記端末識別子情報を保持する、段階と、
前記データが転送される必要があるデータであると前記第２のユーザ機器が判断する段階と、
前記端末識別子情報に基づいて前記データを前記第２のユーザ機器が前記第１のユーザ機器に送信する段階と
をさらに備える
請求項５に記載の方法。
【請求項７】
前記データが転送される必要があるデータであると前記第２のユーザ機器が判断する前記段階は、
前記データが転送される必要がある前記データであると前記第１の無線ベアラ識別子情報および／または前記端末識別子情報に基づいて前記第２のユーザ機器が判断する段階を有する、
請求項５または６に記載の方法。
【請求項８】
前記データが転送される必要があるデータであると前記第２のユーザ機器が判断する前記段階は、
前記データが転送される必要がある前記データであると前記データの伝送リンク属性に基づいて前記第２のユーザ機器が判断する段階であって、前記伝送リンク属性は、前記第１のユーザ機器と前記第２のユーザ機器との間の伝送リンクが前記第１のユーザ機器と前記ネットワーク側デバイスとの間の前記第１の無線ベアラと一対一の対応関係にあることを示すために使用され、前記伝送リンク属性は、前記データが転送される必要があるかどうかを示す識別子を含む、段階を有する、
請求項５に記載の方法。
【請求項９】
データ伝送方法であって、
第２のユーザ機器によって転送された第１のユーザ機器のデータをネットワーク側デバイスが受信する段階であって、前記データは、第１の無線ベアラ識別子情報および／または前記第１のユーザ機器の端末識別子情報を保持し、前記第１の無線ベアラ識別子情報に対応する第１の無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、段階と、
前記ネットワーク側デバイスが、前記第１の無線ベアラ識別子情報に基づいて前記データのデータタイプを判断し、前記端末識別子情報に基づいて、前記データの送信元の送信端が前記第１のユーザ機器であると判断する段階であって、前記データタイプは、サービスまたはシグナリングを含む、段階と
を備える
方法。
【請求項１０】
第２のユーザ機器によって転送された第１のユーザ機器のデータをネットワーク側デバイスが受信する前記段階の後に、
前記第１の無線ベアラ識別子情報および前記端末識別子情報に対応するパケットデータコンバージェンスプロトコル処理プロセスを使用することによって前記データを前記ネットワーク側デバイスが処理する段階であって、前記パケットデータコンバージェンスプロトコル処理プロセスは、前記第１の無線ベアラ識別子情報および前記端末識別子情報と一対一の対応関係にある、段階
をさらに備える
請求項９に記載の方法。
【請求項１１】
データ伝送方法であって、
第１のユーザ機器によって送信されたデータを、前記第１のユーザ機器と通信するために使用される第３の無線ベアラエンティティを使用することによって第２のユーザ機器が受信する段階と、
前記データの第１の無線ベアラ識別子情報および／または前記第１のユーザ機器の端末識別子情報を、前記第３の無線ベアラエンティティと前記第１の無線ベアラ識別子情報および／または前記端末識別子情報との間の事前に確立された対応関係に基づいて前記第２のユーザ機器が取得する段階であって、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、段階と、
前記データに前記第１の無線ベアラ識別子情報および／または前記端末識別子情報を前記第２のユーザ機器が追加する段階と、
前記第１の無線ベアラ識別子情報および／または前記端末識別子情報が追加された前記データを前記第２のユーザ機器が前記ネットワーク側デバイスに送信する段階と
を備える
方法。
【請求項１２】
前記データの第１の無線ベアラ識別子情報および／または前記第１のユーザ機器の端末識別子情報を、前記第３の無線ベアラエンティティと前記第１の無線ベアラ識別子情報および／または前記端末識別子情報との間の事前に確立された対応関係に基づいて前記第２のユーザ機器が取得する前記段階の後、
前記データが転送される必要があるデータであると前記第１の無線ベアラ識別子情報および／または前記端末識別子情報に基づいて前記第２のユーザ機器が判断する段階、または
前記データが転送される必要があるデータであると前記データの伝送リンク属性に基づいて前記第２のユーザ機器が判断する段階
をさらに備える
請求項１１に記載の方法。
【請求項１３】
前記データに前記第１の無線ベアラ識別子情報および／または前記端末識別子情報を前記第２のユーザ機器が追加する前記段階は、
前記データの前記伝送リンク属性に基づいて、前記データに前記第１の無線ベアラ識別子情報および／または前記端末識別子情報を前記第２のユーザ機器が追加する段階を有する、
請求項１２に記載の方法。
【請求項１４】
第１のユーザ機器によって送信されたデータを、前記第１のユーザ機器と通信するために使用される第３の無線ベアラエンティティを使用することによって第２のユーザ機器が受信する前記段階は、
前記第１のユーザ機器と通信するために使用される第３のパケットデータコンバージェンスプロトコルエンティティ層が前記第２のユーザ機器のために構成されたとき、前記第１のユーザ機器によって送信された前記データを前記第３のパケットデータコンバージェンスプロトコルエンティティ層において前記第２のユーザ機器が受信する段階を有し、
前記データに前記第１の無線ベアラ識別子情報および／または前記端末識別子情報を前記第２のユーザ機器が追加する前記段階は、
前記第３のパケットデータコンバージェンスプロトコルエンティティ層において、前記データに前記第１の無線ベアラ識別子情報および／または前記端末識別子情報を前記第２のユーザ機器が追加する段階を有する、
請求項１１から１３のいずれか一項に記載の方法。
【請求項１５】
第１のユーザ機器によって送信されたデータを、前記第１のユーザ機器と通信するために使用される第３の無線ベアラエンティティを使用することによって第２のユーザ機器が受信する前記段階は、
前記第１のユーザ機器と通信するために使用される第３のパケットデータコンバージェンスプロトコルエンティティ層が前記第２のユーザ機器のために構成されないとき、前記第１のユーザ機器によって送信された前記データを前記第１のユーザ機器と通信するために使用される第３の無線リンク制御エンティティ層において前記第２のユーザ機器が受信する段階を有し、
前記データに前記第１の無線ベアラ識別子情報および／または前記端末識別子情報を前記第２のユーザ機器が追加する前記段階は、
前記第３の無線リンク制御エンティティ層において、前記データに記第１の無線ベアラ識別子情報および／または前記端末識別子情報を前記第２のユーザ機器が追加する段階を有する、
請求項１１から１３のいずれか一項に記載の方法。
【請求項１６】
前記データに前記第１の無線ベアラ識別子情報および／または前記端末識別子情報を前記第２のユーザ機器が追加する前記段階は、
前記ネットワーク側デバイスと通信するために使用される第４のパケットデータコンバージェンスプロトコルエンティティ層、第４の無線リンク制御エンティティ層、または第４の媒体アクセス制御エンティティ層において、前記データに前記第１の無線ベアラ識別子情報および／または前記端末識別子情報を前記第２のユーザ機器が追加する段階を有する、
請求項１１から１３のいずれか一項に記載の方法。
【請求項１７】
データ伝送方法であって、
ネットワーク側デバイスによって送信されたデータを第２のユーザ機器が受信する段階であって、前記データは、第１の無線ベアラ識別子情報および／または第１のユーザ機器の端末識別子情報を保持し、前記第１の無線ベアラ識別子情報に対応する第１の無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、段階と、
前記データが転送される必要があるデータであると前記第１の無線ベアラ識別子情報および／または前記端末識別子情報に基づいて前記第２のユーザ機器が判断する段階と、
前記端末識別子情報に基づいて前記データを前記第２のユーザ機器が前記第１のユーザ機器に送信する段階と
を備える
方法。
【請求項１８】
前記端末識別子情報に基づいて前記データを前記第２のユーザ機器が前記第１のユーザ機器に送信する前記段階は、
前記第１のユーザ機器と通信するために使用される第３のパケットデータコンバージェンスプロトコルエンティティ層が前記第２のユーザ機器のために構成され、前記第３のパケットデータコンバージェンスプロトコルエンティティ層が、前記第１のユーザ機器の第１の無線ベアラエンティティと一対一の対応関係にあるとき、前記第１の無線ベアラエンティティに対応する前記第３のパケットデータコンバージェンスプロトコルエンティティ層を、前記第１の無線ベアラ識別子情報および／または前記端末識別子情報に基づいて前記第２のユーザ機器が判断する段階と、
前記第３のパケットデータコンバージェンスプロトコルエンティティ層において、前記データから前記第１の無線ベアラ識別子情報および／または前記端末識別子情報を前記第２のユーザ機器が削除する段階と、
前記第１の無線ベアラ識別子情報および／または前記端末識別子情報が削除された前記データを、前記第３のパケットデータコンバージェンスプロトコルエンティティ層を使用することによって前記第２のユーザ機器が前記第１のユーザ機器に送信する段階とを有する、
請求項１７に記載の方法。
【請求項１９】
前記端末識別子情報に対応する前記データを前記第２のユーザ機器が前記第１のユーザ機器に送信する前記段階は、
前記第１のユーザ機器と通信するために使用される第３のパケットデータコンバージェンスプロトコルエンティティ層が前記第２のユーザ機器のために構成されないとき、第１の無線ベアラエンティティに対応する第３の無線リンク制御エンティティ層を、前記第１の無線ベアラ識別子情報および／または前記端末識別子情報に基づいて前記第２のユーザ機器が判断する段階であって、前記第３の無線リンク制御エンティティ層は、前記第２のユーザ機器と前記第１のユーザ機器との間の通信に使用される、段階と、
前記第３の無線リンク制御エンティティ層において、前記データから前記第１の無線ベアラ識別子情報および／または前記端末識別子情報を前記第２のユーザ機器が削除する段階と、
前記第１の無線ベアラ識別子情報および／または前記端末識別子情報が削除された前記データを前記第３の無線リンク制御エンティティ層を使用することによって前記第２のユーザ機器が前記第１のユーザ機器に送信する段階とを有する、
請求項１７に記載の方法。
【請求項２０】
データ伝送方法であって、前記方法はネットワーク側デバイスに適用され、前記ネットワーク側デバイスは、第１のユーザ機器と通信する第５のパケットデータコンバージェンスプロトコルエンティティ層と、第２のユーザ機器と通信するために使用される第２の無線ベアラエンティティ層とを含み、
前記ネットワーク側デバイスは、送信される必要があるデータを前記第５のパケットデータコンバージェンスプロトコルエンティティ層を使用することによって前記第２の無線ベアラエンティティ層に送信し、第１の無線ベアラ識別子情報および／または前記第１のユーザ機器の端末識別子情報が保持され、前記第１の無線ベアラ識別子情報は、前記第１のユーザ機器の第１の無線ベアラを識別するために前記ネットワーク側デバイスによって使用され、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含み、
前記ネットワーク側デバイスは、前記第２の無線ベアラエンティティ層において前記データに前記第１の無線ベアラ識別子情報および／または前記端末識別子情報を追加し、
前記ネットワーク側デバイスは、前記第１の無線ベアラ識別子情報および／または前記端末識別子情報が追加されたデータを前記第２の無線ベアラエンティティ層を使用することによって前記第２のユーザ機器に送信する、
方法。
【請求項２１】
前記ネットワーク側デバイスは、前記第１のユーザ機器と通信する第５の無線リンク制御エンティティ層をさらに含み、
送信される必要があるデータを前記第５のパケットデータコンバージェンスプロトコルエンティティ層を使用することによって前記ネットワーク側デバイスが前記第２の無線ベアラエンティティ層に送信する前記段階は、
前記第５の無線リンク制御エンティティ層を使用することによって前記データを前記ネットワーク側デバイスが前記第２の無線ベアラエンティティ層に送信する段階を有する、
請求項２０に記載の方法。
【請求項２２】
データ伝送装置であって、
転送される必要があるデータに第１の無線ベアラ識別子情報および／または前記第１のユーザ機器の端末識別子情報を追加するよう構成される処理モジュールであって、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、処理モジュールと、
第２のユーザ機器が前記データを転送するよう、前記データを前記第２のユーザ機器に送信するよう構成される送信モジュールであって、前記データは、前記処理モジュールによって追加された前記第１の無線ベアラ識別子情報および／または前記端末識別子情報を含む、送信モジュールと
を備える
装置。
【請求項２３】
前記処理モジュールは具体的に、
前記データを含むデータパケットのヘッダに前記第１の無線ベアラ識別子情報および／または前記第１のユーザ機器の前記端末識別子情報を追加するよう構成される、
請求項２２に記載の装置。
【請求項２４】
前記第２のユーザ機器によって転送された前記ネットワーク側デバイスのデータを受信するよう構成される受信モジュールであって、前記データは、前記第１の無線ベアラ識別子情報を保持する、受信モジュールをさらに備え、
前記処理モジュールはさらに、前記受信モジュールによって受信された前記第１の無線ベアラ識別子情報に基づいて前記データのデータタイプを取得するよう構成され、前記データタイプは、サービスまたはシグナリングを含み、前記シグナリングは、前記アクセスネットワークにとって可視の制御信号を示すために使用される、
請求項２３に記載の装置。
【請求項２５】
前記送信モジュールは具体的に、
前記第２のユーザ機器が前記第１の無線ベアラ識別子情報および／または前記端末識別子情報が追加された前記データを前記ネットワーク側デバイスに送信するよう、事前に確立された前記第２のユーザ機器への通信接続を使用することによって、前記第１の無線ベアラ識別子情報および／または前記端末識別子情報が追加された前記データを前記第２のユーザ機器に送信するよう構成され、前記通信接続は、デバイスツーデバイス接続、ブルートゥース（登録商標）接続、またはＷｉＦｉ（登録商標）接続を含む、
請求項２２から２４のいずれか一項に記載の装置。
【請求項２６】
前記装置の前記モジュールは、前記第１のユーザ機器と前記第２のユーザ機器との間の通信に使用されるパケットデータコンバージェンスプロトコル処理層に位置するか、または、前記第１のユーザ機器と前記ネットワーク側デバイスとの間の通信に使用されるパケットデータコンバージェンスプロトコル処理層に位置するか、または、前記第１のユーザ機器と前記第２のユーザ機器との間の通信に使用される無線リンク制御エンティティ層に位置する、
請求項２２から２５のいずれか一項に記載の装置。
【請求項２７】
データ伝送装置であって、
第１のユーザ機器によって送信されたデータを受信するよう構成される受信モジュールであって、前記データは、第１の無線ベアラ識別子情報および／または前記第１のユーザ機器の端末識別子情報を保持し、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、受信モジュールと、
前記受信モジュールによって受信された前記データが転送される必要があるデータであると判断するよう構成される処理モジュールと、
前記処理モジュールによって処理された前記データを前記ネットワーク側デバイスに送信するよう構成される送信モジュールと
を備える
装置。
【請求項２８】
前記受信モジュールはさらに、前記ネットワーク側デバイスによって送信されたデータを受信するよう構成され、前記データは、前記第１の無線ベアラ識別子情報および／または前記第１のユーザ機器の前記端末識別子情報を保持し、
前記処理モジュールはさらに、前記受信モジュールによって受信された前記データが転送される必要があるデータであると判断するよう構成され、
前記送信モジュールはさらに、前記処理モジュールによって処理された前記データを前記端末識別子情報に基づいて前記第１のユーザ機器に送信するよう構成される、
請求項２７に記載の装置。
【請求項２９】
前記処理モジュールは具体的に、前記データが転送される必要がある前記データであると前記第１の無線ベアラ識別子情報および／または前記端末識別子情報に基づいて判断するよう構成される、
請求項２７または２８に記載の装置。
【請求項３０】
前記処理モジュールは具体的に、
前記データが転送される必要がある前記データであると前記データの伝送リンク属性に基づいて判断するよう構成され、前記伝送リンク属性は、前記第１のユーザ機器と前記第２のユーザ機器との間の伝送リンクが前記第１のユーザ機器と前記ネットワーク側デバイスとの間の前記無線ベアラと一対一の対応関係にあることを示すために使用され、前記伝送リンク属性は、前記データが転送される必要があるかどうかを示す識別子を含む、
請求項２７に記載の装置。
【請求項３１】
データ伝送装置であって、
第２のユーザ機器によって転送された第１のユーザ機器のデータを受信するよう構成される受信モジュールであって、前記データは、第１の無線ベアラ識別子情報および／または前記第１のユーザ機器の端末識別子情報を保持し、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、受信モジュールと、
前記受信モジュールによって受信された前記データのデータタイプを前記第１の無線ベアラ識別子情報に基づいて判断し、前記受信モジュールによって受信された前記データの送信元の送信端が前記第１のユーザ機器であると前記端末識別子情報に基づいて判断するよう構成される処理モジュールであって、前記データタイプは、サービスまたはシグナリングを含む、処理モジュールと
を備える
装置。
【請求項３２】
前記処理モジュールはさらに、前記受信モジュールによって受信された前記データを、前記第１の無線ベアラ識別子情報および前記端末識別子情報に対応するパケットデータコンバージェンスプロトコル処理プロセスを使用することによって処理するよう構成され、前記パケットデータコンバージェンスプロトコル処理プロセスは、前記第１の無線ベアラ識別子情報および前記端末識別子情報と一対一の対応関係にある、
請求項３１に記載の装置。
【請求項３３】
データ伝送装置であって、
第１のユーザ機器によって送信されたデータを、前記第１のユーザ機器と通信するために使用される第３の無線ベアラエンティティを使用することによって受信するよう構成される受信モジュールと、
前記受信モジュールによって受信された前記データの第１の無線ベアラ識別子情報および／または前記第１のユーザ機器の端末識別子情報を、前記第３の無線ベアラエンティティと前記第１の無線ベアラ識別子情報および／または前記端末識別子情報との間の事前に確立された対応関係に基づいて取得するよう構成される処理モジュールであって、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含み、
前記処理モジュールはさらに、前記データに前記第１の無線ベアラ識別子情報および／または前記端末識別子情報を追加するよう構成される、処理モジュールと、
前記データを前記ネットワーク側デバイスに送信するよう構成される送信モジュールであって、前記データは、前記処理モジュールによって追加された前記第１の無線ベアラ識別子情報および／または前記端末識別子情報を含む、送信モジュールと
を備える
装置。
【請求項３４】
前記処理モジュールはさらに、前記データの前記第１の無線ベアラ識別子情報および／または前記第１のユーザ機器の前記端末識別子情報を取得した後、前記データが転送される必要があるデータであると前記第１の無線ベアラ識別子情報および／または前記端末識別子情報に基づいて判断するよう構成されるか、または、
前記処理モジュールはさらに、前記データの前記第１の無線ベアラ識別子情報および／または前記第１のユーザ機器の前記端末識別子情報を取得した後、前記データが転送される必要があるデータであると前記データの伝送リンク属性に基づいて判断するよう構成される、
請求項３３に記載の装置。
【請求項３５】
前記処理モジュールは具体的に、
前記データに前記第１の無線ベアラ識別子情報および／または前記端末識別子情報を前記データの前記伝送リンク属性に基づいて追加するよう構成される、
請求項３４に記載の装置。
【請求項３６】
前記受信モジュールは具体的に、
前記第１のユーザ機器と通信するために使用される第３のパケットデータコンバージェンスプロトコルエンティティ層が前記第２のユーザ機器のために構成されたとき、前記第１のユーザ機器によって送信された前記データを前記第３のパケットデータコンバージェンスプロトコルエンティティ層において受信するよう構成され、
前記処理モジュールは具体的に、
前記第３のパケットデータコンバージェンスプロトコルエンティティ層において前記データに前記第１の無線ベアラ識別子情報および／または前記端末識別子情報を追加するよう構成される、
請求項３３から３５のいずれか一項に記載の装置。
【請求項３７】
前記受信モジュールは具体的に、
前記第１のユーザ機器と通信するために使用される第３のパケットデータコンバージェンスプロトコルエンティティ層が前記第２のユーザ機器のために構成されないとき、前記第１のユーザ機器によって送信された前記データを、前記第１のユーザ機器と通信するために使用される第３の無線リンク制御エンティティ層において受信するよう構成され、
前記処理モジュールは具体的に、
前記第３の無線リンク制御エンティティ層において前記データに前記第１の無線ベアラ識別子情報および／または前記端末識別子情報を追加するよう構成される、
請求項３３から３５のいずれか一項に記載の装置。
【請求項３８】
前記処理モジュールは具体的に、
前記ネットワーク側デバイスと通信するために使用される第４のパケットデータコンバージェンスプロトコルエンティティ層、第４の無線リンク制御エンティティ層、または第４の媒体アクセス制御エンティティ層において、前記データに前記第１の無線ベアラ識別子情報および／または前記端末識別子情報を追加するよう構成される、
請求項３３から３５のいずれか一項に記載の装置。
【請求項３９】
データ伝送装置であって、
ネットワーク側デバイスによって送信されたデータを受信するよう構成される受信モジュールであって、前記データは、第１の無線ベアラ識別子情報および／または第１のユーザ機器の端末識別子情報を保持し、前記第１の無線ベアラ識別子情報に対応する無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、受信モジュールと、
前記受信モジュールによって受信された前記データが転送される必要があるデータであると前記第１の無線ベアラ識別子情報および／または前記端末識別子情報に基づいて判断するよう構成される処理モジュールと、
前記データを前記端末識別子情報に基づいて前記第１のユーザ機器に送信するよう構成される送信モジュールと
を備える
装置。
【請求項４０】
前記送信モジュールは具体的に、
前記第１のユーザ機器と通信するために使用される第３のパケットデータコンバージェンスプロトコルエンティティ層が前記第２のユーザ機器のために構成され、前記第３のパケットデータコンバージェンスプロトコルエンティティ層が前記第１のユーザ機器の第１の無線ベアラエンティティと一対一の対応関係にあるとき、前記第１の無線ベアラエンティティに対応する前記第３のパケットデータコンバージェンスプロトコルエンティティ層を前記第１の無線ベアラ識別子情報および／または前記端末識別子情報に基づいて判断し、
前記第３のパケットデータコンバージェンスプロトコルエンティティ層において前記データから前記第１の無線ベアラ識別子情報および／または前記端末識別子情報を削除し、
前記第１の無線ベアラ識別子情報および／または前記端末識別子情報が削除された前記データを前記第３のパケットデータコンバージェンスプロトコルエンティティ層を使用することによって前記第１のユーザ機器に送信するよう構成される、
請求項３９に記載の装置。
【請求項４１】
前記送信モジュールは具体的に、
前記第１のユーザ機器と通信するために使用される第３のパケットデータコンバージェンスプロトコルエンティティ層が前記第２のユーザ機器のために構成されないとき、第１の無線ベアラエンティティに対応する第３の無線リンク制御エンティティ層であって、前記第２のユーザ機器と前記第１のユーザ機器との間の通信に使用される第３の無線リンク制御エンティティ層を、前記第１の無線ベアラ識別子情報および／または前記端末識別子情報に基づいて判断し、
前記第３の無線リンク制御エンティティ層において前記データから前記第１の無線ベアラ識別子情報および／または前記端末識別子情報を削除し、
前記第１の無線ベアラ識別子情報および／または前記端末識別子情報が削除された前記データを前記第３の無線リンク制御エンティティ層を使用することによって前記第１のユーザ機器に送信するよう構成される、
請求項３９に記載の装置。
【請求項４２】
データ伝送装置であって、
送信される必要があるデータを、第１のユーザ機器と通信するために使用される第５のパケットデータコンバージェンスプロトコルエンティティ層を使用することによって、第２のユーザ機器と通信するために使用される第２の無線ベアラエンティティ層に送信するよう構成される送信モジュールであって、第１の無線ベアラ識別子情報および／または前記第１のユーザ機器の端末識別子情報が保持され、前記第１の無線ベアラ識別子は、前記第１のユーザ機器の第１の無線ベアラを識別するためにネットワーク側デバイスによって使用され、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含む、送信モジュールと、
前記第２の無線ベアラエンティティ層において前記データに前記第１の無線ベアラ識別子情報および／または前記端末識別子情報を追加するよう構成される処理モジュールと
備え、
前記送信モジュールはさらに、前記データを前記第２の無線ベアラエンティティ層を使用することによって前記第２のユーザ機器に送信するよう構成され、前記データは、前記処理モジュールによって追加された前記第１の無線ベアラ識別子情報および／または前記端末識別子情報を含む、
装置。
【請求項４３】
前記送信モジュールは具体的に、
前記第１のユーザ機器と通信するために使用される第５の無線リンク制御エンティティ層を使用することによって前記データを前記第２の無線ベアラエンティティ層に送信するよう構成される、
請求項４２に記載の装置。
【請求項４４】
第１のユーザ機器と第２のユーザ機器とネットワーク側デバイスとを備えるデータ伝送システムであって、
前記第１のユーザ機器は、前記データに前記第１の無線ベアラ識別子情報および前記第１のユーザ機器の端末識別子情報を追加し、前記第１の無線ベアラ識別子情報および前記端末識別子情報が追加された前記データを前記第２のユーザ機器に送信し、前記第１の無線ベアラ識別子情報に対応する第１の無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含み、
前記第２のユーザ機器は、前記データが転送される必要があるデータであると判断し、前記データを前記ネットワーク側デバイスに送信し、
前記ネットワーク側デバイスは、前記第１の無線ベアラ識別子情報に基づいて前記データのデータタイプを判断し、前記端末識別子情報に基づいて、前記データの送信元の送信端が前記第１のユーザ機器であると判断し、前記データタイプは、サービスまたはシグナリングを含む、
システム。
【請求項４５】
第１のユーザ機器と第２のユーザ機器とネットワーク側デバイスとを備えるデータ伝送システムであって、
前記第１のユーザ機器は、送信される必要があるデータを前記第１のユーザ機器の第１の無線ベアラエンティティを使用することによって前記第２のユーザ機器に送信し、前記データは、第１の無線ベアラ識別子情報を保持し、前記第１の無線ベアラ識別子情報に対応する第１の無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、
前記第２のユーザ機器は、前記第１のユーザ機器によって送信された前記データを、前記第１のユーザ機器と通信するために使用される第３の無線ベアラエンティティを使用することによって受信し、前記第１のユーザ機器の端末識別子情報を前記第３の無線ベアラエンティティと前記第１のユーザ機器の前記端末識別子情報との間の事前に確立された対応関係に基づいて取得し、前記データに前記端末識別子情報を追加し、前記第１の無線ベアラ識別子情報および前記端末識別子情報を保持する前記データを前記ネットワーク側デバイスに送信し、前記第３の無線ベアラエンティティは、前記第１のユーザ機器と前記第２のユーザ機器との間の通信に使用され、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含み、
前記ネットワーク側デバイスは、前記第１の無線ベアラ識別子情報に基づいて前記データのデータタイプを判断し、前記端末識別子情報に基づいて、前記データの送信元の送信端が前記第１のユーザ機器であると判断する、
システム。
【請求項４６】
第１のユーザ機器と第２のユーザ機器とネットワーク側デバイスとを備えるデータ伝送システムであって、
前記第１のユーザ機器は、送信される必要があるデータを前記第１のユーザ機器の第１の無線ベアラエンティティを使用することによって前記第２のユーザ機器に送信し、前記データは、前記第１のユーザ機器の端末識別子情報を保持し、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含み、
前記第２のユーザ機器は、前記第１のユーザ機器によって送信された前記データを、前記第１のユーザ機器と通信するために使用される第３の無線ベアラエンティティを使用することによって受信し、前記データの第１の無線ベアラ識別子情報を、前記第３の無線ベアラエンティティと前記第１の無線ベアラ識別子情報との間の事前に確立された対応関係に基づいて取得し、前記データに前記第１の無線ベアラ識別子情報を追加し、前記第１の無線ベアラ識別子情報および前記端末識別子情報を保持する前記データを前記ネットワーク側デバイスに送信し、前記第３の無線ベアラエンティティは、前記第１のユーザ機器と前記第２のユーザ機器との間の通信に使用され、前記第１の無線ベアラ識別子情報に対応する第１の無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、
前記ネットワーク側デバイスは、前記第１の無線ベアラ識別子情報に基づいて前記データのデータタイプを判断し、前記端末識別子情報に基づいて、前記データの送信元の送信端が前記第１のユーザ機器であると判断する、
システム。
【請求項４７】
第１のユーザ機器と第２のユーザ機器とネットワーク側デバイスとを備えるデータ伝送システムであって、
前記第１のユーザ機器は、送信される必要があるデータを前記第１のユーザ機器の第１の無線ベアラエンティティを使用することによって前記第２のユーザ機器に送信し、前記第１の無線ベアラエンティティは、前記第１のユーザ機器と前記ネットワーク側デバイスとの間でデータを伝送するために使用され、
前記第２のユーザ機器は、前記第１のユーザ機器によって送信された前記データを、前記第１のユーザ機器と通信するために使用される第３の無線ベアラエンティティを使用することによって受信し、前記データの第１の無線ベアラ識別子情報および前記第１のユーザ機器の端末識別子情報を、前記第３の無線ベアラエンティティと前記第１の無線ベアラ識別子情報および前記端末識別子情報との間の事前に確立された対応関係に基づいて取得し、前記データに前記第１の無線ベアラ識別子情報および前記端末識別子情報を追加し、前記第１の無線ベアラ識別子情報および前記端末識別子情報が追加された前記データを前記ネットワーク側デバイスに送信し、前記第３の無線ベアラエンティティは、前記第１のユーザ機器と前記第２のユーザ機器との間の通信に使用され、前記第１の無線ベアラ識別子情報に対応する第１の無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的識別コード、または国際移動体加入者識別情報を含み、
前記ネットワーク側デバイスは、前記第１の無線ベアラ識別子情報に基づいて前記データのデータタイプを判断し、前記端末識別子情報に基づいて、前記データの送信元の送信端が前記第１のユーザ機器であると判断する、
システム。
【発明の詳細な説明】
【技術分野】
【０００１】
本発明は、情報処理技術分野に関し、特には、データ伝送方法および装置、ならびに関連デバイスに関する。
【背景技術】
【０００２】
デバイスツーデバイス（Ｄｅｖｉｃｅ−ｔｏ−Ｄｅｖｉｃｅ、Ｄ２Ｄ）通信方式は、送信端が、電磁波を使用することによってデータを受信端に直接送信し、データは基地局またはセルラネットワークによって転送される必要がない方式を指す。しかしながら、消費電力およびユーザ機器（Ｕｓｅｒ  Ｅｑｕｉｐｍｅｎｔ、ＵＥ）の干渉などの要因によって制限されることで、この通信方式の通信距離が限られる。加えて、ネットワークのカバレッジ外（例えば、部分的なカバレッジの場合）のユーザ機器は、ネットワークへの接続を確立することができない。結果として、ユーザ機器とネットワークとの間の通信性能が影響を受ける。したがって、ネットワークのカバレッジ内のユーザ機器が第１のＵＥ、すなわち中継サービスを提供するよう構成される中継ユーザ機器（Ｒｅｌａｙ  ＵＥ）として使用されてよく、ネットワークのカバレッジ外のユーザ機器が第２のＵＥ、すなわちリモートユーザ機器（Ｒｅｍｏｔｅ  ＵＥ）として使用されてよい。リモートユーザ機器がネットワークのカバレッジ外にあり、比較的ネットワークのカバレッジエリアの近くにあるとき、リモートユーザ機器は、中継ユーザ機器を使用することによってネットワークへの接続を確立し得る。
【０００３】
複数ＵＥ協調技術では、同一の第２のＵＥが同時に複数の第１のＵＥに中継サービスを提供するとき、データは、第２のＵＥを使用することによって複数の第１のＵＥと発展型基地局（ｅｖｏｌｖｅｄ  ＮｏｄｅＢ、ｅＮＢ）との間で伝送される。伝送されるデータは、シグナリングデータまたはサービスデータを含んでよい。シグナリングデータは、アクセスネットワークにとって可視の制御信号である。サービスデータは、システム内で伝送されるデータのうちのシグナリングデータ以外のデータであり、例えば、コアネットワーク内で伝送されるデータまたはアプリケーション層において伝送されるデータである。ｅＮＢは、受信されたデータがシグナリングデータなのかサービスデータなのかを区別することができず、受信されたデータの送信元の送信端である具体的な第１のＵＥを区別することもできない。
【発明の概要】
【０００４】
本明細書は、データ伝送方法および装置、ならびに関連デバイスを提供する。これにより、ネットワーク側デバイスは、送信元の送信端とデータのデータタイプとを簡便に識別できる。
【０００５】
第１態様によれば、データ伝送方法が提供される。当該方法は、送信される必要があるデータに第１の無線ベアラ識別子情報（ＲＢＩＤ）および／または第１のＵＥの端末識別子情報を第１のＵＥが追加する段階であって、第１のＲＢＩＤに対応する第１の無線ベアラ（Ｒａｄｉｏ  Ｂｅａｒ、ＲＢ）は、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、セル無線ネットワーク一時的識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ‐ＲＮＴＩ）、インターネットプロトコルアドレス（Ｉｎｔｅｒｎｅｔ  Ｐｒｏｔｏｃｏｌ  Ａｄｄｒｅｓｓ、ＩＰアドレス）、一時的識別コード（Ｔｅｍｐｏｒａｒｙ  Ｍｏｂｉｌｅ  Ｓｕｂｓｃｒｉｂｅｒ  Ｉｄｅｎｔｉｔｙ、ＴＭＳＩ）、または、国際移動体加入者識別情報（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）を含む、段階と、第２のＵＥがデータをネットワーク側デバイスに転送するよう、第１のＲＢＩＤおよび／または端末識別子情報が追加されたデータを第１のＵＥが第２のＵＥに送信する段階とを備える。
【０００６】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【０００７】
可能な設計において、送信される必要があるデータに第１のＲＢＩＤおよび／または第１のＵＥの端末識別子情報を第１のＵＥが追加する段階は、データを含むデータパケットのヘッダに第１のＲＢＩＤおよび／または第１のＵＥの端末識別子情報を第１のＵＥが追加する段階を有する。
【０００８】
可能な設計において、第１のＵＥはさらに、第２のＵＥによって転送されたネットワーク側デバイスのデータを受信してよく、データは第１のＲＢＩＤを保持し、第１のユーザ機器は、第１のＲＢＩＤに基づいてデータのデータタイプを取得し、データタイプは、サービスまたはシグナリングを含み、シグナリングは、アクセスネットワークにとって可視の制御信号を示すために使用される。
【０００９】
この技術的解決手段において、第１のＵＥによって受信されたデータパケットは、第１のＲＢＩＤを含み、データのデータタイプは、第１のＲＢＩＤに基づいて識別されてよい。
【００１０】
可能な設計において、第２のＵＥがデータをネットワーク側デバイスに転送するよう、第１のＲＢＩＤおよび／または端末識別子情報が追加されたデータを第１のＵＥが第２のＵＥに送信する段階は、第２のＵＥが、第１のＲＢＩＤおよび端末識別子情報が追加されたデータをネットワーク側デバイスに送信するよう、第１のＲＢＩＤおよび／または端末識別子情報が追加されたデータを、事前に確立された第２のＵＥへの通信接続を使用することによって第１のＵＥが第２のＵＥに送信する段階であって、当該通信接続は、Ｄ２Ｄ接続、ブルートゥース（登録商標）接続、またはＷｉＦｉ（登録商標）接続を含む、段階を有する。
【００１１】
この技術的解決手段において、データは、Ｄ２Ｄ接続、ブルートゥース（登録商標）接続、またはＷｉＦｉ（登録商標）接続などの通信接続を使用することによって第１のＵＥと第２のＵＥとの間で伝送され得て、それによって、第１のＵＥと第２のＵＥとの間の通信方式を向上させる。
【００１２】
本発明の第２態様によれば、データ伝送方法が提供される。当該方法は、第１のＵＥによって送信されたデータを第２のＵＥが受信する段階であって、データは、第１のＲＢＩＤおよび／または第１のＵＥの端末識別子情報を保持し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データが転送される必要があるデータであると第２のＵＥが判断する段階と、データを第２のＵＥがネットワーク側デバイスに送信する段階とを備える。
【００１３】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【００１４】
可能な設計において、第２のＵＥはさらに、ネットワーク側デバイスによって送信されたデータを受信してよく、データは、第１のＲＢＩＤおよび／または第１のＵＥの端末識別子情報を保持し、第２のＵＥは、データが転送される必要があるデータであると判断し、第２のＵＥは、端末識別子情報に基づいてデータを第１のＵＥに送信する。
【００１５】
この技術的解決手段において、第１のＵＥによって受信されたデータパケットは、第１のＲＢＩＤを含み、データのデータタイプは、第１のＲＢＩＤに基づいて識別されてよい。
【００１６】
可能な設計において、データが転送される必要があるデータであると第２のＵＥが判断する段階は、データが転送される必要があるデータであると第１のＲＢＩＤおよび／または端末識別子情報に基づいて第２のＵＥが判断する段階を有する。
【００１７】
可能な設計において、データが転送される必要があるデータであると第２のＵＥが判断する段階は、データが転送される必要があるデータであるとデータの伝送リンク属性に基づいて第２のＵＥが判断する段階であって、伝送リンク属性は、第１のＵＥと第２のＵＥとの間の伝送リンクが、第１のＵＥとネットワーク側デバイスとの間の第１のＲＢと一対一の対応関係にあることを示すために使用され、伝送リンク属性は、データが転送される必要があるかどうかを示す識別子を含む、段階を有する。
【００１８】
本発明の第３態様によれば、データ伝送方法が提供される。当該方法は、第２のＵＥによって転送された第１のＵＥのデータをネットワーク側デバイスが受信する段階であって、データは、第１のＲＢＩＤおよび／または第１のＵＥの端末識別子情報を保持し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、ネットワーク側デバイスが、第１のＲＢＩＤに基づいてデータのデータタイプを判断し、端末識別子情報に基づいて、データの送信元の送信端は第１のＵＥであると判断する段階であって、データタイプは、サービスまたはシグナリングを含む、段階とを備える。
【００１９】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【００２０】
可能な設計において、第２のＵＥによって転送された第１のＵＥのデータをネットワーク側デバイスが受信する段階の後、当該方法は、第１のＲＢＩＤおよび端末識別子情報に対応するパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）処理プロセスを使用することによって、データをネットワーク側デバイスが処理する段階であって、ＰＤＣＰ処理プロセスは、第１のＲＢＩＤおよび端末識別子情報と一対一の対応関係にある、段階をさらに備える。
【００２１】
本発明の第４態様によれば、データ伝送方法が提供される。当該方法は、送信される必要があるデータの第１のＲＢＩＤおよび／または第１のＵＥの端末識別子情報をネットワーク側デバイスが取得する段階であって、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データに第１のＲＢＩＤおよび／または端末識別子情報をネットワーク側デバイスが追加する段階と、第２のＵＥがデータを第１のＵＥに転送するよう、第１のＲＢＩＤおよび／または端末識別子情報が追加されたデータをネットワーク側デバイスが第２のＵＥに送信する段階とを備える。
【００２２】
この技術的解決手段において、第１のＵＥによって受信されたデータパケットは、第１のＲＢＩＤを含み、データのデータタイプは、第１のＲＢＩＤに基づいて識別されてよい。
【００２３】
本発明の第５態様によれば、データ伝送方法が提供される。当該方法は、第１のＵＥによって送信されたデータを、第１のＵＥと通信するために使用される第３のＲＢエンティティを使用することによって第２のＵＥが受信する段階と、データの第１のＲＢＩＤおよび／または第１のＵＥの端末識別子情報を、第３のＲＢエンティティと第１のＲＢＩＤおよび／または端末識別子情報との間の事前に確立された対応関係に基づいて第２のＵＥが取得する段階であって、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データに第１のＲＢＩＤおよび／または端末識別子情報を第２のＵＥが追加する段階と、第１のＲＢＩＤおよび／または端末識別子情報が追加されたデータを第２のＵＥがネットワーク側デバイスに送信する段階とを備える。
【００２４】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【００２５】
可能な設計において、データの第１のＲＢＩＤおよび／または第１のＵＥの端末識別子情報を、第３のＲＢエンティティと第１のＲＢＩＤおよび／または端末識別子情報との間の事前に確立された対応関係に基づいて第２のＵＥが取得する段階の後、当該方法は、データが転送される必要があるデータであると第１のＲＢＩＤおよび／または端末識別子情報に基づいて第２のＵＥが判断するか、または、データが転送される必要があるデータであるとデータの伝送リンク属性に基づいて第２のＵＥが判断する段階をさらに備える。
【００２６】
可能な設計において、データに第１のＲＢＩＤおよび／または端末識別子情報を第２のＵＥが追加する段階は、データの伝送リンク属性に基づいて、データに第１のＲＢＩＤおよび／または端末識別子情報を第２のＵＥが追加する段階を有する。
【００２７】
可能な設計において、第１のＵＥによって送信されたデータを、第１のＵＥと通信するために使用される第３のＲＢエンティティを使用することによって第２のＵＥが受信する段階は、第１のＵＥと通信するために使用される第３のＰＤＣＰエンティティ層が第２のＵＥのために構成されたとき、第１のＵＥによって送信されたデータを第２のＵＥが第３のＰＤＣＰエンティティ層において受信する段階を有し、データに第１のＲＢＩＤおよび／または端末識別子情報を第２のＵＥが追加する段階は、第３のＰＤＣＰエンティティ層においてデータに第１のＲＢＩＤおよび／または端末識別子情報を第２のＵＥが追加する段階を有する。
【００２８】
可能な設計において、第１のＵＥによって送信されたデータを、第１のＵＥと通信するために使用される第３のＲＢエンティティを使用することによって第２のＵＥが受信する段階は、第１のＵＥと通信するために使用される第３のＰＤＣＰエンティティ層が第２のＵＥのために構成されないとき、第１のＵＥによって送信されたデータを、第１のＵＥと通信するために使用される第３の無線リンク制御（Ｒａｄｉｏ  Ｌｉｎｋ  Ｃｏｎｔｒｏｌ、ＲＬＣ）エンティティ層において第２のＵＥが受信する段階を有し、データに第１のＲＢＩＤおよび／または端末識別子情報を第２のＵＥが追加する段階は、第３のＲＬＣエンティティ層においてデータに第１のＲＢＩＤおよび／または端末識別子情報を第２のＵＥが追加する段階を有する。
【００２９】
可能な設計において、データに第１のＲＢＩＤおよび／または端末識別子情報を第２のＵＥが追加する段階は、ネットワーク側デバイスと通信するために使用される第４のＰＤＣＰエンティティ層、第４のＲＬＣエンティティ層、または第４の媒体アクセス制御（Ｍｅｄｉａ  Ａｃｃｅｓｓ  Ｃｏｎｔｒｏｌ、ＭＡＣ）エンティティ層において、データに第１のＲＢＩＤおよび／または端末識別子情報を第２のＵＥが追加する段階を有する。
【００３０】
本発明の第６態様によれば、データ伝送方法が提供される。当該方法は、ネットワーク側デバイスによって送信されたデータを第２のＵＥが受信する段階であって、データは、第１のＲＢＩＤおよび／または第１のＵＥの端末識別子情報を保持し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データが転送される必要があるデータであると第１のＲＢＩＤおよび／または端末識別子情報に基づいて第２のＵＥが判断する段階と、端末識別子情報に基づいてデータを第２のＵＥが第１のＵＥに送信する段階とを備える。
【００３１】
この技術的解決手段において、第１のＵＥによって受信されたデータパケットは、第１のＲＢＩＤを含み、データのデータタイプは、第１のＲＢＩＤに基づいて識別されてよい。
【００３２】
可能な設計において、端末識別子情報に基づいてデータを第２のＵＥが第１のＵＥに送信する段階は、第１のＵＥと通信するために使用される第３のＰＤＣＰエンティティ層が第２のＵＥのために構成され、第３のＰＤＣＰエンティティ層が、第１のＵＥの第１のＲＢエンティティと一対一の対応関係にあるとき、第１のＲＢエンティティに対応する第３のＰＤＣＰエンティティ層を、第１のＲＢＩＤおよび／または端末識別子情報に基づいて第２のＵＥが判断し、第３のＰＤＣＰエンティティ層においてデータから第１のＲＢＩＤおよび／または端末識別子情報を第２のＵＥが削除する段階と、第１のＲＢＩＤおよび／または端末識別子情報が削除されたデータを、第３のＰＤＣＰエンティティ層を使用することによって第２のＵＥが第１のＵＥに送信する段階とを有する。
【００３３】
可能な設計において、端末識別子情報に対応するデータを第２のＵＥが第１のＵＥに送信する段階は、第１のＵＥと通信するために使用される第３のＰＤＣＰエンティティ層が第２のＵＥのために構成されないとき、第１のＲＢエンティティに対応する第３のＲＬＣエンティティ層であって、第２のＵＥと第１のＵＥとの間の通信に使用される第３のＲＬＣエンティティ層を、第１のＲＢＩＤおよび／または端末識別子情報に基づいて第２のＵＥが判断し、第３のＲＬＣエンティティ層においてデータから第１のＲＢＩＤおよび／または端末識別子情報を第２のＵＥが削除する段階と、第１のＲＢＩＤおよび／または端末識別子情報が削除されたデータを、第３のＲＬＣエンティティ層を使用することによって第２のＵＥが第１のＵＥに送信する段階とを有する。
【００３４】
本発明の第７態様によれば、データ伝送方法が提供される。当該方法はネットワーク側デバイスに適用され、ネットワーク側デバイスは、第１のＵＥと通信する第５のＰＤＣＰエンティティ層と、第２のＵＥと通信するために使用される第２のＲＢエンティティ層とを備え、ネットワーク側デバイスは、送信される必要があるデータを第５のＰＤＣＰエンティティ層を使用することによって第２のＲＢエンティティ層に送信し、第１のＲＢＩＤおよび／または第１のＵＥの端末識別子情報が保持され、第１のＲＢＩＤに対応する第１のＲＢは第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、ネットワーク側デバイスは、第２のＲＢエンティティ層において第１のＲＢＩＤおよび／または端末識別子情報をデータに追加し、ネットワーク側デバイスは、第１のＲＢＩＤおよび／または端末識別子情報が追加されたデータを、第２のＲＢエンティティ層を使用することによって第２のＵＥに送信する。
【００３５】
可能な設計において、ネットワーク側デバイスはさらに、第１のユーザ機器と通信する第５のＲＬＣエンティティ層を備えてよく、送信される必要があるデータを第５のＰＤＣＰエンティティ層を使用することによってネットワーク側デバイスが第２のＲＢエンティティ層に送信する段階は、データを第５のＲＬＣエンティティ層を使用することによってネットワーク側デバイスが第２のＲＢエンティティ層に送信する段階を有する。
【００３６】
本発明の第８態様によれば、基地局が提供される。基地局は、先述の方法設計における基地局の動作を実装するための機能を有する。当該機能は、ハードウェアを使用することによって実装されてよく、または、対応するソフトウェアを実行するハードウェアによって実装されてよい。ハードウェアまたはソフトウェアは、先述の機能に対応する１または複数のモジュールを含む。
【００３７】
可能な設計において、基地局の構造は、プロセッサと送信機とを備える。プロセッサは、先述の方法における対応する機能を実行するように基地局をサポートするよう構成される。送信機は、基地局とＵＥとの間の通信をサポートし、先述の方法において説明された情報または命令をＵＥに送信するよう構成される。基地局は、メモリをさらに備えてよい。メモリは、プロセッサに結合され、基地局の必要なプログラム命令および必要なデータを記憶するよう構成される。
【００３８】
本発明の第９態様によれば、ＵＥが提供される。ＵＥは、先述の方法設計におけるＵＥの動作を実装するための機能を有する。当該機能は、ハードウェアを使用することによって実装されてよく、または、対応するソフトウェアを実行するハードウェアによって実装されてよい。ハードウェアまたはソフトウェアは、先述の機能に対応する１または複数のモジュールを含む。当該モジュールは、ソフトウェアおよび／またはハードウェアであってよい。
【００３９】
可能な設計において、ＵＥの構造は、受信機とプロセッサとを備える。受信機は、基地局によって送信されたデータおよび同様のものを受信するようにＵＥをサポートするよう構成される。プロセッサは、受信機によって受信されたデータに基づいてデータタイプを識別するようＵＥを制御する。
【００４０】
本発明の第１０態様によれば、データ伝送システムが提供される。当該システムは、第１のＵＥと第２のＵＥとネットワーク側デバイスとを備え、第１のＵＥは、第１のＲＢＩＤと第１のＵＥの端末識別子情報とをデータに追加し、第１のＲＢＩＤおよび端末識別子情報が追加されたデータを第２のＵＥに送信し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、第２のＵＥは、データが転送される必要があるデータであると判断し、データをネットワーク側デバイスに送信し、ネットワーク側デバイスは、第１のＲＢＩＤに基づいてデータのデータタイプを判断し、端末識別子情報に基づいて、データの送信元の送信端が第１のＵＥであると判断し、データタイプは、サービスまたはシグナリングを含む。
【００４１】
本発明の第１１態様によれば、データ伝送システムが提供される。当該システムは、第１のＵＥと第２のＵＥとネットワーク側デバイスとを備え、第１のＵＥは、送信される必要があるデータを第１のＵＥの第１のＲＢエンティティを使用することによって第２のＵＥに送信し、データは第１のＲＢＩＤを保持し、第１のＲＢＩＤは、第１のＵＥの第１のＲＢを識別するためにネットワーク側デバイスによって使用され、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、第２のＵＥは、第１のＵＥによって送信されたデータを、第１のＵＥと通信するために使用される第３のＲＢエンティティを使用することによって受信し、第１のＵＥの端末識別子情報を第３のＲＢエンティティと第１のＵＥの端末識別子情報との間の事前に確立された対応関係に基づいて取得し、端末識別子情報をデータに追加し、第１のＲＢＩＤおよび端末識別子情報を保持するデータをネットワーク側デバイスに送信し、第３のＲＢエンティティは、第１のＵＥと第２のＵＥとの間の通信に使用され、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、ネットワーク側デバイスは、第１のＲＢＩＤに基づいてデータのデータタイプを判断し、端末識別子情報に基づいて、データの送信元の送信端が第１のＵＥであると判断する。
【００４２】
本発明の第１２態様によれば、データ伝送システムが提供される。当該システムは、第１のＵＥと第２のＵＥとネットワーク側デバイスとを備え、第１のＵＥは、送信される必要があるデータを第１のＵＥの第１のＲＢエンティティを使用することによって第２のＵＥに送信し、データは、第１のＵＥの端末識別子情報を保持し、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、第２のＵＥは、第１のＵＥによって送信されたデータを、第１のＵＥと通信するために使用される第３のＲＢエンティティを使用することによって受信し、データの第１のＲＢＩＤを第３のＲＢエンティティと第１のＲＢＩＤとの間の事前に確立された対応関係に基づいて取得し、第１のＲＢＩＤをデータに追加し、第１のＲＢＩＤおよび端末識別子情報を保持するデータをネットワーク側デバイスに送信し、第３のＲＢエンティティは、第１のＵＥと第２のＵＥとの間の通信に使用され、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、ネットワーク側デバイスは、第１のＲＢＩＤに基づいてデータのデータタイプを判断し、端末識別子情報に基づいて、データの送信元の送信端が第１のＵＥであると判断する。
【００４３】
本発明の第１３態様によれば、データ伝送システムが提供される。当該システムは、第１のＵＥと第２のＵＥとネットワーク側デバイスとを備え、第１のＵＥは、送信される必要があるデータを第１のＵＥの第１のＲＢエンティティを使用することによって第２のＵＥに送信し、第１のＲＢエンティティは、第１のＵＥとネットワーク側デバイスとの間でデータを伝送するために使用され、第２のＵＥは、第１のＵＥによって送信されたデータを、第１のＵＥと通信するために使用される第３のＲＢエンティティを使用することによって受信し、データの第１のＲＢＩＤと第１のＵＥの端末識別子情報とを、第３のＲＢエンティティと第１のＲＢＩＤおよび端末識別子情報との間の事前に確立された対応関係に基づいて取得し、第１のＲＢＩＤおよび端末識別子情報をデータに追加し、第１のＲＢＩＤおよび端末識別子情報が追加されたデータをネットワーク側デバイスに送信し、第３のＲＢエンティティは、第１のＵＥと第２のＵＥとの間の通信に使用され、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、ネットワーク側デバイスは、第１のＲＢＩＤに基づいてデータのデータタイプを判断し、端末識別子情報に基づいて、データの送信元の送信端が第１のＵＥであると判断する。
【００４４】
本発明の第１４態様によれば、コンピュータ記憶媒体が提供される。コンピュータ記憶媒体は、プログラムを記憶してよく、当該プログラムが実行されたとき、第１態様から第７態様のうちの一部のまたは全部の段階が行われる。
【図面の簡単な説明】
【００４５】
本発明の実施形態をより明確に説明するべく、実施形態を説明するために必要な添付図面を以下で簡潔に説明する。以下の説明における添付図面は、本発明のいくつかの実施形態を示しているに過ぎず、当業者であれば創造的努力なくこれらの添付図面からさらに他の図面を導出し得ることは明らかである。
【００４６】
【図１】本発明の一実施形態に係る、データ伝送システムにおける制御プレーンのプロトコルスタックアーキテクチャの概略図である。
【００４７】
【図２ａ】本発明の一実施形態に係る、データ伝送システムにおけるユーザプレーンのプロトコルスタックアーキテクチャの概略図である。
【００４８】
【図２ｂ】本発明の別の実施形態に係る、データ伝送システムにおけるユーザプレーンのプロトコルスタックアーキテクチャの概略図である。
【００４９】
【図３】本発明の一実施形態に係るデータ伝送方法の概略フローチャートである。
【００５０】
【図４】本発明の別の実施形態に係るデータ伝送方法の概略フローチャートである。
【００５１】
【図５】本発明の別の実施形態に係るデータ伝送方法の概略フローチャートである。
【００５２】
【図６】本発明の別の実施形態に係るデータ伝送方法の概略フローチャートである。
【００５３】
【図７】本発明の別の実施形態に係るデータ伝送方法の概略フローチャートである。
【００５４】
【図８】本発明の別の実施形態に係るデータ伝送方法の概略フローチャートである。
【００５５】
【図９】本発明の別の実施形態に係るデータ伝送方法の概略フローチャートである。
【００５６】
【図１０】本発明の別の実施形態に係るデータ伝送方法の概略フローチャートである。
【００５７】
【図１１】本発明の一実施形態に係るデータ伝送装置の概略構造図である。
【００５８】
【図１２】本発明の一実施形態に係るデータ伝送システムの概略構造図である。
【発明を実施するための形態】
【００５９】
本発明の実施形態における添付図面に関連して、本発明の実施形態における技術的解決手段を以下で明確かつ十分に説明する。説明される実施形態が、本発明の実施形態の全てではなく一部に過ぎないことは明らかである。創造的努力なく本発明の実施形態に基づいて当業者によって得られる全ての他の実施形態は、本発明の保護範囲に含まれるものとする。
【００６０】
図１を参照すると、図１は、本発明の一実施形態に係る、データ伝送システムにおける制御プレーンのプロトコルスタックアーキテクチャの概略図である。図１に示すように、データ伝送システムは、第１のＵＥと第２のＵＥとネットワーク側デバイスとを備えてよい。第２のＵＥを使用することによって、第１のＵＥとネットワーク側デバイスとの間でアップリンクデータ伝送またはダウンリンクデータ伝送が行われる。第１のＵＥは、例えばグーグルグラス（Ｇｏｏｇｌｅ  ｇｌａｓｓ）、リストバンド（例えば、シャオミリストバンドもしくはＦｉｂｉｔリストバンド）、腕時計（例えばＡｐｐｌｅ  ｗａｔｃｈもしくはＳａｍｓｕｎｇ  ｗａｔｃｈ）、またはＮｉｋｅシューズといったウェアラブルデバイスであってよい。第２のＵＥは、スマートフォン、パーソナルコンピュータ（Ｐｅｒｓｏｎａｌ  Ｃｏｍｐｕｔｅｒ、ＰＣ）、デジタルテレビ受信端末、車載端末、または同様のものであってよい。ネットワーク側デバイスは、発展型基地局または同様のものであってよい。第１のＵＥは、Ｄ２Ｄ接続、ブルートゥース（登録商標）接続、ＷｉＦｉ（登録商標）接続、または同様のものを使用することによって第２のＵＥと通信してよい。第２のＵＥは、Ｕｕインタフェースを使用することによってネットワーク側デバイスと通信してよい。Ｕｕインタフェースのユーザプレーンが、サービスデータを伝送するために使用され、Ｕｕインタフェースの制御プレーンが、シグナリングを伝送するために使用される。本発明のこの実施形態では、第１のＵＥと第２のＵＥとの間でＤ２Ｄ通信が行われる例が説明のために使用される。
【００６１】
図１は、制御プレーンのプロトコルスタックアーキテクチャの概略図である。第１のＵＥとネットワーク側デバイスとの間に、無線リソース制御（Ｒａｄｉｏ  Ｒｅｓｏｕｒｃｅ  Ｃｏｎｔｒｏｌ、ＲＲＣ）リンクのプロトコルスタックアーキテクチャが存在する。ネットワーク側デバイスは、第１のＵＥを管理し、プロトコルスタックアーキテクチャを使用することによって第１のＵＥのためのパラメータを構成してよい。
【００６２】
第１のＵＥは、ＲＲＣ層と、ネットワーク側デバイスと通信するために使用される第１のＰＤＣＰ層と、第２のＵＥと通信するために使用される第２のＰＤＣＰ層と、第２のＵＥと通信するために使用される第２のＲＬＣ層と、第２のＵＥと通信するために使用される第２のＭＡＣ層と、第２のＵＥと通信するために使用される第２の物理（Ｐｈｙｓｉｃａｌ、ＰＨＹ）層とを有してよい。
【００６３】
第２のＵＥは、第１のＵＥと通信するために使用される第３のＰＤＣＰ層、第３のＲＬＣ層、第３のＭＡＣ層、および第３のＰＨＹ層を有してよい。第２のＵＥは、ネットワーク側デバイスと通信するために使用される第４のＰＤＣＰ層、第４のＲＬＣ層、第４のＭＡＣ層、および第４のＰＨＹ層をさらに有してよい。
【００６４】
ネットワーク側デバイスは、第１のＵＥと通信するために使用される第５のＲＲＣ層および第５のＰＤＣＰ層を有してよい。ネットワーク側デバイスは、第２のＵＥと通信するために使用される第６のＰＤＣＰ層、第６のＲＬＣ層、第６のＭＡＣ層、および第６のＰＨＹ層をさらに有してよい。
【００６５】
ネットワーク側デバイスは、ネットワーク側デバイスと第１のＵＥとの間に確立されたＲＲＣリンクを使用することによってシグナリングを第１のＵＥに送信してよい。ネットワーク側デバイスの第５のＲＲＣ層は、第１のＵＥのアクセスリンクのパラメータ構成を管理し、第１のＵＥのベアラを確立し、第１のＵＥとネットワーク側デバイスとの間のデータ伝送に使用されるセキュリティパラメータを構成するために使用される。第１のＵＥのベアラは、アクセスＲＢと、ネットワーク側デバイスからコアネットワークへのベアラとを含んでよい。プロトコルは、コアネットワークが、コア切り替えまたはコールルーティングの機能を実行する、例えばモビリティ管理エンティティ（Ｍｏｂｉｌｅ  Ｍａｎａｇｅｍｅｎｔ  Ｅｎｔｉｔｙ、ＭＭＥ）、サービングゲートウェイ（Ｓｅｒｖｉｎｇ  Ｇａｔｅｗａｙ、ＳＧＷ）、またはＰＤＮゲートウェイ（ＰＤＮ  Ｇａｔｅｗａｙ、ＰＧＷ）といったネットワーク要素であることを規定する。ＰＤＮ（Ｐｕｂｌｉｃ  Ｄａｔａ  Ｎｅｔｗｏｒｋ）ゲートウェイは、公衆データネットワークゲートウェイである。
【００６６】
プロトコルスタックアーキテクチャにおいて、ネットワーク側デバイスは、第５のＲＲＣ層を使用することによって第１のＵＥを管理する。コアネットワークは変化しないままであり、コアネットワークの互換性が維持され得る。加えて、コアネットワークにとって、コアネットワークによる第１のＵＥの管理は、第２のＵＥが中継機として使用されるかどうかとは無関係である。第１のＵＥと第２のＵＥとの間の通信距離が比較的大きいとき、第１のＵＥは、Ｕｕインタフェースを使用することによってネットワーク側デバイスに直接連結してよく、ネットワーク側デバイスは、第１のＵＥのコンテキストを依然として保持する。したがって、データ転送性能が迅速に回復され得て、モビリティ処理手順は簡単であり、かつ遅延が小さい。
【００６７】
図２ａを参照すると、図２ａは、本発明の一実施形態に係る、データ伝送システムにおけるユーザプレーンのプロトコルスタックアーキテクチャの概略図である。図に示すように、データ伝送システムは、第１のＵＥと第２のＵＥとネットワーク側デバイスとコアネットワークとを備えてよい。
【００６８】
第１のＵＥは、インターネットプロトコル（Ｉｎｔｅｒｎｅｔ  Ｐｒｏｔｏｃｏｌ、ＩＰ）層、ネットワーク側デバイスと通信するために使用される第１のＰＤＣＰ層、ならびに、第２のＵＥと通信するために使用される第２のＰＤＣＰ層、第２のＲＬＣ層、第２のＭＡＣ層、および第２のＰＨＹ層を有してよい。
【００６９】
第２のＵＥは、第１のＵＥと通信するために使用される第３のＰＤＣＰ層、第３のＲＬＣ層、第３のＭＡＣ層、および第３のＰＨＹ層を有してよい。第２のＵＥは、ネットワーク側デバイスと通信するために使用される第４のＰＤＣＰ層、第４のＲＬＣ層、第４のＭＡＣ層、および第４のＰＨＹ層をさらに有してよい。
【００７０】
ネットワーク側デバイスは、第１のＵＥと通信するために使用される第５のＰＤＣＰ層を有してよい。ネットワーク側デバイスは、第２のＵＥと通信するために使用される第６のＰＤＣＰ層、第６のＲＬＣ層、第６のＭＡＣ層、および第６のＰＨＹ層をさらに有してよい。
【００７１】
アップリンクデータ伝送の場合、第１のＵＥは、ネットワーク側デバイスと通信するために使用される第１のＰＤＣＰ層においてＩＰ層からのＩＰデータパケットに対してセキュア処理を行い、次に、処理されたデータパケットを第２のＵＥに送信してよく、これにより、第２のＵＥは、処理されたデータパケットをネットワーク側デバイスに転送する。ダウンリンクデータ伝送の場合、ネットワーク側デバイスは、第１のＵＥと通信するために使用される第５のＰＤＣＰ層においてコアネットワークからのＩＰデータパケットに対してセキュア処理を行い、処理されたデータパケットを第２のＵＥに送信してよく、これにより、第２のＵＥは、処理されたデータパケットを第１のＵＥに転送する。
【００７２】
プロトコルスタックアーキテクチャにおいて、第１のＵＥのパラメータがネットワーク側デバイスによって直接管理される。ネットワーク側デバイスと通信するために使用される、第１のＵＥの第１のＰＤＣＰ層と、第１のＵＥと通信するために使用される、ネットワーク側デバイスの第５のＰＤＣＰ層だけが、データ伝送の完全性保護およびセキュア処理に関与し、第２のＵＥは、セキュア処理が行われたデータを復号することができず、それによって、データ伝送のセキュリティおよび信頼性を保証する。
【００７３】
図１または図２ａに示されるプロトコルスタックアーキテクチャにおいて、第１のＵＥまたは第２のＵＥは、少なくとも１つのＲＢを有してよく、各ＲＢは、ＰＤＣＰ処理プロセスを含み、各ＰＤＣＰ処理プロセスは、無線ベアラ識別子情報（ＲＢＩＤ）および端末識別子情報と一対一の対応関係にあることに留意すべきである。第１のＲＢは、第１のＵＥとネットワーク側デバイスとの間に位置し、第２のＲＢは、第２のＵＥとネットワーク側デバイスとの間に位置する。ネットワーク側デバイスは、第２のＵＥの第２のＲＢと第１のＵＥの第１のＲＢとの間の対応関係を事前に確立してよい。第２のＵＥの１つの第２のＲＢが、複数の第１のＵＥの第１のＲＢに対応してよい。任意選択で、ネットワーク側デバイスは、サービス品質（Ｑｕａｌｉｔｙ  ｏｆ  Ｓｅｒｖｉｃｅ、ＱｏＳ）データのタイプごとにデータ無線ベアラ（Ｄａｔａ  Ｒａｄｉｏ  Ｂｅａｒｅｒ、ＤＲＢ）を確立してよい。ＤＲＢは、第１のＵＥの第１のＲＢによって保持されるデータを伝送するために使用され、第２のＵＥの１つのＤＲＢが、複数の第１のＵＥの第１のＲＢに対応してよく、第１のＲＢによって保持されるＱｏＳデータのタイプは、ＤＲＢによって保持されるＱｏＳデータのタイプと同一である。
【００７４】
従来のデータ伝送方法では、第１のＵＥの第１のＲＢは、第２のＵＥの第２のＲＢと一対一の対応関係にあり、複数の第１のＵＥとネットワーク側デバイスとの間で第２のＵＥによってデータが転送されるとき、ネットワーク側デバイスは、異なる複数の第１のＵＥの第１のＲＢと第２のＵＥの異なる複数の第２のＲＢとの間の対応関係を構成する必要がある。したがって、構成オーバーヘッドが比較的高い。第２のＵＥによって含まれる第２のＲＢの数は、３２を上回らない。同一の第２のＵＥが複数の第１のＵＥの中継機として同時に使用されるとき、第２のＵＥへの通信接続を確立できる第１のＵＥの数は限られる。第１のＵＥの第１のＲＢが第２のＵＥの第２のＲＢと一対一の対応関係にあるとき、第２のＵＥは、複数のＰＤＣＰプロセスを同時にサポートすることを要求される。結果として、第２のＵＥの処理の困難さが増す。しかしながら、本発明のこの実施形態においては、第２のＵＥの１つのＤＲＢが、複数の第１のＵＥの第１のＲＢに対応する。これにより、構成オーバーヘッドを低減し、第２のＵＥによってサポートされ得る第１のＵＥの数を増大させ、第２のＵＥの処理の困難さを低減することができる。
【００７５】
図３を参照すると、図３は、本発明の一実施形態に係るデータ伝送方法の概略フローチャートである。本発明のこの実施形態においては、アップリンクデータ伝送の応用シナリオが説明される。ここで、第１のＵＥは、送信される必要があるデータに第１のＲＢＩＤおよび端末識別子情報を追加する。図３に示すように、本発明のこの実施形態のデータ伝送方法は以下の段階を備えてよい。
【００７６】
段階Ｓ３０１．第１のユーザ機器が、送信される必要があるデータに第１の無線ベアラ識別子情報および第１のユーザ機器の端末識別子情報を追加する。
【００７７】
データを送信する必要があるとき、第１のＵＥは、データの第１のＲＢＩＤと第１のＵＥの端末識別子情報とを取得し、送信される必要があるデータに第１のＲＢＩＤと第１のＵＥの端末識別子情報とを追加してよい。第１のＲＢＩＤは、第１のＲＢを識別するために使用され、異なるＲＢＩＤは、異なるＲＢに対応し、第１のＲＢＩＤに対応する第１のＲＢは、第１のＵＥとネットワーク側デバイスとの間に位置する。端末識別子情報は、第１のＵＥの第２層識別子であってよく、第２層識別子は、第１のＵＥを識別するようアクセスネットワークに命令するために使用され、端末識別子情報は、Ｃ‐ＲＮＴＩ、ＩＰアドレス、ＴＭＳＩ、ＩＭＳＩ、または同様のものを含んでよい。
【００７８】
任意選択的な実施形態において、第１のＵＥは、データを含むデータパケットのヘッダに第１のＲＢＩＤおよび端末識別子情報を追加してよい。例えば、第１のＰＤＣＰ層においてデータに対してセキュア処理を行ってプロトコルデータユニット（Ｐｒｏｔｏｃｏｌ  Ｄａｔａ  Ｕｎｉｔ、ＰＤＵ）データパケットを取得した後、第１のＵＥは、ＰＤＵデータパケットのヘッダに２つのフィールドを追加してよい。ここで、当該フィールドはそれぞれ、第１のＲＢＩＤおよび端末識別子情報を追加するために使用される。
【００７９】
任意選択的な実施形態において、図２ｂに示されるデータ伝送システムにおけるプロトコルスタックアーキテクチャの概略図が例として使用される。第１のＵＥが、ネットワーク側デバイスと通信するために使用される第１のＲＬＣ層を有し、ネットワーク側デバイスが、第１のＵＥと通信するために使用される第５のＲＬＣ層を有するとき、第１のＵＥは、第１のＰＤＣＰ層においてデータに対してセキュア処理を行った後にＰＤＵデータパケットを取得し、セキュア処理の後に取得されたＰＤＵデータパケットを第１のＲＬＣ層に転送し、第１のＲＬＣ層において、ＰＤＵデータパケットのヘッダに２つのフィールドを追加してよい。ここで、当該フィールドはそれぞれ、第１のＲＢＩＤおよび端末識別子情報を追加するために使用される。
【００８０】
段階Ｓ３０２．第１のユーザ機器が、第１の無線ベアラ識別子情報および端末識別子情報が追加されたデータを第２のユーザ機器に送信する。
【００８１】
具体的な実装例において、第１のＵＥは、第１のＲＢＩＤおよび端末識別子情報が追加されたデータを、事前に確立された第２のＵＥへの通信接続を使用することによって第２のＵＥに送信してよい。通信接続は、Ｄ２Ｄ接続、ブルートゥース（登録商標）接続、ＷｉＦｉ（登録商標）接続、または同様のものを含んでよい。
【００８２】
段階Ｓ３０３．第２のユーザ機器が、データが転送される必要があるデータであると判断する。
【００８３】
第１のＵＥによって送信されたデータを受信した後、第２のＵＥは、データが転送される必要があるデータであるかどうかを判断してよい。データが転送される必要があるデータであるとき、第２のＵＥは、データをネットワーク側デバイスに送信してよい。データが転送される必要があるデータではないとき、第２のＵＥは、データを直接処理してよい。
【００８４】
任意選択的な実施形態において、第２のＵＥは、第１のＲＢＩＤおよび／または端末識別子情報に基づいて、データが転送される必要があるデータであると判断してよい。具体的には、第１のＵＥがデータを第２のＵＥのみに送信する予定である場合、第１のＵＥは、第１のＲＢＩＤおよび端末識別子情報を追加せず、データを第２のＵＥに直接送信してよい。第２のＵＥによって受信されたデータは、第１のＲＢＩＤも端末識別子情報も含まない。第２のＵＥがデータをネットワーク側デバイスに転送するよう、第１のＵＥがデータを第２のＵＥに送信する予定である場合、第１のＵＥは、第１のＲＢＩＤおよび端末識別子情報を追加し、第１のＲＢＩＤおよび端末識別子情報が追加されたデータを第２のＵＥに送信してよい。第２のＵＥによって受信されたデータは、第１のＲＢＩＤおよび端末識別子情報を含む。言い換えれば、第２のＵＥは、受信されたデータが第１のＲＢＩＤまたは端末識別子情報を含むかどうかを判断してよく、受信されたデータが第１のＲＢＩＤまたは端末識別子情報を含むとき、第２のＵＥは、データが転送される必要があるデータであると判断してよい。
【００８５】
任意選択的な実施形態において、第２のＵＥは、データの伝送リンク属性に基づいて、データが転送される必要があるデータであると判断してよい。伝送リンク属性は、第１のＵＥと第２のＵＥとの間の伝送リンクが、第１のＵＥとネットワーク側デバイスとの間の第１のＲＢと一対一の対応関係にあることを示すために使用される。伝送リンク属性は、データが転送される必要があるかどうかを示す識別子を含んでよい。任意選択で、伝送リンク属性は、伝送リンクによって取り扱われるユーザの識別子、または、伝送リンクによって取り扱われるユーザのＲＢＩＤをさらに含んでよい。
【００８６】
段階Ｓ３０４．第２のユーザ機器が、第１の無線ベアラ識別子情報および端末識別子情報が追加されたデータをネットワーク側デバイスに送信する。
【００８７】
具体的な実装例において、データが転送される必要があるデータであると判断した後、第２のＵＥは、データを処理せず、ネットワーク接続を使用することによって、受信されたデータをネットワーク側デバイスに直接送信してよい。
【００８８】
段階Ｓ３０５．ネットワーク側デバイスが、第１のＲＢＩＤに基づいてデータのデータタイプを判断し、端末識別子情報に基づいて、データの送信元の送信端が第１のユーザ機器であると判断する。
【００８９】
具体的な実装例において、第１のＲＢＩＤおよび端末識別子情報が追加されたデータを受信したとき、ネットワーク側デバイスは第１のＲＢＩＤに基づいて、データのデータタイプを判断してよい。例えば、ネットワーク側デバイスは、受信されたデータがサービスデータなのか、シグナリングデータなのか、または同様のものなのかを第１のＲＢＩＤに基づいて識別してよい。ネットワーク側デバイスはさらに、端末識別子情報に基づいて、データの送信元の送信端が第１のＵＥであると判断してよい。
【００９０】
任意選択的な実施形態において、第２のＵＥによって送信されたデータを受信した後、ネットワーク側デバイスは、第１のＲＢＩＤおよび端末識別子情報に対応するＰＤＣＰ処理プロセスを使用することによってデータを処理してよい。ＰＤＣＰ処理プロセスは、第１のＲＢＩＤおよび端末識別子情報と一対一の対応関係にある。具体的には、受信されたデータにおける第１のＲＢＩＤおよび端末識別子情報が、ネットワーク側デバイスのＰＤＣＰ処理プロセスのうちのどれにも一致しないとき、ネットワーク側デバイスは、データを削除してよい。受信されたデータにおける第１のＲＢＩＤおよび端末識別子情報が、ネットワーク側デバイスのＰＤＣＰ処理プロセスと一致するとき、ネットワーク側デバイスは、ＰＤＣＰ処理プロセスを使用することによってデータを処理してよい。
【００９１】
図３に示される実施形態において、第１のＵＥは、送信される必要があるデータに第１のＲＢＩＤと第１のＵＥの端末識別子情報とを追加し、第１のＲＢＩＤおよび端末識別子情報が追加されたデータを第２のユーザ機器に送信する。これにより、第２のユーザ機器は、データをネットワーク側デバイスに送信し、ネットワーク側デバイスは、受信されたデータの送信元の送信端とデータタイプとを簡便に識別する。
【００９２】
図４を参照すると、図４は、本発明の別の実施形態に係るデータ伝送方法の概略フローチャートである。本発明のこの実施形態においては、ダウンリンクデータ伝送の応用シナリオが説明される。ここで、ネットワーク側デバイスは、送信される必要があるデータに第１のＲＢＩＤおよび端末識別子情報を追加する。図４に示すように、本発明のこの実施形態のデータ伝送方法は、以下の段階を備えてよい。
【００９３】
段階Ｓ４０１．ネットワーク側デバイスが、送信される必要があるデータの第１の無線ベアラ識別子情報と第１のユーザ機器の端末識別子情報とを取得する。
【００９４】
ネットワーク側デバイスは、送信される必要があるデータの第１のＲＢＩＤと、第１のＵＥの端末識別子情報とをローカルに取得してよい。例えば、第２のＵＥによって転送された第１のＵＥのデータに応答して、ネットワーク側デバイスは、第１のＵＥに送信される必要があるデータを取得し、データの第１のＲＢＩＤと第１のＵＥの端末識別子情報とを取得してよい。別の例の場合、ネットワーク側デバイスは、情報を第１のＵＥにプッシュしてよい。プッシュされた情報は、現在送信される必要があるデータであってよい。  ネットワーク側デバイスは、送信される必要があるデータの第１のＲＢＩＤと、第１のＵＥの端末識別子情報とをローカルに取得してよい。
【００９５】
段階Ｓ４０２．ネットワーク側デバイスが、第１の無線ベアラ識別子情報および端末識別子情報をデータに追加する。
【００９６】
任意選択的な実施形態において、ネットワーク側デバイスは、送信される必要があるデータを含むデータパケットのヘッダに第１のＲＢＩＤおよび端末識別子情報を追加してよい。例えば、第１のＵＥと通信するために使用される第５のＰＤＣＰ層においてデータに対してセキュア処理を行ってＰＤＵデータパケットを取得した後、ネットワーク側デバイスは、ＰＤＵデータパケットのヘッダに２つのフィールドを追加してよい。ここで、当該フィールドはそれぞれ、第１のＲＢＩＤおよび端末識別子情報を追加するために使用される。別の例の場合、ネットワーク側デバイスは、第１のＵＥと通信するために使用される第５のＰＤＣＰ層においてセキュア処理を行った後にＰＤＵデータパケットを取得し、セキュア処理の後に取得されたＰＤＵデータパケットを、第１のＵＥと通信するために使用される第５のＲＬＣ層に転送し、第５のＲＬＣ層においてＰＤＵデータパケットのヘッダに２つのフィールドを追加する。ここで、当該フィールドはそれぞれ、第１のＲＢＩＤおよび端末識別子情報を追加するために使用される。
【００９７】
段階Ｓ４０３．ネットワーク側デバイスが、第１の無線ベアラ識別子情報および端末識別子情報が追加されたデータを第２のユーザ機器に送信する。
【００９８】
段階Ｓ４０４．第２のユーザ機器が、データが転送される必要があるデータであると判断する。
【００９９】
ネットワーク側デバイスによって送信されたデータを受信した後、第２のＵＥは、データが転送される必要があるデータであるかどうかを判断してよい。データが転送される必要があるデータであるとき、第２のＵＥは、データを端末識別子情報に対応する第１のＵＥに送信してよい。データが転送される必要があるデータではないとき、第２のＵＥは、データを直接処理してよい。
【０１００】
任意選択的な実施形態において、第２のＵＥは、第１のＲＢＩＤおよび／または端末識別子情報に基づいて、データが転送される必要があるデータであると判断してよい。具体的には、ネットワーク側デバイスがデータを第２のＵＥのみに送信する予定である場合、ネットワーク側デバイスは、第１のＲＢＩＤおよび端末識別子情報を追加せず、データを第２のＵＥに直接送信してよい。第２のＵＥによって受信されたデータは、第１のＲＢＩＤも端末識別子情報も含まない。第２のＵＥがデータを第１のＵＥに転送するよう、ネットワーク側デバイスがデータを第２のＵＥに送信する予定である場合、ネットワーク側デバイスは、第１のＲＢＩＤおよび端末識別子情報を追加し、第１のＲＢＩＤおよび端末識別子情報が追加されたデータを第２のＵＥに送信してよい。第２のＵＥによって受信されたデータは、第１のＲＢＩＤおよび端末識別子情報を含む。言い換えれば、第２のＵＥは、受信されたデータが第１のＲＢＩＤまたは端末識別子情報を含むかどうかを判断してよく、受信されたデータが第１のＲＢＩＤまたは端末識別子情報を含むとき、第２のＵＥは、データが転送される必要があるデータであると判断してよい。
【０１０１】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の送信端が第１のＵＥである１または複数のデータを伝送するために使用される。
【０１０２】
段階Ｓ４０５．第２のユーザ機器が、第１の無線ベアラ識別子情報および端末識別子情報が追加されたデータを第１のユーザ機器に送信する。
【０１０３】
任意選択的な実施形態において、データが転送される必要があるデータであると判断した後、第２のＵＥは、データから端末識別子情報を削除してよく、端末識別子情報が削除されたデータを、端末識別子情報に基づいて第１のＵＥに送信してよい。第１のＵＥは、第１のＲＢＩＤに基づいて、データのデータタイプを識別してよい。
【０１０４】
任意選択的な実施形態において、データが転送される必要があるデータであると第２のＵＥが判断した後、第２のＵＥと第１のＵＥとの間の通信リンクが第１のＵＥの第１のＲＢと一対一の対応関係にあるとき、第２のＵＥは、データから第１のＲＢＩＤおよび端末識別子情報を削除し、第１のＲＢＩＤおよび端末識別子情報が削除されたデータを、端末識別子情報に基づいて第１のＵＥに送信してよい。
【０１０５】
図４に示された実施形態において、ネットワーク側デバイスは、伝送される必要があるデータの第１のＲＢＩＤと第１のＵＥの端末識別子情報とを取得し、第１のＲＢＩＤおよび端末識別子情報をデータに追加し、第１のＲＢＩＤおよび端末識別子情報が追加されたデータを第２のユーザ機器に送信する。これにより、第２のユーザ機器は、データを第１のユーザ機器に転送し、これにより、第１のＵＥは、データのデータタイプを簡便に識別する。
【０１０６】
図５を参照すると、図５は、本発明の別の実施形態に係るデータ伝送方法の概略フローチャートである。本発明のこの実施形態において、アップリンクデータ伝送の応用シナリオが説明される。ここで、第１のＵＥは、送信される必要があるデータに第１のＲＢＩＤを追加し、第２のＵＥは、第１のＲＢＩＤが追加されたデータに第１のＵＥの端末識別子情報を追加する。図５に示すように、本発明のこの実施形態のデータ伝送方法は、以下の段階を備えてよい。
【０１０７】
段階Ｓ５０１．第１のユーザ機器が、送信される必要があるデータに第１の無線ベアラ識別子情報を追加する。
【０１０８】
データを送信する必要があるとき、第１のＵＥは、データの第１のＲＢＩＤを取得し、送信される必要があるデータに第１のＲＢＩＤを追加してよい。
【０１０９】
任意選択的な実施形態において、第１のＵＥは、データを含むデータパケットのヘッダに第１のＲＢＩＤを追加してよい。例えば、第１のＰＤＣＰ層においてデータに対してセキュア処理を行ってＰＤＵデータパケットを取得した後、第１のＵＥは、ＰＤＵデータパケットのヘッダに１つのフィールドを追加してよい。ここで、当該フィールドは、第１のＲＢＩＤを追加するために使用される。別の例の場合、第１のＵＥは、第１のＰＤＣＰ層においてデータに対してセキュア処理を行った後にＰＤＵデータパケットを取得し、セキュア処理の後に取得されたＰＤＵデータパケットを第１のＲＬＣ層に転送し、第１のＲＬＣ層においてＰＤＵデータパケットのヘッダに２つのフィールドを追加する。ここで、当該フィールドはそれぞれ、第１のＲＢＩＤおよび端末識別子情報を追加するために使用される。
【０１１０】
段階Ｓ５０２．第１のユーザ機器が、第１の無線ベアラ識別子情報が追加されたデータを第２のユーザ機器に送信する。
【０１１１】
段階Ｓ５０３．第２のユーザ機器が、第１のユーザ機器によって送信されたデータを、第３の無線ベアラエンティティを使用することによって受信する。
【０１１２】
第２のＵＥは、第１のＵＥによって送信されたデータを、第１のＵＥと通信するために使用される第３のＲＢエンティティを使用することによって受信してよい。第２のＵＥは、第１のＵＥと通信するために使用される第３のＰＤＣＰ層を有してよく、第３のＰＤＣＰ層は、少なくとも１つのＰＤＣＰ処理プロセスを含み、各ＰＤＣＰ処理プロセスは、第３のＲＢエンティティに対応し、第３のＲＢエンティティは、第２のＵＥと第１のＵＥとの間の通信に使用される。本発明のこの実施形態において、ネットワーク側デバイスは、第１のＵＥの第１のＲＢが第２のＵＥの第３のＲＢと一対一の対応関係にあるよう構成し、第２のＵＥは、第３のＲＢと第１のＵＥの端末識別子情報との間の対応関係を事前に確立してよい。
【０１１３】
任意選択的な実施形態において、第１のＵＥと通信するために使用される第３のＰＤＣＰエンティティ層が第２のＵＥのために構成されたとき、第２のＵＥは、第１のＵＥによって送信されたデータを第３のＰＤＣＰエンティティ層において受信する。
【０１１４】
任意選択的な実施形態において、第１のＵＥと通信するために使用される第３のＰＤＣＰ層が第２のＵＥのために構成されないとき、第２のＵＥは、第１のＵＥによって送信されたデータを第３のＲＬＣエンティティ層において受信する。
【０１１５】
段階Ｓ５０４．第２のユーザ機器が、データが転送される必要があるデータであると判断する。
【０１１６】
第１のＵＥによって送信されたデータを受信した後、第２のＵＥは、データが転送される必要があるデータであるかどうかを判断してよい。データが転送される必要があるデータであるとき、第２のＵＥは、データをネットワーク側デバイスに送信してよい。データが転送される必要があるデータではないとき、第２のＵＥは、データを直接処理してよい。
【０１１７】
任意選択的な実施形態において、第２のＵＥは、第１のＲＢＩＤに基づいて、データが転送される必要があるデータであると判断してよい。具体的には、第１のＵＥがデータを第２のＵＥのみに送信する予定である場合、第１のＵＥは、第１のＲＢＩＤを追加せず、データを第２のＵＥに直接送信してよい。第２のＵＥによって受信されたデータは、第１のＲＢＩＤを含まない。第２のＵＥがデータをネットワーク側デバイスに転送するよう、第１のＵＥがデータを第２のＵＥに送信する予定である場合、第１のＵＥは、第１のＲＢＩＤを追加し、第１のＲＢＩＤが追加されたデータを第２のＵＥに送信してよい。第２のＵＥによって受信されたデータは、第１のＲＢＩＤを含む。言い換えれば、第２のＵＥは、受信されたデータが第１のＲＢＩＤを含むかどうかを判断してよく、受信されたデータが第１のＲＢＩＤを含むとき、第２のＵＥは、データが転送される必要があるデータであると判断してよい。
【０１１８】
任意選択的な実施形態において、第２のＵＥは、データの伝送リンク属性に基づいて、データが転送される必要があるデータであると判断してよい。伝送リンク属性は、第１のＵＥと第２のＵＥとの間の伝送リンクが、第１のＵＥとネットワーク側デバイスとの間の第１のＲＢと一対一の対応関係にあることを示すために使用される。伝送リンク属性は、データが転送される必要があるかどうかを示す識別子を含んでよい。任意選択で、伝送リンク属性は、伝送リンクによって取り扱われるユーザの識別子、または、伝送リンクによって取り扱われるユーザのＲＢＩＤをさらに含んでよい。
【０１１９】
段階Ｓ５０５．第２のユーザ機器が、第１のユーザ機器の端末識別子情報を第３の無線ベアラエンティティと第１のユーザ機器の端末識別子情報との間の事前に確立された対応関係に基づいて取得する。
【０１２０】
段階Ｓ５０６．第２のユーザ機器が、端末識別子情報をデータに追加する。
【０１２１】
任意選択的な実施形態において、第２のＵＥは、データの伝送リンク属性に基づいて、端末識別子情報をデータに追加してよい。
【０１２２】
任意選択的な実施形態において、第１のＵＥによって送信されたデータを第３のＰＤＣＰエンティティ層において受信した後、第２のＵＥは、第３のＰＤＣＰエンティティ層において端末識別子情報をデータに追加してよい。
【０１２３】
任意選択的な実施形態において、第１のＵＥによって送信されたデータを第３のＲＬＣエンティティ層において受信した後、第２のＵＥは、第３のＲＬＣエンティティ層において端末識別子情報をデータに追加してよい。
【０１２４】
任意選択的な実施形態において、第２のＵＥは、ネットワーク側デバイスと通信するために使用される第４のＰＤＣＰエンティティ層、第４のＲＬＣエンティティ層、または第４のＭＡＣエンティティ層において、端末識別子情報をデータに追加してよい。
【０１２５】
第２のＵＥは、限定されないが先述のエンティティ層を含む層において、端末識別子情報をデータに追加することに留意すべきである。例えば、第２のＵＥは、アダプテーション層において端末識別子情報をデータに追加してよい。具体的事項は、本発明のこの実施形態において限定されない。
【０１２６】
段階Ｓ５０７．第２のユーザ機器が、端末識別子情報が追加されたデータをネットワーク側デバイスに送信する。
【０１２７】
段階Ｓ５０８．ネットワーク側デバイスが、第１のＲＢＩＤに基づいてデータのデータタイプを判断し、端末識別子情報に基づいて、データの送信元の送信端が第１のユーザ機器であると判断する。
【０１２８】
図５に示される実施形態において、第１のＵＥは、送信される必要があるデータに第１のＲＢＩＤを追加し、第１のＲＢＩＤが追加されたデータを第２のＵＥに送信する。また、第２のＵＥは、第１のＵＥによって送信されたデータを第３のＲＢエンティティを使用することによって受信し、第１のＵＥの端末識別子情報を第３のＲＢエンティティと第１のＵＥの端末識別子情報との間の事前に確立された対応関係に基づいて取得し、端末識別子情報をデータに追加し、端末識別子情報が追加されたデータをネットワーク側デバイスに送信する。これにより、ネットワーク側デバイスは、受信されたデータの送信元の送信端とデータタイプとを簡便に識別する。
【０１２９】
図６を参照すると、図６は、本発明の別の実施形態に係るデータ伝送方法の概略フローチャートである。本発明のこの実施形態においては、ダウンリンクデータ伝送の応用シナリオが説明される。ここで、ネットワーク側デバイスは、送信される必要があるデータに第１のＲＢＩＤを追加し、第２のＵＥは、第１のＲＢＩＤが追加されたデータを第１のＵＥに送信する。図６に示すように、本発明のこの実施形態のデータ伝送方法は、以下の段階を備えてよい。
【０１３０】
段階Ｓ６０１．ネットワーク側デバイスが、伝送される必要があるデータの第１の無線ベアラ識別子情報を取得する。
【０１３１】
段階Ｓ６０２．ネットワーク側デバイスが、第１の無線ベアラ識別子情報をデータに追加する。
【０１３２】
任意選択的な実施形態において、ネットワーク側デバイスは、第１のＵＥと通信する第５のＰＤＣＰエンティティ層と、第２のＵＥと通信するために使用される第２のＲＢエンティティ層とを有してよい。ネットワーク側デバイスは、送信される必要があるデータを第５のＰＤＣＰエンティティ層を使用することによって第２のＲＢエンティティ層に送信する。ここで、第１のＲＢＩＤが保持され、ネットワーク側デバイスは、第２のＲＢエンティティ層において第１のＲＢＩＤをデータに追加する。
【０１３３】
任意選択的な実施形態において、ネットワーク側デバイスは、第１のＵＥと通信する第５のＲＬＣエンティティ層をさらに有してよく、ネットワーク側デバイスは、送信される必要があるデータを、第５のＲＬＣエンティティ層を使用することによって第２のＲＢエンティティ層に送信してよい。
【０１３４】
段階Ｓ６０３．ネットワーク側デバイスが、第１の無線ベアラ識別子情報が追加されたデータを第２のユーザ機器に送信する。
【０１３５】
第２のＲＢエンティティ層において第１のＲＢＩＤをデータに追加した後、ネットワーク側デバイスは、第１のＲＢＩＤが追加されたデータを、第２のＲＢエンティティ層を使用することによって第２のＵＥに送信してよい。
【０１３６】
段階Ｓ６０４．第２のユーザ機器が、データが転送される必要があるデータであると判断する。
【０１３７】
ネットワーク側デバイスによって送信されたデータを受信した後、第２のＵＥは、データが転送される必要があるデータであるかどうかを判断してよい。データが転送される必要があるデータであるとき、第２のＵＥは、端末識別子情報に対応する第１のＵＥにデータを送信してよい。データが転送される必要があるデータではないとき、第２のＵＥは、データを直接処理してよい。
【０１３８】
任意選択的な実施形態において、第２のＵＥは、第１のＲＢＩＤに基づいて、データが転送される必要があるデータであると判断してよい。具体的には、ネットワーク側デバイスがデータを第２のＵＥのみに送信する予定である場合、ネットワーク側デバイスは、第１のＲＢＩＤを追加せず、データを第２のＵＥに直接送信してよい。第２のＵＥによって受信されたデータは、第１のＲＢＩＤを含まない。第２のＵＥがデータを第１のＵＥに転送するよう、ネットワーク側デバイスがデータを第２のＵＥに送信する予定である場合、ネットワーク側デバイスは、第１のＲＢＩＤを追加し、第１のＲＢＩＤが追加されたデータを第２のＵＥに送信してよい。第２のＵＥによって受信されたデータパケットは、第１のＲＢＩＤを含む。言い換えれば、第２のＵＥは、受信されたデータが第１のＲＢＩＤを含むかどうかを判断してよく、受信されたデータが第１のＲＢＩＤを含むとき、第２のＵＥは、データが転送される必要があるデータであると判断してよい。
【０１３９】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の送信端が第１のＵＥである１または複数のデータを伝送するために使用される。
【０１４０】
段階Ｓ６０５．第２のユーザ機器が、第１の無線ベアラ識別子情報が追加されたデータを第１のユーザ機器に送信する。
【０１４１】
本発明のこの実施形態において、第２のＵＥが第１のＵＥのみの中継機として使用されるようネットワーク側デバイスが構成する場合、データが転送される必要があるデータであると判断した後、第２のＵＥは、第１のＲＢＩＤが追加されたデータを第１のＵＥに直接送信してよい。
【０１４２】
任意選択的な実施形態において、第１のＵＥと通信するために使用される第３のＰＤＣＰエンティティ層が第２のＵＥのために構成され、第３のＰＤＣＰエンティティ層が第１のＵＥの第１のＲＢエンティティと一対一の対応関係にあるとき、第２のＵＥは、第１のＲＢエンティティに対応する第３のＰＤＣＰエンティティ層を第１のＲＢＩＤに基づいて判断し、第３のＰＤＣＰエンティティ層においてデータから第１のＲＢＩＤを削除し、第１のＲＢＩＤが削除されたデータを第３のＰＤＣＰエンティティ層を使用することによって第１のＵＥに送信してよい。
【０１４３】
第１のＵＥと通信するために使用される第３のＰＤＣＰエンティティ層が第２のＵＥのために構成されないとき、第２のＵＥは、第１のＲＢエンティティに対応する第３のＲＬＣエンティティ層を第１のＲＢＩＤに基づいて判断し、第３のＲＬＣエンティティ層においてデータから第１のＲＢＩＤを削除し、第１のＲＢＩＤが削除されたデータを、第３のＲＬＣエンティティ層を使用することによって第１のＵＥに送信する。
【０１４４】
図６に示された実施形態において、ネットワーク側デバイスは、伝送される必要があるデータの第１のＲＢＩＤを取得し、第１のＲＢＩＤをデータに追加し、第１のＲＢＩＤが追加されたデータを第２のＵＥに送信し、第２のＵＥは、第１のＲＢＩＤが追加されたデータを第１のＵＥに送信する。これにより、第１のＵＥは、受信されたデータのデータタイプを簡便に識別する。
【０１４５】
図７を参照すると、図７は、本発明の別の実施形態に係るデータ伝送方法の概略フローチャートである。本発明のこの実施形態において、アップリンクデータ伝送の応用シナリオが説明される。ここで、第１のＵＥは、送信される必要があるデータに第１のＵＥの端末識別子情報を追加し、第２のＵＥは、第１のＵＥの端末識別子情報が追加されたデータに第１のＲＢＩＤを追加する。図７に示すように、本発明のこの実施形態のデータ伝送方法は、以下の段階を備えてよい。
【０１４６】
段階Ｓ７０１．第１のユーザ機器が、送信される必要があるデータに第１のユーザ機器の端末識別子情報を追加する。
【０１４７】
データを送信する必要があるとき、第１のＵＥは、第１のＵＥの端末識別子情報を取得し、送信される必要があるデータに第１のＵＥの端末識別子情報を追加してよい。
【０１４８】
任意選択的な実施形態において、第１のＵＥは、データを含むデータパケットのヘッダに第１のＵＥの端末識別子情報を追加してよい。例えば、第１のＰＤＣＰ層においてデータに対してセキュア処理を行ってＰＤＵデータパケットを取得した後、第１のＵＥは、ＰＤＵデータパケットのヘッダに１つのフィールドを追加してよい。ここで、当該フィールドは、第１のＵＥの端末識別子情報を追加するために使用される。別の例の場合、第１のＰＤＣＰ層においてデータに対してセキュア処理を行うことによってＰＤＵデータパケットを取得した後、第１のＵＥは、セキュア処理の後に取得されたＰＤＵデータパケットを第１のＲＬＣ層に転送し、第１のＲＬＣ層においてＰＤＵデータパケットのヘッダに２つのフィールドを追加してよい。ここで、当該フィールドはそれぞれ、第１のＲＢＩＤおよび端末識別子情報を追加するために使用される。
【０１４９】
段階Ｓ７０２．第１のユーザ機器が、端末識別子情報が追加されたデータを第２のユーザ機器に送信する。
【０１５０】
段階Ｓ７０３．第２のユーザ機器が、第１のユーザ機器によって送信されたデータを、第３の無線ベアラエンティティを使用することによって受信する。
【０１５１】
第２のＵＥは、第１のＵＥによって送信されたデータを、第１のＵＥと通信するために使用される第３のＲＢエンティティを使用することによって受信してよい。第２のＵＥは、第１のＵＥと通信するために使用される第３のＰＤＣＰ層を有してよく、第３のＰＤＣＰ層は、少なくとも１つのＰＤＣＰ処理プロセスを含み、各ＰＤＣＰ処理プロセスは、第３のＲＢエンティティに対応し、第３のＲＢエンティティは、第２のＵＥと第１のＵＥとの間の通信に使用される。本発明のこの実施形態において、ネットワーク側デバイスは、第１のＵＥの第１のＲＢが第２のＵＥの第３のＲＢと一対一の対応関係にあるよう構成し、第２のＵＥは、第３のＲＢと第１のＲＢＩＤとの間の対応関係を事前に確立してよい。
【０１５２】
任意選択的な実施形態において、第１のＵＥと通信するために使用される第３のＰＤＣＰエンティティ層が第２のＵＥのために構成されたとき、第２のＵＥは、第１のＵＥによって送信されたデータを第３のＰＤＣＰエンティティ層において受信する。
【０１５３】
任意選択的な実施形態において、第３のＰＤＣＰ層が第２のＵＥのために構成されないとき、第２のＵＥは、第１のＵＥによって送信されたデータを、第１のＵＥと通信するために使用される第３のＲＬＣエンティティ層において受信する。
【０１５４】
段階Ｓ７０４．第２のユーザ機器が、データが転送される必要があるデータであると判断する。
【０１５５】
第１のＵＥによって送信されたデータを受信した後、第２のＵＥは、データが転送される必要があるデータであるかどうかを判断してよい。データが転送される必要があるデータであるとき、第２のＵＥは、データをネットワーク側デバイスに送信してよい。データが転送される必要があるデータではないとき、第２のＵＥは、データを直接処理してよい。
【０１５６】
任意選択的な実施形態において、第２のＵＥは、第１のＲＢＩＤに基づいて、データが転送される必要があるデータであると判断してよい。具体的には、第１のＵＥが第２のＵＥのみにデータを送信する予定である場合、第１のＵＥは、端末識別子情報を追加せず、データを第２のＵＥに直接送信してよい。第２のＵＥによって受信されたデータは、端末識別子情報を含まない。第２のＵＥがデータをネットワーク側デバイスに転送するよう、第１のＵＥがデータを第２のＵＥに送信する予定である場合、第１のＵＥは、第１のＵＥの端末識別子情報を追加し、端末識別子情報が追加されたデータを第２のＵＥに送信してよい。第２のＵＥによって受信されたデータは、端末識別子情報を含む。言い換えれば、第２のＵＥは、受信されたデータが端末識別子情報を含むかどうかを判断してよく、受信されたデータが端末識別子情報を含むとき、第２のＵＥは、データが転送される必要があるデータであると判断してよい。
【０１５７】
任意選択的な実施形態において、第２のＵＥは、データの伝送リンク属性に基づいて、データが転送される必要があるデータであると判断してよい。伝送リンク属性は、第１のＵＥと第２のＵＥとの間の伝送リンクが、第１のＵＥとネットワーク側デバイスとの間の第１のＲＢと一対一の対応関係にあることを示すために使用される。伝送リンク属性は、データが転送される必要があるかどうかを示す識別子を含んでよい。任意選択で、伝送リンク属性は、伝送リンクによって取り扱われるユーザの識別子、または、伝送リンクによって取り扱われるユーザのＲＢＩＤをさらに含んでよい。
【０１５８】
段階Ｓ７０５．第２のユーザ機器が、第１の無線ベアラ識別子情報を第３の無線ベアラエンティティと第１の無線ベアラ識別子情報との間の事前に確立された対応関係に基づいて取得する。
【０１５９】
段階Ｓ７０６．第２のユーザ機器が、第１の無線ベアラ識別子情報をデータに追加する。
【０１６０】
任意選択的な実施形態において、第２のＵＥは、データの伝送リンク属性に基づいて、第１のＲＢＩＤをデータに追加してよい。
【０１６１】
任意選択的な実施形態において、第１のＵＥによって送信されたデータを第３のＰＤＣＰエンティティ層において受信した後、第２のＵＥは、第３のＰＤＣＰエンティティ層において第１のＲＢＩＤをデータに追加してよい。
【０１６２】
任意選択的な実施形態において、第１のＵＥによって送信されたデータを第３のＲＬＣエンティティ層において受信した後、第２のＵＥは、第３のＲＬＣエンティティ層において第１のＲＢＩＤをデータに追加してよい。
【０１６３】
任意選択的な実施形態において、第２のＵＥは、ネットワーク側デバイスと通信するために使用される第４のＰＤＣＰエンティティ層、第４のＲＬＣエンティティ層、または第４のＭＡＣエンティティ層において、第１のＲＢＩＤをデータに追加してよい。
【０１６４】
第２のＵＥは、限定されないが先述のエンティティ層を含む層において、端末識別子情報をデータに追加することに留意すべきである。例えば、第２のＵＥは、アダプテーション層において端末識別子情報をデータに追加してよい。具体的事項は、本発明のこの実施形態において限定されない。
【０１６５】
段階Ｓ７０７．第２のユーザ機器が、第１の無線ベアラ識別子情報が追加されたデータをネットワーク側デバイスに送信する。
【０１６６】
段階Ｓ７０８．ネットワーク側デバイスは、第１のＲＢＩＤに基づいてデータのデータタイプを判断し、端末識別子情報に基づいて、データの送信元の送信端が第１のユーザ機器であると判断する。
【０１６７】
図７に示される実施形態において、第１のＵＥは、送信される必要があるデータに第１のＵＥの端末識別子情報を追加し、端末識別子情報が追加されたデータを第２のＵＥに送信する。また、第２のＵＥは、第１のＵＥによって送信されたデータを、第３のＲＢエンティティを使用することによって受信し、第１のＲＢＩＤを第３のＲＢエンティティと第１のＲＢＩＤとの間の事前に確立された対応関係に基づいて取得し、第１のＲＢＩＤをデータに追加し、第１のＲＢＩＤが追加されたデータをネットワーク側デバイスに送信する。
【０１６８】
図８を参照すると、図８は、本発明の別の実施形態に係るデータ伝送方法の概略フローチャートである。本発明のこの実施形態において、ダウンリンクデータ伝送の応用シナリオが説明される。ここで、ネットワーク側デバイスは、送信される必要があるデータに第１のＵＥの端末識別子情報を追加し、第２のＵＥは、第１のＵＥの端末識別子情報が追加されたデータに第１のＲＢＩＤを追加する。図８に示すように、本発明のこの実施形態のデータ伝送方法は、以下の段階を備えてよい。
【０１６９】
段階Ｓ８０１．ネットワーク側デバイスが、第１のユーザ機器の端末識別子情報を取得する。
【０１７０】
段階Ｓ８０２．ネットワーク側デバイスが、送信される必要があるデータに端末識別子情報を追加する。
【０１７１】
任意選択的な実施形態において、ネットワーク側デバイスは、第１のＵＥと通信する第５のＰＤＣＰエンティティ層と、第２のＵＥと通信するために使用される第２のＲＢエンティティ層とを有してよい。ネットワーク側デバイスは、送信される必要があるデータを第５のＰＤＣＰエンティティ層を使用することによって第２のＲＢエンティティ層に送信する。ここで、第１のＵＥの端末識別子情報が保持され、ネットワーク側デバイスは、第２のＲＢエンティティ層において第１のＵＥの端末識別子情報をデータに追加する。
【０１７２】
任意選択的な実施形態において、ネットワーク側デバイスは、第１のＵＥと通信する第５のＲＬＣエンティティ層をさらに有してよく、ネットワーク側デバイスは、送信される必要があるデータを、第５のＲＬＣエンティティ層を使用することによって第２のＲＢエンティティ層に送信してよい。
【０１７３】
段階Ｓ８０３．ネットワーク側デバイスが、端末識別子情報が追加されたデータを第２のユーザ機器に送信する。
【０１７４】
第２のＲＢエンティティ層において第１のＵＥの端末識別子情報をデータに追加した後、ネットワーク側デバイスは、第１のＵＥの端末識別子情報が追加されたデータを、第２のＲＢエンティティ層を使用することによって第２のＵＥに送信してよい。
【０１７５】
段階Ｓ８０４．第２のユーザ機器が、データが転送される必要があるデータであると判断する。
【０１７６】
ネットワーク側デバイスによって送信されたデータを受信した後、第２のＵＥは、データが転送される必要があるデータであるかどうかを判断してよい。データが転送される必要があるデータであるとき、第２のＵＥは、データを端末識別子情報に対応する第１のＵＥに送信してよい。データが転送される必要があるデータではないとき、第２のＵＥは、データを直接処理してよい。
【０１７７】
任意選択的な実施形態において、第２のＵＥは、端末識別子情報に基づいて、データが転送される必要があるデータであると判断してよい。具体的には、ネットワーク側デバイスがデータを第２のＵＥのみに送信する予定である場合、ネットワーク側デバイスは、端末識別子情報を追加せず、データを第２のＵＥに直接送信してよい。第２のＵＥによって受信されたデータは、端末識別子情報を含まない。第２のＵＥがデータを第１のＵＥに転送するよう、ネットワーク側デバイスがデータを第２のＵＥに送信する予定である場合、ネットワーク側デバイスは、第１のＵＥの端末識別子情報を追加し、第１のＵＥの端末識別子情報が追加されたデータを第２のＵＥに送信してよい。第２のＵＥによって受信されたデータは、端末識別子情報を含む。言い換えれば、第２のＵＥは、受信されたデータが端末識別子情報を含むかどうかを判断してよく、受信されたデータが端末識別子情報を含むとき、第２のＵＥは、データが転送される必要があるデータであると判断してよい。
【０１７８】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の受信端が第１のＵＥである１または複数のデータを伝送するために使用される。
【０１７９】
段階Ｓ８０５．第２のユーザ機器が、データの第１の無線ベアラ識別子情報を取得する。
【０１８０】
本発明のこの実施形態において、第２のＵＥが第１のＵＥのみの中継機として使用されるようネットワーク側デバイスが構成する場合、第２のＵＥは、ローカルに記憶されたデータの第１のＲＢＩＤを取得してよい。
【０１８１】
段階Ｓ８０６．第２のユーザ機器が、第１の無線ベアラ識別子情報をデータに追加する。
【０１８２】
段階Ｓ８０７．第２のユーザ機器が、第１の無線ベアラ識別子情報が追加されたデータを第１のユーザ機器に送信する。
【０１８３】
任意選択的な実施形態において、第１のＵＥと通信するために使用される第３のＰＤＣＰエンティティ層が第２のＵＥのために構成され、第３のＰＤＣＰエンティティ層が第１のＵＥの第１のＲＢエンティティと一対一の対応関係にあるとき、第２のＵＥは、第１のＲＢエンティティに対応する第３のＰＤＣＰエンティティ層を第１のＲＢＩＤに基づいて判断し、第３のＰＤＣＰエンティティ層においてデータから第１のＲＢＩＤおよび端末識別子情報を削除し、第１のＲＢＩＤおよび端末識別子情報が削除されたデータを、第３のＰＤＣＰエンティティ層を使用することによって第１のＵＥに送信してよい。
【０１８４】
第３のＰＤＣＰエンティティ層が第２のＵＥのために構成されないとき、第２のＵＥは、第１のＲＢエンティティに対応する第３のＲＬＣエンティティ層を第１のＲＢＩＤに基づいて判断し、第３のＲＬＣエンティティ層においてデータから第１のＲＢＩＤおよび端末識別子情報を削除し、第１のＲＢＩＤおよび端末識別子情報が削除されたデータを、第３のＲＬＣエンティティ層を使用することによって第１のＵＥに送信する。
【０１８５】
図８に示される実施形態において、ネットワーク側デバイスは、第１のＵＥの端末識別子情報を取得し、端末識別子情報をデータに追加し、端末識別子情報が追加されたデータを第２のＵＥに送信する。また、第２のＵＥは、第１のＲＢＩＤを取得し、第１のＲＢＩＤをデータに追加し、第１のＲＢＩＤが追加されたデータを第１のＵＥに送信する。これにより、第１のＵＥは、受信されたデータのデータタイプを簡便に識別する。
【０１８６】
図９を参照すると、図９は、本発明の別の実施形態に係るデータ伝送方法の概略フローチャートである。本発明のこの実施形態においては、アップリンクデータ伝送の応用シナリオが説明される。ここで、第２のＵＥは、第１のＵＥおよび第１のＲＢＩＤの端末識別子情報をデータに追加する。図９に示すように、本発明のこの実施形態のデータ伝送方法は、以下の段階を備えてよい。
【０１８７】
段階Ｓ９０１．第１のユーザ機器が、送信される必要があるデータを第２のユーザ機器に送信する。
【０１８８】
データを送信する必要があるとき、第１のＵＥは、送信される必要があるデータを第２のＵＥに直接送信してよい。
【０１８９】
段階Ｓ９０２．第２のユーザ機器が、第１のユーザ機器によって送信されたデータを、第３の無線ベアラエンティティを使用することによって受信する。
【０１９０】
第２のＵＥは、第１のＵＥによって送信されたデータを、第１のＵＥと通信するために使用される第３のＲＢエンティティを使用することによって受信してよい。第２のＵＥは、第１のＵＥと通信するために使用される第３のＰＤＣＰ層を有してよく、第３のＰＤＣＰ層は、少なくとも１つのＰＤＣＰ処理プロセスを含み、各ＰＤＣＰ処理プロセスは、第３のＲＢエンティティに対応し、第３のＲＢエンティティは、第２のＵＥと第１のＵＥとの間の通信に使用される。本発明のこの実施形態において、ネットワーク側デバイスは、第１のＵＥの第１のＲＢが第２のＵＥの第３のＲＢと一対一の対応関係にあるよう構成し、第２のＵＥは、第３のＲＢと第１のＵＥの端末識別子情報および第１のＲＢＩＤとの間の対応関係を事前に確立してよい。
【０１９１】
任意選択的な実施形態において、第１のＵＥと通信するために使用される第３のＰＤＣＰエンティティ層が第２のＵＥのために構成されたとき、第２のＵＥは、第１のＵＥによって送信されたデータを第３のＰＤＣＰエンティティ層において受信する。
【０１９２】
任意選択的な実施形態において、第３のＰＤＣＰ層が第２のＵＥのために構成されないとき、第２のＵＥは、第１のＵＥによって送信されたデータを、第３のＲＬＣエンティティ層において受信する。
【０１９３】
段階Ｓ９０３．第２のユーザ機器が、データが転送される必要があるデータであると判断する。
【０１９４】
具体的な実装例において、第２のＵＥは、データの伝送リンク属性に基づいて、データが転送される必要があるデータであると判断してよい。
【０１９５】
段階Ｓ９０４．第２のユーザ機器が、データの第１の無線ベアラ識別子情報と第１のユーザ機器の端末識別子情報とを、第３の無線ベアラエンティティと第１の無線ベアラ識別子情報および端末識別子情報との間の事前に確立された対応関係に基づいて取得する。
【０１９６】
段階Ｓ９０５．第２のユーザ機器が、第１の無線ベアラ識別子情報および端末識別子情報をデータに追加する。
【０１９７】
任意選択的な実施形態において、第２のＵＥは、データの伝送リンク属性に基づいて、第１のＲＢＩＤおよび端末識別子情報をデータに追加してよい。
【０１９８】
任意選択的な実施形態において、第１のＵＥによって送信されたデータを第３のＰＤＣＰエンティティ層において受信した後、第２のＵＥは、第３のＰＤＣＰエンティティ層において第１のＲＢＩＤおよび端末識別子情報をデータに追加してよい。
【０１９９】
任意選択的な実施形態において、第１のＵＥによって送信されたデータを第３のＲＬＣエンティティ層において受信した後、第２のＵＥは、第３のＲＬＣエンティティ層において第１のＲＢＩＤおよび端末識別子情報をデータに追加してよい。
【０２００】
任意選択的な実施形態において、第２のＵＥは、ネットワーク側デバイスと通信するために使用される第４のＰＤＣＰエンティティ層、第４のＲＬＣエンティティ層、または第４のＭＡＣエンティティ層において、第１のＲＢＩＤおよび端末識別子情報をデータに追加してよい。
【０２０１】
第２のＵＥは、限定されないが先述のエンティティ層を含む層において、端末識別子情報をデータに追加することに留意すべきである。例えば、第２のＵＥは、アダプテーション層において端末識別子情報をデータに追加してよい。具体的事項は、本発明のこの実施形態において限定されない。
【０２０２】
段階Ｓ９０６．第２のユーザ機器が、第１の無線ベアラ識別子情報および端末識別子情報が追加されたデータをネットワーク側デバイスに送信する。
【０２０３】
段階Ｓ９０７．ネットワーク側デバイスが、第１のＲＢＩＤに基づいてデータのデータタイプを判断し、端末識別子情報に基づいて、データの送信元の送信端が第１のユーザ機器であると判断する。
【０２０４】
図９に示される実施形態において、第１のＵＥは、送信される必要があるデータを第２のＵＥに送信する。また、第２のＵＥは、第１のＵＥによって送信されたデータを第３のＲＢエンティティを使用することによって受信し、データの第１のＲＢＩＤと第１のＵＥの端末識別子情報とを、第３のＲＢエンティティと第１のＲＢＩＤおよび端末識別子情報との間の事前に確立された対応関係とに基づいて取得し、第１のＲＢＩＤおよび端末識別子情報をデータに追加し、第１のＲＢＩＤおよび端末識別子情報が追加されたデータをネットワーク側デバイスに送信する。これにより、ネットワーク側デバイスは、受信されたデータの送信元の送信端およびデータタイプを簡便に識別する。
【０２０５】
図１０を参照すると、図１０は、本発明の別の実施形態に係るデータ伝送方法の概略フローチャートである。本発明のこの実施形態においては、ダウンリンクデータ伝送の応用シナリオが説明される。ここで、第２のＵＥは、第１のＲＢＩＤをデータに追加する。図１０に示すように、本発明のこの実施形態のデータ伝送方法は、以下の段階を備えてよい。
【０２０６】
段階Ｓ１００１．ネットワーク側デバイスが、送信される必要があるデータを第２のユーザ機器に送信する。ここで、データは、第１の無線ベアラ識別子情報と第１のユーザ機器の端末識別子情報とを保持する。
【０２０７】
段階Ｓ１００２．第２のユーザ機器が、データが転送される必要があるデータであると判断する。
【０２０８】
ネットワーク側デバイスによって送信されたデータを受信した後、第２のＵＥは、データが転送される必要があるデータであるかどうかを判断してよい。データが転送される必要があるデータであるとき、第２のＵＥは、データを端末識別子情報に対応する第１のＵＥに送信してよい。データが転送される必要があるデータではないとき、第２のＵＥは、データを直接処理してよい。
【０２０９】
任意選択的な実施形態において、第２のＵＥは、第１のＲＢＩＤおよび／または端末識別子情報に基づいて、データが転送される必要があるデータであると判断してよい。具体的には、ネットワーク側デバイスがデータを第２のＵＥのみに送信する予定である場合、ネットワーク側デバイスは、第１のＲＢＩＤおよび／または端末識別子情報を追加せず、データを第２のＵＥに直接送信してよい。第２のＵＥによって受信されたデータは、第１のＲＢＩＤも端末識別子情報も含まない。第２のＵＥがデータを第１のＵＥに転送するよう、ネットワーク側デバイスがデータを第２のＵＥに送信する予定である場合、ネットワーク側デバイスは、第１のＲＢＩＤおよび／または端末識別子情報を追加し、第１のＲＢＩＤおよび／または端末識別子情報が追加されたデータを第２のＵＥに送信してよい。第２のＵＥによって受信されたデータは、第１のＲＢＩＤまたは端末識別子情報を含む。言い換えれば、第２のＵＥは、受信されたデータが第１のＲＢＩＤまたは端末識別子情報を含むかどうかを判断してよく、受信されたデータが第１のＲＢＩＤまたは端末識別子情報を含むとき、第２のＵＥは、データが転送される必要があるデータであると判断してよい。
【０２１０】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の送信端が第１のＵＥである１または複数のデータを伝送するために使用される。
【０２１１】
段階Ｓ１００３．第２のユーザ機器が、第１の無線ベアラ識別子情報をデータに追加する。
【０２１２】
段階Ｓ１００４．第２のユーザ機器が、第１の無線ベアラ識別子情報が追加されたデータを、端末識別子情報に基づいて第１のユーザ機器に送信する。
【０２１３】
任意選択的な実施形態において、第１のＵＥと通信するために使用される第３のＰＤＣＰエンティティ層が第２のＵＥのために構成され、第３のＰＤＣＰエンティティ層が第１のＵＥの第１のＲＢエンティティと一対一の対応関係にあるとき、第２のＵＥは、第１のＲＢエンティティに対応する第３のＰＤＣＰエンティティ層を第１のＲＢＩＤに基づいて判断し、第３のＰＤＣＰエンティティ層においてデータから第１のＲＢＩＤおよび端末識別子情報を削除し、第１のＲＢＩＤおよび端末識別子情報が削除されたデータを、第３のＰＤＣＰエンティティ層を使用することによって第１のＵＥに送信してよい。
【０２１４】
第３のＰＤＣＰエンティティ層が第２のＵＥのために構成されないとき、第２のＵＥは、第１のＲＢエンティティに対応する第３のＲＬＣエンティティ層を第１のＲＢＩＤに基づいて判断し、第３のＲＬＣエンティティ層においてデータから第１のＲＢＩＤおよび端末識別子情報を削除し、第１のＲＢＩＤおよび端末識別子情報が削除されたデータを、第３のＲＬＣエンティティ層使用することによって第１のＵＥに送信してよい。
【０２１５】
図１０に示される実施形態において、ネットワーク側デバイスは、送信される必要があるデータを第２のＵＥに送信する。ここで、データは、第１のＲＢＩＤおよび第１のＵＥの端末識別子情報を保持する。また、第２のＵＥは、第１のＲＢＩＤをデータに追加し、第１のＲＢＩＤが追加されたデータを、端末識別子情報に基づいて第１のＵＥに送信する。これにより、第１のＵＥは、受信されたデータのデータタイプを簡便に識別する。
【０２１６】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも処理モジュール１１０１と送信モジュール１１０２とを備えてよい。
【０２１７】
処理モジュール１１０１は、転送される必要があるデータに第１のＲＢＩＤおよび／または第１のＵＥの端末識別子情報を追加するよう構成される。ここで、第１のＲＢＩＤに対応する第１のＲＢは、第１のＵＥとネットワーク側デバイスとの間に位置する。
【０２１８】
送信モジュール１１０２は、第２のＵＥがデータを転送するように、データを第２のＵＥに送信するよう構成される。ここで、データは、処理モジュール１１０１によって追加された第１のＲＢＩＤおよび／または端末識別子情報を含む。
【０２１９】
任意選択的な実施形態において、処理モジュール１１０１は具体的に、データを含むデータパケットのヘッダに第１のＲＢＩＤおよび／または第１のＵＥの端末識別子情報を追加するよう構成される。
【０２２０】
任意選択的な実施形態において、本発明のこの実施形態の装置は、第２のＵＥによって転送されたネットワーク側デバイスのデータを受信するよう構成される受信モジュール１１０３をさらに備えてよい。ここで、データは、第１のＲＢＩＤを保持する。
【０２２１】
処理モジュール１１０１はさらに、受信モジュール１１０３によって受信されたデータのデータタイプを、第１のＲＢＩＤに基づいて取得するよう構成される。ここで、データタイプは、サービスまたはシグナリングを含む。
【０２２２】
任意選択的な実施形態において、送信モジュール１１０２は具体的に、第１のＲＢＩＤおよび／または端末識別子情報が追加されたデータを、事前に確立された第２のＵＥへの通信接続を使用することによって第２のＵＥに送信するよう構成される。これにより、第２のＵＥは、第１のＲＢＩＤおよび／または端末識別子情報が追加されたデータをネットワーク側デバイスに送信する。ここで、当該通信接続は、Ｄ２Ｄ接続、ブルートゥース（登録商標）接続、またはＷｉＦｉ（登録商標）接続を含む。
【０２２３】
任意選択的な実施形態において、装置のモジュールは、第１のＵＥと第２のＵＥとの間の通信に使用されるＰＤＣＰ処理層に位置するか、または、第１のＵＥとネットワーク側デバイスとの間の通信に使用されるＰＤＣＰ処理層に位置するか、または、第１のＵＥと第２のＵＥとの間の通信に使用されるＲＬＣエンティティ層に位置する。
【０２２４】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２２５】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１と送信モジュール１１０２とを備えてよい。
【０２２６】
受信モジュール１１０３は、第１のＵＥによって送信されたデータを受信するよう構成される。ここで、データは、第１のＲＢＩＤおよび／または第１のＵＥの端末識別子情報を保持する。
【０２２７】
処理モジュール１１０１は、受信モジュール１１０３によって受信されたデータが転送される必要があるデータであると判断するよう構成される。
【０２２８】
送信モジュール１１０２は、処理モジュール１１０１によって処理されたデータをネットワーク側デバイスに送信するよう構成される。
【０２２９】
任意選択的な実施形態において、受信モジュール１１０３はさらに、ネットワーク側デバイスによって送信されたデータを受信するよう構成される。ここで、データは、第１のＲＢＩＤおよび／または第１のＵＥの端末識別子情報を保持する。
【０２３０】
処理モジュール１１０１はさらに、データが転送される必要があるデータであると判断するよう構成される。
【０２３１】
送信モジュール１１０２はさらに、端末識別子情報に基づいてデータを第１のＵＥに送信するよう構成される。
【０２３２】
任意選択的な実施形態において、データが転送される必要があるデータであると判断するとき、処理モジュール１１０１は具体的に、データが転送される必要があるデータであると第１のＲＢＩＤおよび／または端末識別子情報に基づいて判断するよう構成される。
【０２３３】
任意選択的な実施形態において、データが転送される必要があるデータであると判断するとき、処理モジュール１１０１は具体的に、データが転送される必要があるデータであるとデータの伝送リンク属性に基づいて判断するよう構成される。ここで、伝送リンク属性は、第１のＵＥと第２のＵＥとの間の伝送リンクが第１のＵＥとネットワーク側デバイスとの間の第１のＲＢと一対一の対応関係にあることを示すために使用され、伝送リンク属性は、データが転送される必要があるかどうかを示す識別子を含む。
【０２３４】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２３５】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１とを備えてよい。
【０２３６】
受信モジュール１１０３は、第２のＵＥによって転送された第１のＵＥのデータを受信するよう構成される。ここで、データは、第１のＲＢＩＤおよび／または第１のＵＥの端末識別子情報を保持し、第１のＲＢＩＤに対応する第１のＲＢは、第１のＵＥとネットワーク側デバイスとの間に位置する。
【０２３７】
処理モジュール１１０１は、受信モジュール１１０３によって受信されたデータのデータタイプを第１のＲＢＩＤに基づいて判断し、受信モジュール１１０３によって受信されたデータの送信元の送信端が第１のＵＥであると端末識別子情報に基づいて判断するよう構成される。ここで、データタイプは、サービスまたはシグナリングを含む。
【０２３８】
任意選択的な実施形態において、処理モジュール１１０１はさらに、受信モジュール１１０３によって受信されたデータを、第１のＲＢＩＤおよび端末識別子情報に対応するＰＤＣＰ処理プロセスを使用することによって処理するよう構成される。ここで、ＰＤＣＰ処理プロセスは、第１のＲＢＩＤおよび端末識別子情報と一対一の対応関係にある。
【０２３９】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２４０】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも処理モジュール１１０１と送信モジュール１１０２とを備えてよい。
【０２４１】
処理モジュール１１０１は、伝送される必要があるデータの第１のＲＢＩＤおよび／または第１のＵＥの端末識別子情報を取得するよう構成される。
【０２４２】
処理モジュール１１０１はさらに、第１のＲＢＩＤおよび／または端末識別子情報をデータに追加するよう構成される。
【０２４３】
送信モジュール１１０２は、第１のＲＢＩＤおよび／または端末識別子情報が追加されたデータを第２のＵＥに送信するよう構成される。これにより、第２のＵＥは、データを第１のＵＥに転送する。
【０２４４】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２４５】
図１１を参照すると、図１１は、本発明の一実施形態に係るデータ伝送装置の概略構造図である。本発明のこの実施形態において提供されるデータ伝送装置は、本発明における図５から図１０に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１と送信モジュール１１０２とを備えてよい。
【０２４６】
受信モジュール１１０３は、第１のＵＥによって送信されたデータを、第１のＵＥと通信するために使用された第３のＲＢエンティティを使用することによって受信するよう構成される。
【０２４７】
処理モジュール１１０１は、受信モジュール１１０３によって受信されたデータの第１のＲＢＩＤおよび／または第１のＵＥの端末識別子情報を、第３のＲＢエンティティと第１のＲＢＩＤおよび／または端末識別子情報との間の事前に確立された対応関係に基づいて取得するよう構成される。
【０２４８】
処理モジュール１１０１はさらに、第１のＲＢＩＤおよび／または端末識別子情報をデータに追加するよう構成される。
【０２４９】
送信モジュール１１０２は、データをネットワーク側デバイスに送信するよう構成される。ここで、データは、処理モジュール１１０１によって追加された第１のＲＢＩＤおよび／または端末識別子情報を含む。
【０２５０】
任意選択的な実施形態において、処理モジュール１１０１はさらに、データの第１のＲＢＩＤおよび／または第１のＵＥの端末識別子情報を取得した後、データが転送される必要があるデータであると第１のＲＢＩＤおよび／または端末識別子情報に基づいて判断するよう構成されるか、または、処理モジュール１１０１はさらに、データの第１のＲＢＩＤおよび／または第１のＵＥの端末識別子情報を取得した後、データが転送される必要があるデータであるとデータの伝送リンク属性に基づいて判断するよう構成される。
【０２５１】
任意選択的な実施形態において、処理モジュール１１０１は具体的に、第１のＲＢＩＤおよび／または端末識別子情報をデータの伝送リンク属性に基づいてデータに追加するよう構成される。
【０２５２】
任意選択的な実施形態において、受信モジュール１１０３は具体的に、第１のＵＥと通信するために使用される第３のＰＤＣＰエンティティ層が第２のＵＥのために構成されたとき、第１のＵＥによって送信されたデータを第３のＰＤＣＰエンティティ層において受信するよう構成され、処理モジュール１１０１は具体的に、第３のＰＤＣＰエンティティ層において第１のＲＢＩＤおよび／または端末識別子情報をデータに追加するよう構成される。
【０２５３】
任意選択的な実施形態において、受信モジュール１１０３は具体的に、第１のＵＥと通信するために使用される第３のＰＤＣＰエンティティ層が第２のＵＥのために構成されないとき、第１のＵＥによって送信されたデータを第１のＵＥと通信するために使用される第３のＲＬＣエンティティ層において受信するよう構成され、処理モジュール１１０１は具体的に、第３のＲＬＣエンティティ層において第１のＲＢＩＤおよび／または端末識別子情報をデータに追加するよう構成される。
【０２５４】
任意選択的な実施形態において、処理モジュール１１０１は具体的に、ネットワーク側デバイスと通信するために使用される第４のＰＤＣＰエンティティ層、第４のＲＬＣエンティティ層、または第４のＭＡＣエンティティ層において、第１のＲＢＩＤおよび／または端末識別子情報をデータに追加するよう構成される。
【０２５５】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２５６】
図１１を参照すると、図１１は、本発明の一実施形態に係るデータ伝送装置の概略構造図である。本発明のこの実施形態において提供されるデータ伝送装置は、本発明における図５から図１０に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１と送信モジュール１１０２とを備えてよい。
【０２５７】
受信モジュール１１０３は、ネットワーク側デバイスによって送信されたデータを受信するよう構成される。ここで、データは、第１のＲＢＩＤおよび／または第１のＵＥの端末識別子情報を保持し、第１のＲＢＩＤに対応する第１のＲＢは、第１のＵＥとネットワーク側デバイスとの間に位置する。
【０２５８】
処理モジュール１１０１は、受信モジュール１１０３によって受信されたデータが転送される必要があるデータであると第１のＲＢＩＤおよび／または端末識別子情報に基づいて判断するよう構成される。
【０２５９】
送信モジュール１１０２は、データを端末識別子情報に基づいて第１のＵＥに送信するよう構成される。
【０２６０】
任意選択的な実施形態において、データを端末識別子情報に基づいて第１のＵＥに送信するとき、送信モジュール１１０２は具体的に、第１のＵＥと通信するために使用される第３のＰＤＣＰエンティティ層が第２のＵＥのために構成されず、第３のＰＤＣＰエンティティ層が第１のＵＥの第１のＲＢエンティティと一対一の対応関係にあるとき、第１のＲＢＩＤおよび／または端末識別子情報に基づいて第１のＲＢエンティティに対応する第３のＰＤＣＰエンティティ層を判断し、第３のＰＤＣＰエンティティ層においてデータから第１のＲＢＩＤおよび／または端末識別子情報を削除し、第１のＲＢＩＤおよび／または端末識別子情報が削除されたデータを、第３のＰＤＣＰエンティティ層を使用することによって第１のＵＥに送信するよう構成される。
【０２６１】
任意選択的な実施形態において、データを端末識別子情報に対応する第１のＵＥに送信するとき、送信モジュール１１０２が具体的に、第１のＵＥと通信するために使用される第３のＰＤＣＰエンティティ層が第２のＵＥのために構成されないとき、第１のＲＢエンティティに対応する第３のＲＬＣエンティティ層であって、第２のＵＥと第１のＵＥとの間の通信に使用される第３のＲＬＣエンティティ層を第１のＲＢＩＤおよび／または端末識別子情報に基づいて判断し、第３のＲＬＣエンティティ層においてデータから第１のＲＢＩＤおよび／または端末識別子情報を削除し、第１のＲＢＩＤおよび／または端末識別子情報が削除されたデータを、第３のＲＬＣエンティティ層を使用することによって第１のＵＥに送信するよう構成される。
【０２６２】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２６３】
図１１を参照すると、図１１は、本発明の一実施形態に係るデータ伝送装置の概略構造図である。本発明のこの実施形態において提供されるデータ伝送装置は、本発明における図５から図１０に関連して説明されたデータ伝送方法の実施形態の一部または全部の手順を実装するよう構成されてよい。図１１に示すように、本発明のこの実施形態のデータ伝送装置は、少なくとも送信モジュール１１０２と処理モジュール１１０１とを備えてよい。
【０２６４】
送信モジュール１１０２は、送信される必要があるデータを、第５のＰＤＣＰエンティティ層を使用することによって第２のＲＢエンティティ層に送信するよう構成される。ここで、第１のＲＢＩＤおよび／または第１のＵＥの端末識別子情報が保持され、第１のＲＢＩＤは、第１のＵＥの第１のＲＢを識別するためにネットワーク側デバイスによって使用される。
【０２６５】
処理モジュール１１０１は、第１のＲＢＩＤおよび／または端末識別子情報を第２のＲＢエンティティ層においてデータに追加するよう構成される。
【０２６６】
送信モジュール１１０２はさらに、第２のＲＢエンティティ層を使用することによってデータを第２のＵＥに送信するよう構成される。ここで、データは、処理モジュール１１０１によって追加された第１のＲＢＩＤおよび／または端末識別子情報を含む。
【０２６７】
任意選択的な実施形態において、ネットワーク側デバイスは、第１のＵＥと通信する第５のＲＬＣ層をさらに含んでよい。送信モジュール１１０２は、送信される必要があるデータを、第５のＲＬＣエンティティ層を使用することによって第２のＲＢエンティティ層に送信するよう構成される。
【０２６８】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２６９】
図１２を参照すると、図１２は、本発明の一実施形態に係るデータ伝送システムを示す。本発明のこの実施形態のデータ伝送システムは、本発明における図３および図４に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２７０】
第１のＵＥ１２０１は、第１のＲＢＩＤと第１のＵＥの端末識別子情報とをデータに追加し、第１のＲＢＩＤおよび端末識別子情報が追加されたデータを第２のＵＥ１２０２に送信する。
【０２７１】
第２のＵＥ１２０２は、データが転送される必要があるデータであると判断し、データをネットワーク側デバイスに送信する。
【０２７２】
ネットワーク側デバイス１２０３は、第１のＲＢＩＤに基づいてデータのデータタイプを判断し、端末識別子情報に基づいて、データの送信元の送信端が第１のＵＥであると判断する。ここで、データタイプは、サービスまたはシグナリングを含む。
【０２７３】
図１２を参照すると、図１２は、本発明の一実施形態に係るデータ伝送システムを示す。本発明のこの実施形態のデータ伝送システムは、本発明における図５および図６に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２７４】
第１のＵＥ１２０１は、送信される必要があるデータを、第１のＵＥ１２０１の第１のＲＢエンティティを使用することによって第２のＵＥ１２０２に送信する。ここで、データは第１のＲＢＩＤを保持し、第１のＲＢＩＤは、第１のＵＥ１２０１の第１のＲＢを識別するためにネットワーク側デバイス１２０３によって使用される。
【０２７５】
第２のＵＥ１２０２は、第１のＵＥ１２０１によって送信されたデータを、第１のＵＥ１２０１と通信するために使用される第３のＲＢエンティティを使用することによって受信し、第１のＵＥ１２０１の端末識別子情報を第３のＲＢエンティティと第１のＵＥの端末識別子情報との間の事前に確立された対応関係に基づいて取得し、端末識別子情報をデータに追加し、第１のＲＢＩＤおよび端末識別子情報を保持するデータをネットワーク側デバイス１２０３に送信する。ここで、第３のＲＢエンティティは、第１のＵＥ１２０１と第２のＵＥ１２０２との間の通信に使用される。
【０２７６】
ネットワーク側デバイス１２０３は、第１のＲＢＩＤに基づいてデータのデータタイプを判断し、端末識別子情報に基づいて、データの送信元の送信端が第１のＵＥ１２０１であると判断する。
【０２７７】
図１２を参照すると、図１２は、本発明の一実施形態に係るデータ伝送システムを示す。本発明のこの実施形態のデータ伝送システムは、本発明における図７および図８に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２７８】
第１のＵＥ１２０１は、送信される必要があるデータを、第１のＵＥ１２０１の第１のＲＢエンティティを使用することによって第２のＵＥ１２０２に送信する。ここで、データは、第１のＵＥの端末識別子情報を保持する。
【０２７９】
第２のＵＥ１２０２は、第１のＵＥ１２０１によって送信されたデータを、第１のＵＥ１２０１と通信するために使用される第３のＲＢエンティティを使用することによって受信し、データの第１のＲＢＩＤを第３のＲＢエンティティと第１のＲＢＩＤとの間の事前に確立された対応関係に基づいて取得し、第１のＲＢＩＤをデータに追加し、第１のＲＢＩＤおよび端末識別子情報を保持するデータをネットワーク側デバイス１２０３に送信する。ここで、第３のＲＢエンティティは、第１のＵＥ１２０１と第２のＵＥ１２０２との間の通信に使用される。
【０２８０】
ネットワーク側デバイス１２０３は、第１のＲＢＩＤに基づいてデータのデータタイプを判断し、端末識別子情報に基づいて、データの送信元の送信端が第１のＵＥ１２０１であると判断する。
【０２８１】
図１２を参照すると、図１２は、本発明の一実施形態に係るデータ伝送システムを示す。本発明のこの実施形態のデータ伝送システムは、本発明における図９および図１０に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２８２】
第１のＵＥ１２０１は、送信される必要があるデータを、第１のＵＥ１２０１の第１のＲＢエンティティを使用することによって第２のＵＥ１２０２に送信する。ここで、第１のＲＢエンティティは、第１のＵＥ１２０１とネットワーク側デバイス１２０３との間でデータを伝送するために使用される。
【０２８３】
第２のＵＥ１２０２は、第１のＵＥ１２０１によって送信されたデータを、第１のＵＥ１２０１と通信するために使用される第３のＲＢエンティティを使用することによって受信し、データの第１のＲＢＩＤと第１のＵＥ１２０１の端末識別子情報とを、第３のＲＢエンティティと第１のＲＢＩＤおよび端末識別子情報との間の事前に確立された対応関係に基づいて取得し、第１のＲＢＩＤおよび端末識別子情報をデータに追加し、第１のＲＢＩＤおよび端末識別子情報が追加されたデータをネットワーク側デバイス１２０３に送信する。ここで、第３のＲＢエンティティは、第１のＵＥ１２０１と第２のＵＥ１２０２との間の通信に使用される。
【０２８４】
ネットワーク側デバイス１２０３は、第１のＲＢＩＤに基づいてデータのデータタイプを判断し、端末識別子情報に基づいて、データの送信元の送信端が第１のＵＥであると判断する。
【０２８５】
先述の実施形態において、各実施形態の説明にはそれぞれの着目点があることに留意すべきである。一実施形態において詳細に説明されない部分については、他の実施形態における関連する説明を参照されたい。加えて、本明細書において説明された全ての実施形態は例示的な実施形態であり、関連する動作およびモジュールは必ずしも本発明の実施形態にとって必須ではないということも当業者は理解するべきである。
【０２８６】
本発明の実施形態の方法の段階の順序は修正されてよく、実際の必要性に応じて特定の段階がまた統合されても除去されてもよい。
【０２８７】
本発明の実施形態の装置におけるモジュールは、実際の要件に応じて組み合わせられ、分割され、削除されてよい。
【０２８８】
本発明の実施形態のユニットは、ＣＰＵ（Ｃｅｎｔｒａｌ  Ｐｒｏｃｅｓｓｉｎｇ  Ｕｎｉｔ、中央処理装置）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）などの汎用集積回路によって実行されてよい。
【０２８９】
当業者であれば、実施形態における方法のプロセスの全部または一部が、関連するハードウェアに命令するコンピュータプログラムによって実装されてよいことを理解し得る。プログラムは、コンピュータ可読記憶媒体に記憶されてよい。プログラムが動作するとき、実施形態における方法のプロセスが行われる。先述の記憶媒体は、磁気ディスク、光ディスク、リードオンリメモリ（Ｒｅａｄ−Ｏｎｌｙ  Ｍｅｍｏｒｙ、ＲＯＭ）、または、ランダムアクセスメモリ（Ｒａｎｄｏｍ  Ａｃｃｅｓｓ  Ｍｅｍｏｒｙ、ＲＡＭ）を含んでよい。
【０２９０】
上記において開示されたものは、本発明の例示的な実施形態に過ぎず、本発明の保護範囲を限定することを意図するものでないことは言うまでもない。したがって、本発明の特許請求の範囲にしたがって施される同等の変形が、本発明の範囲に含まれるものとする。
【図１】
2019504567.tif 000003
【図２ａ】
2019504567.tif 000004
【図２ｂ】
2019504567.tif 000005
2019504567.tif 000006
【図３】
2019504567.tif 000007
【図４】
2019504567.tif 000008
【図５】
2019504567.tif 000009
【図６】
2019504567.tif 000010
【図７】
2019504567.tif 000011
【図８】
2019504567.tif 000012
【図９】
2019504567.tif 000013
【図１０】
2019504567.tif 000014
【図１１】
2019504567.tif 000015
【図１２】
2019504567.tif 000016
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
データ伝送方法であって、
送信される必要があるデータに第１の無線ベアラ識別子情報または第１のユーザ機器の端末識別子情報のうちの少なくとも１つを前記第１のユーザ機器が追加する段階であって、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的移動体加入者識別情報、または国際移動体加入者識別情報を含む、段階と、
前記第１の無線ベアラ識別子情報または前記端末識別子情報のうちの少なくとも１つが追加された前記データを前記第１のユーザ機器が第２のユーザ機器に送信する段階と
を備える
方法。
【請求項２】
送信される必要があるデータに第１の無線ベアラ識別子情報または第１のユーザ機器の端末識別子情報のうちの少なくとも１つを前記第１のユーザ機器が追加する前記段階は、
前記データを含むデータパケットのヘッダに前記第１の無線ベアラ識別子情報または前記第１のユーザ機器の前記端末識別子情報のうちの少なくとも１つを前記第１のユーザ機器が追加する段階を有する、
請求項１に記載の方法。
【請求項３】
前記第２のユーザ機器によって転送された前記ネットワーク側デバイスのデータを前記第１のユーザ機器が受信する段階であって、前記データは、前記第１の無線ベアラ識別子情報を保持する、段階と、
前記第１の無線ベアラ識別子情報に基づいて前記データのデータタイプを前記第１のユーザ機器が取得する段階であって、前記データタイプは、サービスまたはシグナリングを含み、前記シグナリングは、前記アクセスネットワークにとって可視の制御信号を示すために使用される、段階
をさらに備える
請求項１に記載の方法。
【請求項４】
前記第１の無線ベアラ識別子情報または前記端末識別子情報のうちの少なくとも１つが追加された前記データを前記第１のユーザ機器が第２のユーザ機器に送信する前記段階は、
前記第２のユーザ機器が、前記第１の無線ベアラ識別子情報および前記端末識別子情報が追加された前記データを前記ネットワーク側デバイスに送信するよう、前記第１の無線ベアラ識別子情報または前記端末識別子情報のうちの少なくとも１つが追加された前記データを事前に確立された前記第２のユーザ機器への通信接続を使用することによって前記第１のユーザ機器が前記第２のユーザ機器に送信する段階であって、前記通信接続は、デバイスツーデバイス接続、ブルートゥース（登録商標）接続、またはＷｉＦｉ（登録商標）接続を含む、段階を有する、
請求項１から３のいずれか一項に記載の方法。
【請求項５】
データ伝送方法であって、
第１のユーザ機器によって送信されたデータを第２のユーザ機器が受信する段階であって、前記データは、第１の無線ベアラ識別子情報または前記第１のユーザ機器の端末識別子情報のうちの少なくとも１つを保持し、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的移動体加入者識別情報、または国際移動体加入者識別情報を含む、段階と、
前記データが転送される必要があるデータであると前記第２のユーザ機器が判断する段階と、
前記データを前記第２のユーザ機器が前記ネットワーク側デバイスに送信する段階と
を備える
方法。
【請求項６】
前記ネットワーク側デバイスによって送信されたデータを前記第２のユーザ機器が受信する段階であって、前記データは、前記第１の無線ベアラ識別子情報または前記第１のユーザ機器の前記端末識別子情報のうちの少なくとも１つを保持する、段階と、
前記データが転送される必要があるデータであると前記第２のユーザ機器が判断する段階と、
前記端末識別子情報に基づいて前記データを前記第２のユーザ機器が前記第１のユーザ機器に送信する段階と
をさらに備える
請求項５に記載の方法。
【請求項７】
前記データが転送される必要があるデータであると前記第２のユーザ機器が判断する前記段階は、
前記データが転送される必要がある前記データであると前記第１の無線ベアラ識別子情報または前記端末識別子情報のうちの少なくとも１つに基づいて前記第２のユーザ機器が判断する段階を有する、
請求項５または６に記載の方法。
【請求項８】
前記データが転送される必要があるデータであると前記第２のユーザ機器が判断する前記段階は、
前記データが転送される必要がある前記データであると前記データの伝送リンク属性に基づいて前記第２のユーザ機器が判断する段階であって、前記伝送リンク属性は、前記第１のユーザ機器と前記第２のユーザ機器との間の伝送リンクが前記第１のユーザ機器と前記ネットワーク側デバイスとの間の前記第１の無線ベアラと一対一の対応関係にあることを示すために使用され、前記伝送リンク属性は、前記データが転送される必要があるかどうかを示す識別子を含む、段階を有する、
請求項５に記載の方法。
【請求項９】
データ伝送装置であって、
転送される必要があるデータに第１の無線ベアラ識別子情報または第１のユーザ機器の端末識別子情報のうちの少なくとも１つを追加するよう構成される処理モジュールであって、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的移動体加入者識別情報、または国際移動体加入者識別情報を含む、処理モジュールと、
第２のユーザ機器が前記データを転送するよう、前記データを前記第２のユーザ機器に送信するよう構成される送信モジュールであって、前記データは、前記処理モジュールによって追加された前記第１の無線ベアラ識別子情報または前記端末識別子情報のうちの少なくとも１つを含む、送信モジュールと
を備える
装置。
【請求項１０】
前記処理モジュールは具体的に、
前記データを含むデータパケットのヘッダに前記第１の無線ベアラ識別子情報または前記第１のユーザ機器の前記端末識別子情報のうちの少なくとも１つを追加するよう構成される、
請求項９に記載の装置。
【請求項１１】
前記第２のユーザ機器によって転送された前記ネットワーク側デバイスのデータを受信するよう構成される受信モジュールであって、前記データは、前記第１の無線ベアラ識別子情報を保持する、受信モジュールをさらに備え、
前記処理モジュールはさらに、前記受信モジュールによって受信された前記第１の無線ベアラ識別子情報に基づいて前記データのデータタイプを取得するよう構成され、前記データタイプは、サービスまたはシグナリングを含み、前記シグナリングは、前記アクセスネットワークにとって可視の制御信号を示すために使用される、
請求項１０に記載の装置。
【請求項１２】
前記送信モジュールは具体的に、
前記第２のユーザ機器が前記第１の無線ベアラ識別子情報または前記端末識別子情報のうちの少なくとも１つが追加された前記データを前記ネットワーク側デバイスに送信するよう、事前に確立された前記第２のユーザ機器への通信接続を使用することによって、前記第１の無線ベアラ識別子情報または前記端末識別子情報のうちの少なくとも１つが追加された前記データを前記第２のユーザ機器に送信するよう構成され、前記通信接続は、デバイスツーデバイス接続、ブルートゥース（登録商標）接続、またはＷｉＦｉ（登録商標）接続を含む、
請求項９から１１のいずれか一項に記載の装置。
【請求項１３】
前記装置の前記処理モジュール、前記送信モジュール、および前記受信モジュールは、前記第１のユーザ機器と前記第２のユーザ機器との間の通信に使用されるパケットデータコンバージェンスプロトコル処理層に位置するか、または、前記第１のユーザ機器と前記ネットワーク側デバイスとの間の通信に使用されるパケットデータコンバージェンスプロトコル処理層に位置するか、または、前記第１のユーザ機器と前記第２のユーザ機器との間の通信に使用される無線リンク制御エンティティ層に位置する、
請求項１１に記載の装置。
【請求項１４】
データ伝送装置であって、
第１のユーザ機器によって送信されたデータを受信するよう構成される受信モジュールであって、前記データは、第１の無線ベアラ識別子情報または前記第１のユーザ機器の端末識別子情報のうちの少なくとも１つを保持し、前記第１の無線ベアラ識別子情報に対応する第１の無線ベアラは、前記第１のユーザ機器とネットワーク側デバイスとの間に位置し、前記第１の無線ベアラ識別子情報は、前記ネットワーク側デバイスによって前記第１のユーザ機器に割り当てられ、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的移動体加入者識別情報、または国際移動体加入者識別情報を含む、受信モジュールと、
前記受信モジュールによって受信された前記データが転送される必要があるデータであると判断するよう構成される処理モジュールと、
前記処理モジュールによって処理された前記データを前記ネットワーク側デバイスに送信するよう構成される送信モジュールと
を備える
装置。
【請求項１５】
前記受信モジュールはさらに、前記ネットワーク側デバイスによって送信されたデータを受信するよう構成され、前記データは、前記第１の無線ベアラ識別子情報または前記第１のユーザ機器の前記端末識別子情報のうちの少なくとも１つを保持し、
前記処理モジュールはさらに、前記受信モジュールによって受信された前記データが転送される必要があるデータであると判断するよう構成され、
前記送信モジュールはさらに、前記処理モジュールによって処理された前記データを前記端末識別子情報に基づいて前記第１のユーザ機器に送信するよう構成される、
請求項１４に記載の装置。
【請求項１６】
前記処理モジュールは具体的に、前記データが転送される必要がある前記データであると前記第１の無線ベアラ識別子情報または前記端末識別子情報のうちの少なくとも１つに基づいて判断するよう構成される、
請求項１４または１５に記載の装置。
【請求項１７】
前記処理モジュールは具体的に、
前記データが転送される必要がある前記データであると前記データの伝送リンク属性に基づいて判断するよう構成され、前記伝送リンク属性は、前記第１のユーザ機器と第２のユーザ機器との間の伝送リンクが前記第１のユーザ機器と前記ネットワーク側デバイスとの間の無線ベアラと一対一の対応関係にあることを示すために使用され、前記伝送リンク属性は、前記データが転送される必要があるかどうかを示す識別子を含む、
請求項１４に記載の装置。
【請求項１８】
第１のユーザ機器と第２のユーザ機器とネットワーク側デバイスとを備えるデータ伝送システムであって、
前記第１のユーザ機器は、送信される必要があるデータを前記第１のユーザ機器の第１の無線ベアラエンティティを使用することによって前記第２のユーザ機器に送信し、前記データは、第１の無線ベアラ識別子情報を保持し、前記第１の無線ベアラ識別子情報に対応する第１の無線ベアラは、前記第１のユーザ機器と前記ネットワーク側デバイスとの間に位置し、前記第１の無線ベアラ識別子情報は、前記ネットワーク側デバイスによって前記第１のユーザ機器に割り当てられ、
前記第２のユーザ機器は、前記第１のユーザ機器によって送信された前記データを、前記第１のユーザ機器と通信するために使用される第３の無線ベアラエンティティを使用することによって受信し、前記第１のユーザ機器の端末識別子情報を前記第３の無線ベアラエンティティと前記第１のユーザ機器の前記端末識別子情報との間の事前に確立された対応関係に基づいて取得し、前記データに前記端末識別子情報を追加し、前記第１の無線ベアラ識別子情報および前記端末識別子情報を保持する前記データを前記ネットワーク側デバイスに送信し、前記第３の無線ベアラエンティティは、前記第１のユーザ機器と前記第２のユーザ機器との間の通信に使用され、前記端末識別子情報は、前記第１のユーザ機器の第２層識別子であり、前記第２層識別子は、前記第１のユーザ機器を識別するようアクセスネットワークに命令するために使用され、前記端末識別子情報は、セル無線ネットワーク一時的識別子、インターネットプロトコルアドレス、一時的移動体加入者識別情報、または国際移動体加入者識別情報を含み、
前記ネットワーク側デバイスは、前記第１の無線ベアラ識別子情報に基づいて前記データのデータタイプを判断し、前記端末識別子情報に基づいて、前記データの送信元の送信端が前記第１のユーザ機器であると判断する、
システム。
【手続補正２】
【補正対象書類名】明細書
【補正対象項目名】全文
【補正方法】変更
【補正の内容】
【発明の詳細な説明】
【技術分野】
【０００１】
本発明は、情報処理技術分野に関し、特には、データ伝送方法および装置、ならびに関連デバイスに関する。
【背景技術】
【０００２】
デバイスツーデバイス（Ｄｅｖｉｃｅ−ｔｏ−Ｄｅｖｉｃｅ、Ｄ２Ｄ）通信方式は、送信端が、電磁波を使用することによってデータを受信端に直接送信し、データは基地局またはセルラネットワークによって転送される必要がない方式を指す。しかしながら、消費電力およびユーザ機器（Ｕｓｅｒ  Ｅｑｕｉｐｍｅｎｔ、ＵＥ）の干渉などの要因によって制限されることで、この通信方式の通信距離が限られる。加えて、ネットワークのカバレッジ外（例えば、部分的なカバレッジの場合）のユーザ機器は、ネットワークへの接続を確立することができない。結果として、ユーザ機器とネットワークとの間の通信性能が影響を受ける。したがって、ネットワークのカバレッジ内のユーザ機器が第１のＵＥ、すなわち中継サービスを提供するよう構成される中継ユーザ機器（Ｒｅｌａｙ  ＵＥ）として使用されてよく、ネットワークのカバレッジ外のユーザ機器が第２のＵＥ、すなわちリモートユーザ機器（Ｒｅｍｏｔｅ  ＵＥ）として使用されてよい。リモートユーザ機器がネットワークのカバレッジ外にあり、比較的ネットワークのカバレッジエリアの近くにあるとき、リモートユーザ機器は、中継ユーザ機器を使用することによってネットワークへの接続を確立し得る。
【０００３】
複数ＵＥ協調技術では、同一の第２のＵＥが同時に複数の第１のＵＥに中継サービスを提供するとき、データは、第２のＵＥを使用することによって複数の第１のＵＥと発展型基地局（ｅｖｏｌｖｅｄ  ＮｏｄｅＢ、ｅＮＢ）との間で伝送される。伝送されるデータは、シグナリングデータまたはサービスデータを含んでよい。シグナリングデータは、アクセスネットワークにとって可視の制御信号である。サービスデータは、システム内で伝送されるデータのうちのシグナリングデータ以外のデータであり、例えば、コアネットワーク内で伝送されるデータまたはアプリケーション層において伝送されるデータである。ｅＮＢは、受信されたデータがシグナリングデータなのかサービスデータなのかを区別することができず、受信されたデータの送信元の送信端である具体的な第１のＵＥを区別することもできない。
【発明の概要】
【０００４】
本明細書は、データ伝送方法および装置、ならびに関連デバイスを提供する。これにより、ネットワーク側デバイスは、送信元の送信端とデータのデータタイプとを簡便に識別できる。
【０００５】
第１態様によれば、データ伝送方法が提供される。当該方法は、送信される必要があるデータに第１の無線ベアラ識別子情報（ＲＢＩＤ）および／または第１のＵＥの端末識別子情報を第１のＵＥが追加する段階であって、第１のＲＢＩＤに対応する第１の無線ベアラ（Ｒａｄｉｏ  Ｂｅａｒ、ＲＢ）は、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、セル無線ネットワーク一時的識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ‐ＲＮＴＩ）、インターネットプロトコルアドレス（Ｉｎｔｅｒｎｅｔ  Ｐｒｏｔｏｃｏｌ  Ａｄｄｒｅｓｓ、ＩＰアドレス）、一時的識別コード（Ｔｅｍｐｏｒａｒｙ  Ｍｏｂｉｌｅ  Ｓｕｂｓｃｒｉｂｅｒ  Ｉｄｅｎｔｉｔｙ、ＴＭＳＩ）、または、国際移動体加入者識別情報（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）を含む、段階と、第２のＵＥがデータをネットワーク側デバイスに転送するよう、第１のＲＢＩＤおよび／または端末識別子情報が追加されたデータを第１のＵＥが第２のＵＥに送信する段階とを備える。
【０００６】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【０００７】
可能な設計において、送信される必要があるデータに第１のＲＢＩＤおよび／または第１のＵＥの端末識別子情報を第１のＵＥが追加する段階は、データを含むデータパケットのヘッダに第１のＲＢＩＤおよび／または第１のＵＥの端末識別子情報を第１のＵＥが追加する段階を有する。
【０００８】
可能な設計において、第１のＵＥはさらに、第２のＵＥによって転送されたネットワーク側デバイスのデータを受信してよく、データは第１のＲＢＩＤを保持し、第１のユーザ機器は、第１のＲＢＩＤに基づいてデータのデータタイプを取得し、データタイプは、サービスまたはシグナリングを含み、シグナリングは、アクセスネットワークにとって可視の制御信号を示すために使用される。
【０００９】
この技術的解決手段において、第１のＵＥによって受信されたデータパケットは、第１のＲＢＩＤを含み、データのデータタイプは、第１のＲＢＩＤに基づいて識別されてよい。
【００１０】
可能な設計において、第２のＵＥがデータをネットワーク側デバイスに転送するよう、第１のＲＢＩＤおよび／または端末識別子情報が追加されたデータを第１のＵＥが第２のＵＥに送信する段階は、第２のＵＥが、第１のＲＢＩＤおよび端末識別子情報が追加されたデータをネットワーク側デバイスに送信するよう、第１のＲＢＩＤおよび／または端末識別子情報が追加されたデータを、事前に確立された第２のＵＥへの通信接続を使用することによって第１のＵＥが第２のＵＥに送信する段階であって、当該通信接続は、Ｄ２Ｄ接続、ブルートゥース（登録商標）接続、またはＷｉＦｉ（登録商標）接続を含む、段階を有する。
【００１１】
この技術的解決手段において、データは、Ｄ２Ｄ接続、ブルートゥース（登録商標）接続、またはＷｉＦｉ（登録商標）接続などの通信接続を使用することによって第１のＵＥと第２のＵＥとの間で伝送され得て、それによって、第１のＵＥと第２のＵＥとの間の通信方式を向上させる。
【００１２】
本発明の第２態様によれば、データ伝送方法が提供される。当該方法は、第１のＵＥによって送信されたデータを第２のＵＥが受信する段階であって、データは、第１のＲＢＩＤおよび／または第１のＵＥの端末識別子情報を保持し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データが転送される必要があるデータであると第２のＵＥが判断する段階と、データを第２のＵＥがネットワーク側デバイスに送信する段階とを備える。
【００１３】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【００１４】
可能な設計において、第２のＵＥはさらに、ネットワーク側デバイスによって送信されたデータを受信してよく、データは、第１のＲＢＩＤおよび／または第１のＵＥの端末識別子情報を保持し、第２のＵＥは、データが転送される必要があるデータであると判断し、第２のＵＥは、端末識別子情報に基づいてデータを第１のＵＥに送信する。
【００１５】
この技術的解決手段において、第１のＵＥによって受信されたデータパケットは、第１のＲＢＩＤを含み、データのデータタイプは、第１のＲＢＩＤに基づいて識別されてよい。
【００１６】
可能な設計において、データが転送される必要があるデータであると第２のＵＥが判断する段階は、データが転送される必要があるデータであると第１のＲＢＩＤおよび／または端末識別子情報に基づいて第２のＵＥが判断する段階を有する。
【００１７】
可能な設計において、データが転送される必要があるデータであると第２のＵＥが判断する段階は、データが転送される必要があるデータであるとデータの伝送リンク属性に基づいて第２のＵＥが判断する段階であって、伝送リンク属性は、第１のＵＥと第２のＵＥとの間の伝送リンクが、第１のＵＥとネットワーク側デバイスとの間の第１のＲＢと一対一の対応関係にあることを示すために使用され、伝送リンク属性は、データが転送される必要があるかどうかを示す識別子を含む、段階を有する。
【００１８】
本発明の第３態様によれば、データ伝送方法が提供される。当該方法は、第２のＵＥによって転送された第１のＵＥのデータをネットワーク側デバイスが受信する段階であって、データは、第１のＲＢＩＤおよび／または第１のＵＥの端末識別子情報を保持し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、ネットワーク側デバイスが、第１のＲＢＩＤに基づいてデータのデータタイプを判断し、端末識別子情報に基づいて、データの送信元の送信端は第１のＵＥであると判断する段階であって、データタイプは、サービスまたはシグナリングを含む、段階とを備える。
【００１９】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【００２０】
可能な設計において、第２のＵＥによって転送された第１のＵＥのデータをネットワーク側デバイスが受信する段階の後、当該方法は、第１のＲＢＩＤおよび端末識別子情報に対応するパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）処理プロセスを使用することによって、データをネットワーク側デバイスが処理する段階であって、ＰＤＣＰ処理プロセスは、第１のＲＢＩＤおよび端末識別子情報と一対一の対応関係にある、段階をさらに備える。
【００２１】
本発明の第４態様によれば、データ伝送方法が提供される。当該方法は、送信される必要があるデータの第１のＲＢＩＤおよび／または第１のＵＥの端末識別子情報をネットワーク側デバイスが取得する段階であって、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データに第１のＲＢＩＤおよび／または端末識別子情報をネットワーク側デバイスが追加する段階と、第２のＵＥがデータを第１のＵＥに転送するよう、第１のＲＢＩＤおよび／または端末識別子情報が追加されたデータをネットワーク側デバイスが第２のＵＥに送信する段階とを備える。
【００２２】
この技術的解決手段において、第１のＵＥによって受信されたデータパケットは、第１のＲＢＩＤを含み、データのデータタイプは、第１のＲＢＩＤに基づいて識別されてよい。
【００２３】
本発明の第５態様によれば、データ伝送方法が提供される。当該方法は、第１のＵＥによって送信されたデータを、第１のＵＥと通信するために使用される第３のＲＢエンティティを使用することによって第２のＵＥが受信する段階と、データの第１のＲＢＩＤおよび／または第１のＵＥの端末識別子情報を、第３のＲＢエンティティと第１のＲＢＩＤおよび／または端末識別子情報との間の事前に確立された対応関係に基づいて第２のＵＥが取得する段階であって、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データに第１のＲＢＩＤおよび／または端末識別子情報を第２のＵＥが追加する段階と、第１のＲＢＩＤおよび／または端末識別子情報が追加されたデータを第２のＵＥがネットワーク側デバイスに送信する段階とを備える。
【００２４】
この技術的解決手段において、ネットワーク側デバイスによって受信されたデータパケットは、第１のＲＢＩＤと第１のＵＥの端末識別子情報とを含み、ネットワーク側デバイスは、第１のＲＢＩＤに基づいてデータのデータタイプを識別し、端末識別子情報に基づいてデータの送信元の送信端を識別してよい。
【００２５】
可能な設計において、データの第１のＲＢＩＤおよび／または第１のＵＥの端末識別子情報を、第３のＲＢエンティティと第１のＲＢＩＤおよび／または端末識別子情報との間の事前に確立された対応関係に基づいて第２のＵＥが取得する段階の後、当該方法は、データが転送される必要があるデータであると第１のＲＢＩＤおよび／または端末識別子情報に基づいて第２のＵＥが判断するか、または、データが転送される必要があるデータであるとデータの伝送リンク属性に基づいて第２のＵＥが判断する段階をさらに備える。
【００２６】
可能な設計において、データに第１のＲＢＩＤおよび／または端末識別子情報を第２のＵＥが追加する段階は、データの伝送リンク属性に基づいて、データに第１のＲＢＩＤおよび／または端末識別子情報を第２のＵＥが追加する段階を有する。
【００２７】
可能な設計において、第１のＵＥによって送信されたデータを、第１のＵＥと通信するために使用される第３のＲＢエンティティを使用することによって第２のＵＥが受信する段階は、第１のＵＥと通信するために使用される第３のＰＤＣＰエンティティ層が第２のＵＥのために構成されたとき、第１のＵＥによって送信されたデータを第２のＵＥが第３のＰＤＣＰエンティティ層において受信する段階を有し、データに第１のＲＢＩＤおよび／または端末識別子情報を第２のＵＥが追加する段階は、第３のＰＤＣＰエンティティ層においてデータに第１のＲＢＩＤおよび／または端末識別子情報を第２のＵＥが追加する段階を有する。
【００２８】
可能な設計において、第１のＵＥによって送信されたデータを、第１のＵＥと通信するために使用される第３のＲＢエンティティを使用することによって第２のＵＥが受信する段階は、第１のＵＥと通信するために使用される第３のＰＤＣＰエンティティ層が第２のＵＥのために構成されないとき、第１のＵＥによって送信されたデータを、第１のＵＥと通信するために使用される第３の無線リンク制御（Ｒａｄｉｏ  Ｌｉｎｋ  Ｃｏｎｔｒｏｌ、ＲＬＣ）エンティティ層において第２のＵＥが受信する段階を有し、データに第１のＲＢＩＤおよび／または端末識別子情報を第２のＵＥが追加する段階は、第３のＲＬＣエンティティ層においてデータに第１のＲＢＩＤおよび／または端末識別子情報を第２のＵＥが追加する段階を有する。
【００２９】
可能な設計において、データに第１のＲＢＩＤおよび／または端末識別子情報を第２のＵＥが追加する段階は、ネットワーク側デバイスと通信するために使用される第４のＰＤＣＰエンティティ層、第４のＲＬＣエンティティ層、または第４の媒体アクセス制御（Ｍｅｄｉａ  Ａｃｃｅｓｓ  Ｃｏｎｔｒｏｌ、ＭＡＣ）エンティティ層において、データに第１のＲＢＩＤおよび／または端末識別子情報を第２のＵＥが追加する段階を有する。
【００３０】
本発明の第６態様によれば、データ伝送方法が提供される。当該方法は、ネットワーク側デバイスによって送信されたデータを第２のＵＥが受信する段階であって、データは、第１のＲＢＩＤおよび／または第１のＵＥの端末識別子情報を保持し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含む、段階と、データが転送される必要があるデータであると第１のＲＢＩＤおよび／または端末識別子情報に基づいて第２のＵＥが判断する段階と、端末識別子情報に基づいてデータを第２のＵＥが第１のＵＥに送信する段階とを備える。
【００３１】
この技術的解決手段において、第１のＵＥによって受信されたデータパケットは、第１のＲＢＩＤを含み、データのデータタイプは、第１のＲＢＩＤに基づいて識別されてよい。
【００３２】
可能な設計において、端末識別子情報に基づいてデータを第２のＵＥが第１のＵＥに送信する段階は、第１のＵＥと通信するために使用される第３のＰＤＣＰエンティティ層が第２のＵＥのために構成され、第３のＰＤＣＰエンティティ層が、第１のＵＥの第１のＲＢエンティティと一対一の対応関係にあるとき、第１のＲＢエンティティに対応する第３のＰＤＣＰエンティティ層を、第１のＲＢＩＤおよび／または端末識別子情報に基づいて第２のＵＥが判断し、第３のＰＤＣＰエンティティ層においてデータから第１のＲＢＩＤおよび／または端末識別子情報を第２のＵＥが削除する段階と、第１のＲＢＩＤおよび／または端末識別子情報が削除されたデータを、第３のＰＤＣＰエンティティ層を使用することによって第２のＵＥが第１のＵＥに送信する段階とを有する。
【００３３】
可能な設計において、端末識別子情報に基づいてデータを第２のＵＥが第１のＵＥに送信する段階は、第１のＵＥと通信するために使用される第３のＰＤＣＰエンティティ層が第２のＵＥのために構成されないとき、第１のＲＢエンティティに対応する第３のＲＬＣエンティティ層であって、第２のＵＥと第１のＵＥとの間の通信に使用される第３のＲＬＣエンティティ層を、第１のＲＢＩＤおよび／または端末識別子情報に基づいて第２のＵＥが判断し、第３のＲＬＣエンティティ層においてデータから第１のＲＢＩＤおよび／または端末識別子情報を第２のＵＥが削除する段階と、第１のＲＢＩＤおよび／または端末識別子情報が削除されたデータを、第３のＲＬＣエンティティ層を使用することによって第２のＵＥが第１のＵＥに送信する段階とを有する。
【００３４】
本発明の第７態様によれば、データ伝送方法が提供される。当該方法はネットワーク側デバイスに適用され、ネットワーク側デバイスは、第１のＵＥと通信する第５のＰＤＣＰエンティティ層と、第２のＵＥと通信するために使用される第２のＲＢエンティティ層とを備え、ネットワーク側デバイスは、送信される必要があるデータを第５のＰＤＣＰエンティティ層を使用することによって第２のＲＢエンティティ層に送信し、第１のＲＢＩＤおよび／または第１のＵＥの端末識別子情報が保持され、第１のＲＢＩＤに対応する第１のＲＢは第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、ネットワーク側デバイスは、第２のＲＢエンティティ層において第１のＲＢＩＤおよび／または端末識別子情報をデータに追加し、ネットワーク側デバイスは、第１のＲＢＩＤおよび／または端末識別子情報が追加されたデータを、第２のＲＢエンティティ層を使用することによって第２のＵＥに送信する。
【００３５】
可能な設計において、ネットワーク側デバイスはさらに、第１のユーザ機器と通信する第５のＲＬＣエンティティ層を備えてよく、送信される必要があるデータを第５のＰＤＣＰエンティティ層を使用することによってネットワーク側デバイスが第２のＲＢエンティティ層に送信する段階は、データを第５のＲＬＣエンティティ層を使用することによってネットワーク側デバイスが第２のＲＢエンティティ層に送信する段階を有する。
【００３６】
本発明の第８態様によれば、基地局が提供される。基地局は、先述の方法設計における基地局の動作を実装するための機能を有する。当該機能は、ハードウェアを使用することによって実装されてよく、または、対応するソフトウェアを実行するハードウェアによって実装されてよい。ハードウェアまたはソフトウェアは、先述の機能に対応する１または複数のモジュールを含む。
【００３７】
可能な設計において、基地局の構造は、プロセッサと送信機とを備える。プロセッサは、先述の方法における対応する機能を実行するように基地局をサポートするよう構成される。送信機は、基地局とＵＥとの間の通信をサポートし、先述の方法において説明された情報または命令をＵＥに送信するよう構成される。基地局は、メモリをさらに備えてよい。メモリは、プロセッサに結合され、基地局の必要なプログラム命令および必要なデータを記憶するよう構成される。
【００３８】
本発明の第９態様によれば、ＵＥが提供される。ＵＥは、先述の方法設計におけるＵＥの動作を実装するための機能を有する。当該機能は、ハードウェアを使用することによって実装されてよく、または、対応するソフトウェアを実行するハードウェアによって実装されてよい。ハードウェアまたはソフトウェアは、先述の機能に対応する１または複数のモジュールを含む。当該モジュールは、ソフトウェアおよび／またはハードウェアであってよい。
【００３９】
可能な設計において、ＵＥの構造は、受信機とプロセッサとを備える。受信機は、基地局によって送信されたデータおよび同様のものを受信するようにＵＥをサポートするよう構成される。プロセッサは、受信機によって受信されたデータに基づいてデータタイプを識別するようＵＥを制御する。
【００４０】
本発明の第１０態様によれば、データ伝送システムが提供される。当該システムは、第１のＵＥと第２のＵＥとネットワーク側デバイスとを備え、第１のＵＥは、第１のＲＢＩＤと第１のＵＥの端末識別子情報とをデータに追加し、第１のＲＢＩＤおよび端末識別子情報が追加されたデータを第２のＵＥに送信し、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、第２のＵＥは、データが転送される必要があるデータであると判断し、データをネットワーク側デバイスに送信し、ネットワーク側デバイスは、第１のＲＢＩＤに基づいてデータのデータタイプを判断し、端末識別子情報に基づいて、データの送信元の送信端が第１のＵＥであると判断し、データタイプは、サービスまたはシグナリングを含む。
【００４１】
本発明の第１１態様によれば、データ伝送システムが提供される。当該システムは、第１のＵＥと第２のＵＥとネットワーク側デバイスとを備え、第１のＵＥは、送信される必要があるデータを第１のＵＥの第１のＲＢエンティティを使用することによって第２のＵＥに送信し、データは第１のＲＢＩＤを保持し、第１のＲＢＩＤは、第１のＵＥの第１のＲＢを識別するためにネットワーク側デバイスによって使用され、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、第２のＵＥは、第１のＵＥによって送信されたデータを、第１のＵＥと通信するために使用される第３のＲＢエンティティを使用することによって受信し、第１のＵＥの端末識別子情報を第３のＲＢエンティティと第１のＵＥの端末識別子情報との間の事前に確立された対応関係に基づいて取得し、端末識別子情報をデータに追加し、第１のＲＢＩＤおよび端末識別子情報を保持するデータをネットワーク側デバイスに送信し、第３のＲＢエンティティは、第１のＵＥと第２のＵＥとの間の通信に使用され、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、ネットワーク側デバイスは、第１のＲＢＩＤに基づいてデータのデータタイプを判断し、端末識別子情報に基づいて、データの送信元の送信端が第１のＵＥであると判断する。
【００４２】
本発明の第１２態様によれば、データ伝送システムが提供される。当該システムは、第１のＵＥと第２のＵＥとネットワーク側デバイスとを備え、第１のＵＥは、送信される必要があるデータを第１のＵＥの第１のＲＢエンティティを使用することによって第２のＵＥに送信し、データは、第１のＵＥの端末識別子情報を保持し、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、第２のＵＥは、第１のＵＥによって送信されたデータを、第１のＵＥと通信するために使用される第３のＲＢエンティティを使用することによって受信し、データの第１のＲＢＩＤを第３のＲＢエンティティと第１のＲＢＩＤとの間の事前に確立された対応関係に基づいて取得し、第１のＲＢＩＤをデータに追加し、第１のＲＢＩＤおよび端末識別子情報を保持するデータをネットワーク側デバイスに送信し、第３のＲＢエンティティは、第１のＵＥと第２のＵＥとの間の通信に使用され、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、ネットワーク側デバイスは、第１のＲＢＩＤに基づいてデータのデータタイプを判断し、端末識別子情報に基づいて、データの送信元の送信端が第１のＵＥであると判断する。
【００４３】
本発明の第１３態様によれば、データ伝送システムが提供される。当該システムは、第１のＵＥと第２のＵＥとネットワーク側デバイスとを備え、第１のＵＥは、送信される必要があるデータを第１のＵＥの第１のＲＢエンティティを使用することによって第２のＵＥに送信し、第１のＲＢエンティティは、第１のＵＥとネットワーク側デバイスとの間でデータを伝送するために使用され、第２のＵＥは、第１のＵＥによって送信されたデータを、第１のＵＥと通信するために使用される第３のＲＢエンティティを使用することによって受信し、データの第１のＲＢＩＤと第１のＵＥの端末識別子情報とを、第３のＲＢエンティティと第１のＲＢＩＤおよび端末識別子情報との間の事前に確立された対応関係に基づいて取得し、第１のＲＢＩＤおよび端末識別子情報をデータに追加し、第１のＲＢＩＤおよび端末識別子情報が追加されたデータをネットワーク側デバイスに送信し、第３のＲＢエンティティは、第１のＵＥと第２のＵＥとの間の通信に使用され、第１のＲＢＩＤに対応する第１のＲＢは、第１のＵＥとネットワーク側デバイスとの間に位置し、第１のＲＢＩＤは、ネットワーク側デバイスによって第１のＵＥに割り当てられ、端末識別子情報は、第１のユーザ機器の第２層識別子であり、第２層識別子は、第１のＵＥを識別するようアクセスネットワークに命令するために使用され、端末識別子情報は、Ｃ‐ＲＮＴＩ、ＩＰアドレス、ＴＭＳＩ、またはＩＭＳＩを含み、ネットワーク側デバイスは、第１のＲＢＩＤに基づいてデータのデータタイプを判断し、端末識別子情報に基づいて、データの送信元の送信端が第１のＵＥであると判断する。
【００４４】
本発明の第１４態様によれば、コンピュータ記憶媒体が提供される。コンピュータ記憶媒体は、プログラムを記憶してよく、当該プログラムが実行されたとき、第１態様から第７態様のうちの一部のまたは全部の段階が行われる。
【図面の簡単な説明】
【００４５】
本発明の実施形態をより明確に説明するべく、実施形態を説明するために必要な添付図面を以下で簡潔に説明する。以下の説明における添付図面は、本発明のいくつかの実施形態を示しているに過ぎず、当業者であれば創造的努力なくこれらの添付図面からさらに他の図面を導出し得ることは明らかである。
【００４６】
【図１】本発明の一実施形態に係る、データ伝送システムにおける制御プレーンのプロトコルスタックアーキテクチャの概略図である。
【００４７】
【図２ａ】本発明の一実施形態に係る、データ伝送システムにおけるユーザプレーンのプロトコルスタックアーキテクチャの概略図である。
【００４８】
【図２ｂ】本発明の別の実施形態に係る、データ伝送システムにおけるユーザプレーンのプロトコルスタックアーキテクチャの概略図である。
【００４９】
【図３】本発明の一実施形態に係るデータ伝送方法の概略フローチャートである。
【００５０】
【図４】本発明の別の実施形態に係るデータ伝送方法の概略フローチャートである。
【００５１】
【図５】本発明の別の実施形態に係るデータ伝送方法の概略フローチャートである。
【００５２】
【図６】本発明の別の実施形態に係るデータ伝送方法の概略フローチャートである。
【００５３】
【図７】本発明の別の実施形態に係るデータ伝送方法の概略フローチャートである。
【００５４】
【図８】本発明の別の実施形態に係るデータ伝送方法の概略フローチャートである。
【００５５】
【図９】本発明の別の実施形態に係るデータ伝送方法の概略フローチャートである。
【００５６】
【図１０】本発明の別の実施形態に係るデータ伝送方法の概略フローチャートである。
【００５７】
【図１１】本発明の一実施形態に係るデータ伝送装置の概略構造図である。
【００５８】
【図１２】本発明の一実施形態に係るデータ伝送システムの概略構造図である。
【発明を実施するための形態】
【００５９】
本発明の実施形態における添付図面に関連して、本発明の実施形態における技術的解決手段を以下で明確かつ十分に説明する。説明される実施形態が、本発明の実施形態の全てではなく一部に過ぎないことは明らかである。創造的努力なく本発明の実施形態に基づいて当業者によって得られる全ての他の実施形態は、本発明の保護範囲に含まれるものとする。
【００６０】
図１を参照すると、図１は、本発明の一実施形態に係る、データ伝送システムにおける制御プレーンのプロトコルスタックアーキテクチャの概略図である。図１に示すように、データ伝送システムは、第１のＵＥと第２のＵＥとネットワーク側デバイスとを備えてよい。第２のＵＥを使用することによって、第１のＵＥとネットワーク側デバイスとの間でアップリンクデータ伝送またはダウンリンクデータ伝送が行われる。第１のＵＥは、例えばグーグルグラス（Ｇｏｏｇｌｅ  ｇｌａｓｓ）、リストバンド（例えば、シャオミリストバンドもしくはＦｉｔｂｉｔリストバンド）、腕時計（例えばＡｐｐｌｅ  ｗａｔｃｈもしくはＳａｍｓｕｎｇ  ｗａｔｃｈ）、またはＮｉｋｅシューズといったウェアラブルデバイスであってよい。第２のＵＥは、スマートフォン、パーソナルコンピュータ（Ｐｅｒｓｏｎａｌ  Ｃｏｍｐｕｔｅｒ、ＰＣ）、デジタルテレビ受信端末、車載端末、または同様のものであってよい。ネットワーク側デバイスは、発展型基地局または同様のものであってよい。第１のＵＥは、Ｄ２Ｄ接続、ブルートゥース（登録商標）接続、ＷｉＦｉ（登録商標）接続、または同様のものを使用することによって第２のＵＥと通信してよい。第２のＵＥは、Ｕｕインタフェースを使用することによってネットワーク側デバイスと通信してよい。Ｕｕインタフェースのユーザプレーンが、サービスデータを伝送するために使用され、Ｕｕインタフェースの制御プレーンが、シグナリングを伝送するために使用される。本発明のこの実施形態では、第１のＵＥと第２のＵＥとの間でＤ２Ｄ通信が行われる例が説明のために使用される。
【００６１】
図１は、制御プレーンのプロトコルスタックアーキテクチャの概略図である。第１のＵＥとネットワーク側デバイスとの間に、無線リソース制御（Ｒａｄｉｏ  Ｒｅｓｏｕｒｃｅ  Ｃｏｎｔｒｏｌ、ＲＲＣ）リンクのプロトコルスタックアーキテクチャが存在する。ネットワーク側デバイスは、第１のＵＥを管理し、プロトコルスタックアーキテクチャを使用することによって第１のＵＥのためのパラメータを構成してよい。
【００６２】
第１のＵＥは、ＲＲＣ層と、ネットワーク側デバイスと通信するために使用される第１のＰＤＣＰ層と、第２のＵＥと通信するために使用される第２のＰＤＣＰ層と、第２のＵＥと通信するために使用される第２のＲＬＣ層と、第２のＵＥと通信するために使用される第２のＭＡＣ層と、第２のＵＥと通信するために使用される第２の物理（Ｐｈｙｓｉｃａｌ、ＰＨＹ）層とを有してよい。
【００６３】
第２のＵＥは、第１のＵＥと通信するために使用される第３のＰＤＣＰ層、第３のＲＬＣ層、第３のＭＡＣ層、および第３のＰＨＹ層を有してよい。第２のＵＥは、ネットワーク側デバイスと通信するために使用される第４のＰＤＣＰ層、第４のＲＬＣ層、第４のＭＡＣ層、および第４のＰＨＹ層をさらに有してよい。
【００６４】
ネットワーク側デバイスは、第１のＵＥと通信するために使用される第５のＲＲＣ層および第５のＰＤＣＰ層を有してよい。ネットワーク側デバイスは、第２のＵＥと通信するために使用される第６のＰＤＣＰ層、第６のＲＬＣ層、第６のＭＡＣ層、および第６のＰＨＹ層をさらに有してよい。
【００６５】
ネットワーク側デバイスは、ネットワーク側デバイスと第１のＵＥとの間に確立されたＲＲＣリンクを使用することによってシグナリングを第１のＵＥに送信してよい。ネットワーク側デバイスの第５のＲＲＣ層は、第１のＵＥのアクセスリンクのパラメータ構成を管理し、第１のＵＥのベアラを確立し、第１のＵＥとネットワーク側デバイスとの間のデータ伝送に使用されるセキュリティパラメータを構成するために使用される。第１のＵＥのベアラは、アクセスＲＢと、ネットワーク側デバイスからコアネットワークへのベアラとを含んでよい。プロトコルは、コアネットワークが、コア切り替えまたはコールルーティングの機能を実行する、例えばモビリティ管理エンティティ（Ｍｏｂｉｌｉｔｙ  Ｍａｎａｇｅｍｅｎｔ  Ｅｎｔｉｔｙ、ＭＭＥ）、サービングゲートウェイ（Ｓｅｒｖｉｎｇ  Ｇａｔｅｗａｙ、ＳＧＷ）、またはＰＤＮゲートウェイ（ＰＤＮ  Ｇａｔｅｗａｙ、ＰＧＷ）といったネットワーク要素であることを規定する。ＰＤＮ（Ｐｕｂｌｉｃ  Ｄａｔａ  Ｎｅｔｗｏｒｋ）ゲートウェイは、公衆データネットワークゲートウェイである。
【００６６】
プロトコルスタックアーキテクチャにおいて、ネットワーク側デバイスは、第５のＲＲＣ層を使用することによって第１のＵＥを管理する。コアネットワークは変化しないままであり、コアネットワークの互換性が維持され得る。加えて、コアネットワークにとって、コアネットワークによる第１のＵＥの管理は、第２のＵＥが中継機として使用されるかどうかとは無関係である。第１のＵＥと第２のＵＥとの間の通信距離が比較的大きいとき、第１のＵＥは、Ｕｕインタフェースを使用することによってネットワーク側デバイスに直接連結してよく、ネットワーク側デバイスは、第１のＵＥのコンテキストを依然として保持する。したがって、データ転送性能が迅速に回復され得て、モビリティ処理手順は簡単であり、かつ遅延が小さい。
【００６７】
図２ａを参照すると、図２ａは、本発明の一実施形態に係る、データ伝送システムにおけるユーザプレーンのプロトコルスタックアーキテクチャの概略図である。図に示すように、データ伝送システムは、第１のＵＥと第２のＵＥとネットワーク側デバイスとコアネットワークとを備えてよい。
【００６８】
第１のＵＥは、インターネットプロトコル（Ｉｎｔｅｒｎｅｔ  Ｐｒｏｔｏｃｏｌ、ＩＰ）層、ネットワーク側デバイスと通信するために使用される第１のＰＤＣＰ層、ならびに、第２のＵＥと通信するために使用される第２のＰＤＣＰ層、第２のＲＬＣ層、第２のＭＡＣ層、および第２のＰＨＹ層を有してよい。
【００６９】
第２のＵＥは、第１のＵＥと通信するために使用される第３のＰＤＣＰ層、第３のＲＬＣ層、第３のＭＡＣ層、および第３のＰＨＹ層を有してよい。第２のＵＥは、ネットワーク側デバイスと通信するために使用される第４のＰＤＣＰ層、第４のＲＬＣ層、第４のＭＡＣ層、および第４のＰＨＹ層をさらに有してよい。
【００７０】
ネットワーク側デバイスは、第１のＵＥと通信するために使用される第５のＰＤＣＰ層を有してよい。ネットワーク側デバイスは、第２のＵＥと通信するために使用される第６のＰＤＣＰ層、第６のＲＬＣ層、第６のＭＡＣ層、および第６のＰＨＹ層をさらに有してよい。
【００７１】
アップリンクデータ伝送の場合、第１のＵＥは、ネットワーク側デバイスと通信するために使用される第１のＰＤＣＰ層においてＩＰ層からのＩＰデータパケットに対してセキュア処理を行い、次に、処理されたデータパケットを第２のＵＥに送信してよく、これにより、第２のＵＥは、処理されたデータパケットをネットワーク側デバイスに転送する。ダウンリンクデータ伝送の場合、ネットワーク側デバイスは、第１のＵＥと通信するために使用される第５のＰＤＣＰ層においてコアネットワークからのＩＰデータパケットに対してセキュア処理を行い、処理されたデータパケットを第２のＵＥに送信してよく、これにより、第２のＵＥは、処理されたデータパケットを第１のＵＥに転送する。
【００７２】
プロトコルスタックアーキテクチャにおいて、第１のＵＥのパラメータがネットワーク側デバイスによって直接管理される。ネットワーク側デバイスと通信するために使用される、第１のＵＥの第１のＰＤＣＰ層と、第１のＵＥと通信するために使用される、ネットワーク側デバイスの第５のＰＤＣＰ層だけが、データ伝送の完全性保護およびセキュア処理に関与し、第２のＵＥは、セキュア処理が行われたデータを復号することができず、それによって、データ伝送のセキュリティおよび信頼性を保証する。
【００７３】
図１または図２ａに示されるプロトコルスタックアーキテクチャにおいて、第１のＵＥまたは第２のＵＥは、少なくとも１つのＲＢを有してよく、各ＲＢは、ＰＤＣＰ処理プロセスを含み、各ＰＤＣＰ処理プロセスは、無線ベアラ識別子情報（ＲＢＩＤ）および端末識別子情報と一対一の対応関係にあることに留意すべきである。第１のＲＢは、第１のＵＥとネットワーク側デバイスとの間に位置し、第２のＲＢは、第２のＵＥとネットワーク側デバイスとの間に位置する。ネットワーク側デバイスは、第２のＵＥの第２のＲＢと第１のＵＥの第１のＲＢとの間の対応関係を事前に確立してよい。第２のＵＥの１つの第２のＲＢが、複数の第１のＵＥの第１のＲＢに対応してよい。任意選択で、ネットワーク側デバイスは、サービス品質（Ｑｕａｌｉｔｙ  ｏｆ  Ｓｅｒｖｉｃｅ、ＱｏＳ）データのタイプごとにデータ無線ベアラ（Ｄａｔａ  Ｒａｄｉｏ  Ｂｅａｒｅｒ、ＤＲＢ）を確立してよい。ＤＲＢは、第１のＵＥの第１のＲＢによって保持されるデータを伝送するために使用され、第２のＵＥの１つのＤＲＢが、複数の第１のＵＥの第１のＲＢに対応してよく、第１のＲＢによって保持されるＱｏＳデータのタイプは、ＤＲＢによって保持されるＱｏＳデータのタイプと同一である。
【００７４】
従来のデータ伝送方法では、第１のＵＥの第１のＲＢは、第２のＵＥの第２のＲＢと一対一の対応関係にあり、複数の第１のＵＥとネットワーク側デバイスとの間で第２のＵＥによってデータが転送されるとき、ネットワーク側デバイスは、異なる複数の第１のＵＥの第１のＲＢと第２のＵＥの異なる複数の第２のＲＢとの間の対応関係を構成する必要がある。したがって、構成オーバーヘッドが比較的高い。第２のＵＥによって含まれる第２のＲＢの数は、３２を上回らない。同一の第２のＵＥが複数の第１のＵＥの中継機として同時に使用されるとき、第２のＵＥへの通信接続を確立できる第１のＵＥの数は限られる。第１のＵＥの第１のＲＢが第２のＵＥの第２のＲＢと一対一の対応関係にあるとき、第２のＵＥは、複数のＰＤＣＰプロセスを同時にサポートすることを要求される。結果として、第２のＵＥの処理の困難さが増す。しかしながら、本発明のこの実施形態においては、第２のＵＥの１つのＤＲＢが、複数の第１のＵＥの第１のＲＢに対応する。これにより、構成オーバーヘッドを低減し、第２のＵＥによってサポートされ得る第１のＵＥの数を増大させ、第２のＵＥの処理の困難さを低減することができる。
【００７５】
図３を参照すると、図３は、本発明の一実施形態に係るデータ伝送方法の概略フローチャートである。本発明のこの実施形態においては、アップリンクデータ伝送の応用シナリオが説明される。ここで、第１のＵＥは、送信される必要があるデータに第１のＲＢＩＤおよび端末識別子情報を追加する。図３に示すように、本発明のこの実施形態のデータ伝送方法は以下の段階を備えてよい。
【００７６】
段階Ｓ３０１．第１のユーザ機器が、送信される必要があるデータに第１の無線ベアラ識別子情報および第１のユーザ機器の端末識別子情報を追加する。
【００７７】
データを送信する必要があるとき、第１のＵＥは、データの第１のＲＢＩＤと第１のＵＥの端末識別子情報とを取得し、送信される必要があるデータに第１のＲＢＩＤと第１のＵＥの端末識別子情報とを追加してよい。第１のＲＢＩＤは、第１のＲＢを識別するために使用され、異なるＲＢＩＤは、異なるＲＢに対応し、第１のＲＢＩＤに対応する第１のＲＢは、第１のＵＥとネットワーク側デバイスとの間に位置する。端末識別子情報は、第１のＵＥの第２層識別子であってよく、第２層識別子は、第１のＵＥを識別するようアクセスネットワークに命令するために使用され、端末識別子情報は、Ｃ‐ＲＮＴＩ、ＩＰアドレス、ＴＭＳＩ、ＩＭＳＩ、または同様のものを含んでよい。
【００７８】
任意選択的な実施形態において、第１のＵＥは、データを含むデータパケットのヘッダに第１のＲＢＩＤおよび端末識別子情報を追加してよい。例えば、第１のＰＤＣＰ層においてデータに対してセキュア処理を行ってプロトコルデータユニット（Ｐｒｏｔｏｃｏｌ  Ｄａｔａ  Ｕｎｉｔ、ＰＤＵ）データパケットを取得した後、第１のＵＥは、ＰＤＵデータパケットのヘッダに２つのフィールドを追加してよい。ここで、当該フィールドはそれぞれ、第１のＲＢＩＤおよび端末識別子情報を追加するために使用される。
【００７９】
任意選択的な実施形態において、図２ｂに示されるデータ伝送システムにおけるプロトコルスタックアーキテクチャの概略図が例として使用される。第１のＵＥが、ネットワーク側デバイスと通信するために使用される第１のＲＬＣ層を有し、ネットワーク側デバイスが、第１のＵＥと通信するために使用される第５のＲＬＣ層を有するとき、第１のＵＥは、第１のＰＤＣＰ層においてデータに対してセキュア処理を行った後にＰＤＵデータパケットを取得し、セキュア処理の後に取得されたＰＤＵデータパケットを第１のＲＬＣ層に転送し、第１のＲＬＣ層において、ＰＤＵデータパケットのヘッダに２つのフィールドを追加してよい。ここで、当該フィールドはそれぞれ、第１のＲＢＩＤおよび端末識別子情報を追加するために使用される。
【００８０】
段階Ｓ３０２．第１のユーザ機器が、第１の無線ベアラ識別子情報および端末識別子情報が追加されたデータを第２のユーザ機器に送信する。
【００８１】
具体的な実装例において、第１のＵＥは、第１のＲＢＩＤおよび端末識別子情報が追加されたデータを、事前に確立された第２のＵＥへの通信接続を使用することによって第２のＵＥに送信してよい。通信接続は、Ｄ２Ｄ接続、ブルートゥース（登録商標）接続、ＷｉＦｉ（登録商標）接続、または同様のものを含んでよい。
【００８２】
段階Ｓ３０３．第２のユーザ機器が、データが転送される必要があるデータであると判断する。
【００８３】
第１のＵＥによって送信されたデータを受信した後、第２のＵＥは、データが転送される必要があるデータであるかどうかを判断してよい。データが転送される必要があるデータであるとき、第２のＵＥは、データをネットワーク側デバイスに送信してよい。データが転送される必要があるデータではないとき、第２のＵＥは、データを直接処理してよい。
【００８４】
任意選択的な実施形態において、第２のＵＥは、第１のＲＢＩＤおよび／または端末識別子情報に基づいて、データが転送される必要があるデータであると判断してよい。具体的には、第１のＵＥがデータを第２のＵＥのみに送信する予定である場合、第１のＵＥは、第１のＲＢＩＤおよび端末識別子情報を追加せず、データを第２のＵＥに直接送信してよい。第２のＵＥによって受信されたデータは、第１のＲＢＩＤも端末識別子情報も含まない。第２のＵＥがデータをネットワーク側デバイスに転送するよう、第１のＵＥがデータを第２のＵＥに送信する予定である場合、第１のＵＥは、第１のＲＢＩＤおよび端末識別子情報を追加し、第１のＲＢＩＤおよび端末識別子情報が追加されたデータを第２のＵＥに送信してよい。第２のＵＥによって受信されたデータは、第１のＲＢＩＤおよび端末識別子情報を含む。言い換えれば、第２のＵＥは、受信されたデータが第１のＲＢＩＤまたは端末識別子情報を含むかどうかを判断してよく、受信されたデータが第１のＲＢＩＤまたは端末識別子情報を含むとき、第２のＵＥは、データが転送される必要があるデータであると判断してよい。
【００８５】
任意選択的な実施形態において、第２のＵＥは、データの伝送リンク属性に基づいて、データが転送される必要があるデータであると判断してよい。伝送リンク属性は、第１のＵＥと第２のＵＥとの間の伝送リンクが、第１のＵＥとネットワーク側デバイスとの間の第１のＲＢと一対一の対応関係にあることを示すために使用される。伝送リンク属性は、データが転送される必要があるかどうかを示す識別子を含んでよい。任意選択で、伝送リンク属性は、伝送リンクによって取り扱われるユーザの識別子、または、伝送リンクによって取り扱われるユーザのＲＢＩＤをさらに含んでよい。
【００８６】
段階Ｓ３０４．第２のユーザ機器が、第１の無線ベアラ識別子情報および端末識別子情報が追加されたデータをネットワーク側デバイスに送信する。
【００８７】
具体的な実装例において、データが転送される必要があるデータであると判断した後、第２のＵＥは、データを処理せず、ネットワーク接続を使用することによって、受信されたデータをネットワーク側デバイスに直接送信してよい。
【００８８】
段階Ｓ３０５．ネットワーク側デバイスが、第１のＲＢＩＤに基づいてデータのデータタイプを判断し、端末識別子情報に基づいて、データの送信元の送信端が第１のユーザ機器であると判断する。
【００８９】
具体的な実装例において、第１のＲＢＩＤおよび端末識別子情報が追加されたデータを受信したとき、ネットワーク側デバイスは第１のＲＢＩＤに基づいて、データのデータタイプを判断してよい。例えば、ネットワーク側デバイスは、受信されたデータがサービスデータなのか、シグナリングデータなのか、または同様のものなのかを第１のＲＢＩＤに基づいて識別してよい。ネットワーク側デバイスはさらに、端末識別子情報に基づいて、データの送信元の送信端が第１のＵＥであると判断してよい。
【００９０】
任意選択的な実施形態において、第２のＵＥによって送信されたデータを受信した後、ネットワーク側デバイスは、第１のＲＢＩＤおよび端末識別子情報に対応するＰＤＣＰ処理プロセスを使用することによってデータを処理してよい。ＰＤＣＰ処理プロセスは、第１のＲＢＩＤおよび端末識別子情報と一対一の対応関係にある。具体的には、受信されたデータにおける第１のＲＢＩＤおよび端末識別子情報が、ネットワーク側デバイスのＰＤＣＰ処理プロセスのうちのどれにも一致しないとき、ネットワーク側デバイスは、データを削除してよい。受信されたデータにおける第１のＲＢＩＤおよび端末識別子情報が、ネットワーク側デバイスのＰＤＣＰ処理プロセスと一致するとき、ネットワーク側デバイスは、ＰＤＣＰ処理プロセスを使用することによってデータを処理してよい。
【００９１】
図３に示される実施形態において、第１のＵＥは、送信される必要があるデータに第１のＲＢＩＤと第１のＵＥの端末識別子情報とを追加し、第１のＲＢＩＤおよび端末識別子情報が追加されたデータを第２のユーザ機器に送信する。これにより、第２のユーザ機器は、データをネットワーク側デバイスに送信し、ネットワーク側デバイスは、受信されたデータの送信元の送信端とデータタイプとを簡便に識別する。
【００９２】
図４を参照すると、図４は、本発明の別の実施形態に係るデータ伝送方法の概略フローチャートである。本発明のこの実施形態においては、ダウンリンクデータ伝送の応用シナリオが説明される。ここで、ネットワーク側デバイスは、送信される必要があるデータに第１のＲＢＩＤおよび端末識別子情報を追加する。図４に示すように、本発明のこの実施形態のデータ伝送方法は、以下の段階を備えてよい。
【００９３】
段階Ｓ４０１．ネットワーク側デバイスが、送信される必要があるデータの第１の無線ベアラ識別子情報と第１のユーザ機器の端末識別子情報とを取得する。
【００９４】
ネットワーク側デバイスは、送信される必要があるデータの第１のＲＢＩＤと、第１のＵＥの端末識別子情報とをローカルに取得してよい。例えば、第２のＵＥによって転送された第１のＵＥのデータに応答して、ネットワーク側デバイスは、第１のＵＥに送信される必要があるデータを取得し、データの第１のＲＢＩＤと第１のＵＥの端末識別子情報とを取得してよい。別の例の場合、ネットワーク側デバイスは、情報を第１のＵＥにプッシュしてよい。プッシュされた情報は、現在送信される必要があるデータであってよい。  ネットワーク側デバイスは、送信される必要があるデータの第１のＲＢＩＤと、第１のＵＥの端末識別子情報とをローカルに取得してよい。
【００９５】
段階Ｓ４０２．ネットワーク側デバイスが、第１の無線ベアラ識別子情報および端末識別子情報をデータに追加する。
【００９６】
任意選択的な実施形態において、ネットワーク側デバイスは、送信される必要があるデータを含むデータパケットのヘッダに第１のＲＢＩＤおよび端末識別子情報を追加してよい。例えば、第１のＵＥと通信するために使用される第５のＰＤＣＰ層においてデータに対してセキュア処理を行ってＰＤＵデータパケットを取得した後、ネットワーク側デバイスは、ＰＤＵデータパケットのヘッダに２つのフィールドを追加してよい。ここで、当該フィールドはそれぞれ、第１のＲＢＩＤおよび端末識別子情報を追加するために使用される。別の例の場合、ネットワーク側デバイスは、第１のＵＥと通信するために使用される第５のＰＤＣＰ層においてセキュア処理を行った後にＰＤＵデータパケットを取得し、セキュア処理の後に取得されたＰＤＵデータパケットを、第１のＵＥと通信するために使用される第５のＲＬＣ層に転送し、第５のＲＬＣ層においてＰＤＵデータパケットのヘッダに２つのフィールドを追加する。ここで、当該フィールドはそれぞれ、第１のＲＢＩＤおよび端末識別子情報を追加するために使用される。
【００９７】
段階Ｓ４０３．ネットワーク側デバイスが、第１の無線ベアラ識別子情報および端末識別子情報が追加されたデータを第２のユーザ機器に送信する。
【００９８】
段階Ｓ４０４．第２のユーザ機器が、データが転送される必要があるデータであると判断する。
【００９９】
ネットワーク側デバイスによって送信されたデータを受信した後、第２のＵＥは、データが転送される必要があるデータであるかどうかを判断してよい。データが転送される必要があるデータであるとき、第２のＵＥは、データを端末識別子情報に対応する第１のＵＥに送信してよい。データが転送される必要があるデータではないとき、第２のＵＥは、データを直接処理してよい。
【０１００】
任意選択的な実施形態において、第２のＵＥは、第１のＲＢＩＤおよび／または端末識別子情報に基づいて、データが転送される必要があるデータであると判断してよい。具体的には、ネットワーク側デバイスがデータを第２のＵＥのみに送信する予定である場合、ネットワーク側デバイスは、第１のＲＢＩＤおよび端末識別子情報を追加せず、データを第２のＵＥに直接送信してよい。第２のＵＥによって受信されたデータは、第１のＲＢＩＤも端末識別子情報も含まない。第２のＵＥがデータを第１のＵＥに転送するよう、ネットワーク側デバイスがデータを第２のＵＥに送信する予定である場合、ネットワーク側デバイスは、第１のＲＢＩＤおよび端末識別子情報を追加し、第１のＲＢＩＤおよび端末識別子情報が追加されたデータを第２のＵＥに送信してよい。第２のＵＥによって受信されたデータは、第１のＲＢＩＤおよび端末識別子情報を含む。言い換えれば、第２のＵＥは、受信されたデータが第１のＲＢＩＤまたは端末識別子情報を含むかどうかを判断してよく、受信されたデータが第１のＲＢＩＤまたは端末識別子情報を含むとき、第２のＵＥは、データが転送される必要があるデータであると判断してよい。
【０１０１】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の受信端が第１のＵＥである１または複数のデータを伝送するために使用される。
【０１０２】
段階Ｓ４０５．第２のユーザ機器が、第１の無線ベアラ識別子情報および端末識別子情報が追加されたデータを第１のユーザ機器に送信する。
【０１０３】
任意選択的な実施形態において、データが転送される必要があるデータであると判断した後、第２のＵＥは、データから端末識別子情報を削除してよく、端末識別子情報が削除されたデータを、端末識別子情報に基づいて第１のＵＥに送信してよい。第１のＵＥは、第１のＲＢＩＤに基づいて、データのデータタイプを識別してよい。
【０１０４】
任意選択的な実施形態において、データが転送される必要があるデータであると第２のＵＥが判断した後、第２のＵＥと第１のＵＥとの間の通信リンクが第１のＵＥの第１のＲＢと一対一の対応関係にあるとき、第２のＵＥは、データから第１のＲＢＩＤおよび端末識別子情報を削除し、第１のＲＢＩＤおよび端末識別子情報が削除されたデータを、端末識別子情報に基づいて第１のＵＥに送信してよい。
【０１０５】
図４に示された実施形態において、ネットワーク側デバイスは、伝送される必要があるデータの第１のＲＢＩＤと第１のＵＥの端末識別子情報とを取得し、第１のＲＢＩＤおよび端末識別子情報をデータに追加し、第１のＲＢＩＤおよび端末識別子情報が追加されたデータを第２のユーザ機器に送信する。これにより、第２のユーザ機器は、データを第１のユーザ機器に転送し、これにより、第１のＵＥは、データのデータタイプを簡便に識別する。
【０１０６】
図５を参照すると、図５は、本発明の別の実施形態に係るデータ伝送方法の概略フローチャートである。本発明のこの実施形態において、アップリンクデータ伝送の応用シナリオが説明される。ここで、第１のＵＥは、送信される必要があるデータに第１のＲＢＩＤを追加し、第２のＵＥは、第１のＲＢＩＤが追加されたデータに第１のＵＥの端末識別子情報を追加する。図５に示すように、本発明のこの実施形態のデータ伝送方法は、以下の段階を備えてよい。
【０１０７】
段階Ｓ５０１．第１のユーザ機器が、送信される必要があるデータに第１の無線ベアラ識別子情報を追加する。
【０１０８】
データを送信する必要があるとき、第１のＵＥは、データの第１のＲＢＩＤを取得し、送信される必要があるデータに第１のＲＢＩＤを追加してよい。
【０１０９】
任意選択的な実施形態において、第１のＵＥは、データを含むデータパケットのヘッダに第１のＲＢＩＤを追加してよい。例えば、第１のＰＤＣＰ層においてデータに対してセキュア処理を行ってＰＤＵデータパケットを取得した後、第１のＵＥは、ＰＤＵデータパケットのヘッダに１つのフィールドを追加してよい。ここで、当該フィールドは、第１のＲＢＩＤを追加するために使用される。別の例の場合、第１のＵＥは、第１のＰＤＣＰ層においてデータに対してセキュア処理を行った後にＰＤＵデータパケットを取得し、セキュア処理の後に取得されたＰＤＵデータパケットを第１のＲＬＣ層に転送し、第１のＲＬＣ層においてＰＤＵデータパケットのヘッダに２つのフィールドを追加する。ここで、当該フィールドはそれぞれ、第１のＲＢＩＤおよび端末識別子情報を追加するために使用される。
【０１１０】
段階Ｓ５０２．第１のユーザ機器が、第１の無線ベアラ識別子情報が追加されたデータを第２のユーザ機器に送信する。
【０１１１】
段階Ｓ５０３．第２のユーザ機器が、第１のユーザ機器によって送信されたデータを、第３の無線ベアラエンティティを使用することによって受信する。
【０１１２】
第２のＵＥは、第１のＵＥによって送信されたデータを、第１のＵＥと通信するために使用される第３のＲＢエンティティを使用することによって受信してよい。第２のＵＥは、第１のＵＥと通信するために使用される第３のＰＤＣＰ層を有してよく、第３のＰＤＣＰ層は、少なくとも１つのＰＤＣＰ処理プロセスを含み、各ＰＤＣＰ処理プロセスは、第３のＲＢエンティティに対応し、第３のＲＢエンティティは、第２のＵＥと第１のＵＥとの間の通信に使用される。本発明のこの実施形態において、ネットワーク側デバイスは、第１のＵＥの第１のＲＢが第２のＵＥの第３のＲＢと一対一の対応関係にあるよう構成し、第２のＵＥは、第３のＲＢと第１のＵＥの端末識別子情報との間の対応関係を事前に確立してよい。
【０１１３】
任意選択的な実施形態において、第１のＵＥと通信するために使用される第３のＰＤＣＰエンティティ層が第２のＵＥのために構成されたとき、第２のＵＥは、第１のＵＥによって送信されたデータを第３のＰＤＣＰエンティティ層において受信する。
【０１１４】
任意選択的な実施形態において、第１のＵＥと通信するために使用される第３のＰＤＣＰ層が第２のＵＥのために構成されないとき、第２のＵＥは、第１のＵＥによって送信されたデータを第３のＲＬＣエンティティ層において受信する。
【０１１５】
段階Ｓ５０４．第２のユーザ機器が、データが転送される必要があるデータであると判断する。
【０１１６】
第１のＵＥによって送信されたデータを受信した後、第２のＵＥは、データが転送される必要があるデータであるかどうかを判断してよい。データが転送される必要があるデータであるとき、第２のＵＥは、データをネットワーク側デバイスに送信してよい。データが転送される必要があるデータではないとき、第２のＵＥは、データを直接処理してよい。
【０１１７】
任意選択的な実施形態において、第２のＵＥは、第１のＲＢＩＤに基づいて、データが転送される必要があるデータであると判断してよい。具体的には、第１のＵＥがデータを第２のＵＥのみに送信する予定である場合、第１のＵＥは、第１のＲＢＩＤを追加せず、データを第２のＵＥに直接送信してよい。第２のＵＥによって受信されたデータは、第１のＲＢＩＤを含まない。第２のＵＥがデータをネットワーク側デバイスに転送するよう、第１のＵＥがデータを第２のＵＥに送信する予定である場合、第１のＵＥは、第１のＲＢＩＤを追加し、第１のＲＢＩＤが追加されたデータを第２のＵＥに送信してよい。第２のＵＥによって受信されたデータは、第１のＲＢＩＤを含む。言い換えれば、第２のＵＥは、受信されたデータが第１のＲＢＩＤを含むかどうかを判断してよく、受信されたデータが第１のＲＢＩＤを含むとき、第２のＵＥは、データが転送される必要があるデータであると判断してよい。
【０１１８】
任意選択的な実施形態において、第２のＵＥは、データの伝送リンク属性に基づいて、データが転送される必要があるデータであると判断してよい。伝送リンク属性は、第１のＵＥと第２のＵＥとの間の伝送リンクが、第１のＵＥとネットワーク側デバイスとの間の第１のＲＢと一対一の対応関係にあることを示すために使用される。伝送リンク属性は、データが転送される必要があるかどうかを示す識別子を含んでよい。任意選択で、伝送リンク属性は、伝送リンクによって取り扱われるユーザの識別子、または、伝送リンクによって取り扱われるユーザのＲＢＩＤをさらに含んでよい。
【０１１９】
段階Ｓ５０５．第２のユーザ機器が、第１のユーザ機器の端末識別子情報を第３の無線ベアラエンティティと第１のユーザ機器の端末識別子情報との間の事前に確立された対応関係に基づいて取得する。
【０１２０】
段階Ｓ５０６．第２のユーザ機器が、端末識別子情報をデータに追加する。
【０１２１】
任意選択的な実施形態において、第２のＵＥは、データの伝送リンク属性に基づいて、端末識別子情報をデータに追加してよい。
【０１２２】
任意選択的な実施形態において、第１のＵＥによって送信されたデータを第３のＰＤＣＰエンティティ層において受信した後、第２のＵＥは、第３のＰＤＣＰエンティティ層において端末識別子情報をデータに追加してよい。
【０１２３】
任意選択的な実施形態において、第１のＵＥによって送信されたデータを第３のＲＬＣエンティティ層において受信した後、第２のＵＥは、第３のＲＬＣエンティティ層において端末識別子情報をデータに追加してよい。
【０１２４】
任意選択的な実施形態において、第２のＵＥは、ネットワーク側デバイスと通信するために使用される第４のＰＤＣＰエンティティ層、第４のＲＬＣエンティティ層、または第４のＭＡＣエンティティ層において、端末識別子情報をデータに追加してよい。
【０１２５】
第２のＵＥは、限定されないが先述のエンティティ層を含む層において、端末識別子情報をデータに追加することに留意すべきである。例えば、第２のＵＥは、アダプテーション層において端末識別子情報をデータに追加してよい。具体的事項は、本発明のこの実施形態において限定されない。
【０１２６】
段階Ｓ５０７．第２のユーザ機器が、端末識別子情報が追加されたデータをネットワーク側デバイスに送信する。
【０１２７】
段階Ｓ５０８．ネットワーク側デバイスが、第１のＲＢＩＤに基づいてデータのデータタイプを判断し、端末識別子情報に基づいて、データの送信元の送信端が第１のユーザ機器であると判断する。
【０１２８】
図５に示される実施形態において、第１のＵＥは、送信される必要があるデータに第１のＲＢＩＤを追加し、第１のＲＢＩＤが追加されたデータを第２のＵＥに送信する。また、第２のＵＥは、第１のＵＥによって送信されたデータを第３のＲＢエンティティを使用することによって受信し、第１のＵＥの端末識別子情報を第３のＲＢエンティティと第１のＵＥの端末識別子情報との間の事前に確立された対応関係に基づいて取得し、端末識別子情報をデータに追加し、端末識別子情報が追加されたデータをネットワーク側デバイスに送信する。これにより、ネットワーク側デバイスは、受信されたデータの送信元の送信端とデータタイプとを簡便に識別する。
【０１２９】
図６を参照すると、図６は、本発明の別の実施形態に係るデータ伝送方法の概略フローチャートである。本発明のこの実施形態においては、ダウンリンクデータ伝送の応用シナリオが説明される。ここで、ネットワーク側デバイスは、送信される必要があるデータに第１のＲＢＩＤを追加し、第２のＵＥは、第１のＲＢＩＤが追加されたデータを第１のＵＥに送信する。図６に示すように、本発明のこの実施形態のデータ伝送方法は、以下の段階を備えてよい。
【０１３０】
段階Ｓ６０１．ネットワーク側デバイスが、伝送される必要があるデータの第１の無線ベアラ識別子情報を取得する。
【０１３１】
段階Ｓ６０２．ネットワーク側デバイスが、第１の無線ベアラ識別子情報をデータに追加する。
【０１３２】
任意選択的な実施形態において、ネットワーク側デバイスは、第１のＵＥと通信する第５のＰＤＣＰエンティティ層と、第２のＵＥと通信するために使用される第２のＲＢエンティティ層とを有してよい。ネットワーク側デバイスは、送信される必要があるデータを第５のＰＤＣＰエンティティ層を使用することによって第２のＲＢエンティティ層に送信する。ここで、第１のＲＢＩＤが保持され、ネットワーク側デバイスは、第２のＲＢエンティティ層において第１のＲＢＩＤをデータに追加する。
【０１３３】
任意選択的な実施形態において、ネットワーク側デバイスは、第１のＵＥと通信する第５のＲＬＣエンティティ層をさらに有してよく、ネットワーク側デバイスは、送信される必要があるデータを、第５のＲＬＣエンティティ層を使用することによって第２のＲＢエンティティ層に送信してよい。
【０１３４】
段階Ｓ６０３．ネットワーク側デバイスが、第１の無線ベアラ識別子情報が追加されたデータを第２のユーザ機器に送信する。
【０１３５】
第２のＲＢエンティティ層において第１のＲＢＩＤをデータに追加した後、ネットワーク側デバイスは、第１のＲＢＩＤが追加されたデータを、第２のＲＢエンティティ層を使用することによって第２のＵＥに送信してよい。
【０１３６】
段階Ｓ６０４．第２のユーザ機器が、データが転送される必要があるデータであると判断する。
【０１３７】
ネットワーク側デバイスによって送信されたデータを受信した後、第２のＵＥは、データが転送される必要があるデータであるかどうかを判断してよい。データが転送される必要があるデータであるとき、第２のＵＥは、端末識別子情報に対応する第１のＵＥにデータを送信してよい。データが転送される必要があるデータではないとき、第２のＵＥは、データを直接処理してよい。
【０１３８】
任意選択的な実施形態において、第２のＵＥは、第１のＲＢＩＤに基づいて、データが転送される必要があるデータであると判断してよい。具体的には、ネットワーク側デバイスがデータを第２のＵＥのみに送信する予定である場合、ネットワーク側デバイスは、第１のＲＢＩＤを追加せず、データを第２のＵＥに直接送信してよい。第２のＵＥによって受信されたデータは、第１のＲＢＩＤを含まない。第２のＵＥがデータを第１のＵＥに転送するよう、ネットワーク側デバイスがデータを第２のＵＥに送信する予定である場合、ネットワーク側デバイスは、第１のＲＢＩＤを追加し、第１のＲＢＩＤが追加されたデータを第２のＵＥに送信してよい。第２のＵＥによって受信されたデータパケットは、第１のＲＢＩＤを含む。言い換えれば、第２のＵＥは、受信されたデータが第１のＲＢＩＤを含むかどうかを判断してよく、受信されたデータが第１のＲＢＩＤを含むとき、第２のＵＥは、データが転送される必要があるデータであると判断してよい。
【０１３９】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の受信端が第１のＵＥである１または複数のデータを伝送するために使用される。
【０１４０】
段階Ｓ６０５．第２のユーザ機器が、第１の無線ベアラ識別子情報が追加されたデータを第１のユーザ機器に送信する。
【０１４１】
本発明のこの実施形態において、第２のＵＥが第１のＵＥのみの中継機として使用されるようネットワーク側デバイスが構成する場合、データが転送される必要があるデータであると判断した後、第２のＵＥは、第１のＲＢＩＤが追加されたデータを第１のＵＥに直接送信してよい。
【０１４２】
任意選択的な実施形態において、第１のＵＥと通信するために使用される第３のＰＤＣＰエンティティ層が第２のＵＥのために構成され、第３のＰＤＣＰエンティティ層が第１のＵＥの第１のＲＢエンティティと一対一の対応関係にあるとき、第２のＵＥは、第１のＲＢエンティティに対応する第３のＰＤＣＰエンティティ層を第１のＲＢＩＤに基づいて判断し、第３のＰＤＣＰエンティティ層においてデータから第１のＲＢＩＤを削除し、第１のＲＢＩＤが削除されたデータを第３のＰＤＣＰエンティティ層を使用することによって第１のＵＥに送信してよい。
【０１４３】
第１のＵＥと通信するために使用される第３のＰＤＣＰエンティティ層が第２のＵＥのために構成されないとき、第２のＵＥは、第１のＲＢエンティティに対応する第３のＲＬＣエンティティ層を第１のＲＢＩＤに基づいて判断し、第３のＲＬＣエンティティ層においてデータから第１のＲＢＩＤを削除し、第１のＲＢＩＤが削除されたデータを、第３のＲＬＣエンティティ層を使用することによって第１のＵＥに送信する。
【０１４４】
図６に示された実施形態において、ネットワーク側デバイスは、伝送される必要があるデータの第１のＲＢＩＤを取得し、第１のＲＢＩＤをデータに追加し、第１のＲＢＩＤが追加されたデータを第２のＵＥに送信し、第２のＵＥは、第１のＲＢＩＤが追加されたデータを第１のＵＥに送信する。これにより、第１のＵＥは、受信されたデータのデータタイプを簡便に識別する。
【０１４５】
図７を参照すると、図７は、本発明の別の実施形態に係るデータ伝送方法の概略フローチャートである。本発明のこの実施形態において、アップリンクデータ伝送の応用シナリオが説明される。ここで、第１のＵＥは、送信される必要があるデータに第１のＵＥの端末識別子情報を追加し、第２のＵＥは、第１のＵＥの端末識別子情報が追加されたデータに第１のＲＢＩＤを追加する。図７に示すように、本発明のこの実施形態のデータ伝送方法は、以下の段階を備えてよい。
【０１４６】
段階Ｓ７０１．第１のユーザ機器が、送信される必要があるデータに第１のユーザ機器の端末識別子情報を追加する。
【０１４７】
データを送信する必要があるとき、第１のＵＥは、第１のＵＥの端末識別子情報を取得し、送信される必要があるデータに第１のＵＥの端末識別子情報を追加してよい。
【０１４８】
任意選択的な実施形態において、第１のＵＥは、データを含むデータパケットのヘッダに第１のＵＥの端末識別子情報を追加してよい。例えば、第１のＰＤＣＰ層においてデータに対してセキュア処理を行ってＰＤＵデータパケットを取得した後、第１のＵＥは、ＰＤＵデータパケットのヘッダに１つのフィールドを追加してよい。ここで、当該フィールドは、第１のＵＥの端末識別子情報を追加するために使用される。別の例の場合、第１のＰＤＣＰ層においてデータに対してセキュア処理を行うことによってＰＤＵデータパケットを取得した後、第１のＵＥは、セキュア処理の後に取得されたＰＤＵデータパケットを第１のＲＬＣ層に転送し、第１のＲＬＣ層においてＰＤＵデータパケットのヘッダに２つのフィールドを追加してよい。ここで、当該フィールドはそれぞれ、第１のＲＢＩＤおよび端末識別子情報を追加するために使用される。
【０１４９】
段階Ｓ７０２．第１のユーザ機器が、端末識別子情報が追加されたデータを第２のユーザ機器に送信する。
【０１５０】
段階Ｓ７０３．第２のユーザ機器が、第１のユーザ機器によって送信されたデータを、第３の無線ベアラエンティティを使用することによって受信する。
【０１５１】
第２のＵＥは、第１のＵＥによって送信されたデータを、第１のＵＥと通信するために使用される第３のＲＢエンティティを使用することによって受信してよい。第２のＵＥは、第１のＵＥと通信するために使用される第３のＰＤＣＰ層を有してよく、第３のＰＤＣＰ層は、少なくとも１つのＰＤＣＰ処理プロセスを含み、各ＰＤＣＰ処理プロセスは、第３のＲＢエンティティに対応し、第３のＲＢエンティティは、第２のＵＥと第１のＵＥとの間の通信に使用される。本発明のこの実施形態において、ネットワーク側デバイスは、第１のＵＥの第１のＲＢが第２のＵＥの第３のＲＢと一対一の対応関係にあるよう構成し、第２のＵＥは、第３のＲＢと第１のＲＢＩＤとの間の対応関係を事前に確立してよい。
【０１５２】
任意選択的な実施形態において、第１のＵＥと通信するために使用される第３のＰＤＣＰエンティティ層が第２のＵＥのために構成されたとき、第２のＵＥは、第１のＵＥによって送信されたデータを第３のＰＤＣＰエンティティ層において受信する。
【０１５３】
任意選択的な実施形態において、第３のＰＤＣＰ層が第２のＵＥのために構成されないとき、第２のＵＥは、第１のＵＥによって送信されたデータを、第１のＵＥと通信するために使用される第３のＲＬＣエンティティ層において受信する。
【０１５４】
段階Ｓ７０４．第２のユーザ機器が、データが転送される必要があるデータであると判断する。
【０１５５】
第１のＵＥによって送信されたデータを受信した後、第２のＵＥは、データが転送される必要があるデータであるかどうかを判断してよい。データが転送される必要があるデータであるとき、第２のＵＥは、データをネットワーク側デバイスに送信してよい。データが転送される必要があるデータではないとき、第２のＵＥは、データを直接処理してよい。
【０１５６】
任意選択的な実施形態において、第２のＵＥは、第１のＲＢＩＤに基づいて、データが転送される必要があるデータであると判断してよい。具体的には、第１のＵＥが第２のＵＥのみにデータを送信する予定である場合、第１のＵＥは、端末識別子情報を追加せず、データを第２のＵＥに直接送信してよい。第２のＵＥによって受信されたデータは、端末識別子情報を含まない。第２のＵＥがデータをネットワーク側デバイスに転送するよう、第１のＵＥがデータを第２のＵＥに送信する予定である場合、第１のＵＥは、第１のＵＥの端末識別子情報を追加し、端末識別子情報が追加されたデータを第２のＵＥに送信してよい。第２のＵＥによって受信されたデータは、端末識別子情報を含む。言い換えれば、第２のＵＥは、受信されたデータが端末識別子情報を含むかどうかを判断してよく、受信されたデータが端末識別子情報を含むとき、第２のＵＥは、データが転送される必要があるデータであると判断してよい。
【０１５７】
任意選択的な実施形態において、第２のＵＥは、データの伝送リンク属性に基づいて、データが転送される必要があるデータであると判断してよい。伝送リンク属性は、第１のＵＥと第２のＵＥとの間の伝送リンクが、第１のＵＥとネットワーク側デバイスとの間の第１のＲＢと一対一の対応関係にあることを示すために使用される。伝送リンク属性は、データが転送される必要があるかどうかを示す識別子を含んでよい。任意選択で、伝送リンク属性は、伝送リンクによって取り扱われるユーザの識別子、または、伝送リンクによって取り扱われるユーザのＲＢＩＤをさらに含んでよい。
【０１５８】
段階Ｓ７０５．第２のユーザ機器が、第１の無線ベアラ識別子情報を第３の無線ベアラエンティティと第１の無線ベアラ識別子情報との間の事前に確立された対応関係に基づいて取得する。
【０１５９】
段階Ｓ７０６．第２のユーザ機器が、第１の無線ベアラ識別子情報をデータに追加する。
【０１６０】
任意選択的な実施形態において、第２のＵＥは、データの伝送リンク属性に基づいて、第１のＲＢＩＤをデータに追加してよい。
【０１６１】
任意選択的な実施形態において、第１のＵＥによって送信されたデータを第３のＰＤＣＰエンティティ層において受信した後、第２のＵＥは、第３のＰＤＣＰエンティティ層において第１のＲＢＩＤをデータに追加してよい。
【０１６２】
任意選択的な実施形態において、第１のＵＥによって送信されたデータを第３のＲＬＣエンティティ層において受信した後、第２のＵＥは、第３のＲＬＣエンティティ層において第１のＲＢＩＤをデータに追加してよい。
【０１６３】
任意選択的な実施形態において、第２のＵＥは、ネットワーク側デバイスと通信するために使用される第４のＰＤＣＰエンティティ層、第４のＲＬＣエンティティ層、または第４のＭＡＣエンティティ層において、第１のＲＢＩＤをデータに追加してよい。
【０１６４】
第２のＵＥは、限定されないが先述のエンティティ層を含む層において、第１のＲＢＩＤをデータに追加することに留意すべきである。例えば、第２のＵＥは、アダプテーション層において第１のＲＢＩＤをデータに追加してよい。具体的事項は、本発明のこの実施形態において限定されない。
【０１６５】
段階Ｓ７０７．第２のユーザ機器が、第１の無線ベアラ識別子情報が追加されたデータをネットワーク側デバイスに送信する。
【０１６６】
段階Ｓ７０８．ネットワーク側デバイスは、第１のＲＢＩＤに基づいてデータのデータタイプを判断し、端末識別子情報に基づいて、データの送信元の送信端が第１のユーザ機器であると判断する。
【０１６７】
図７に示される実施形態において、第１のＵＥは、送信される必要があるデータに第１のＵＥの端末識別子情報を追加し、端末識別子情報が追加されたデータを第２のＵＥに送信する。また、第２のＵＥは、第１のＵＥによって送信されたデータを、第３のＲＢエンティティを使用することによって受信し、第１のＲＢＩＤを第３のＲＢエンティティと第１のＲＢＩＤとの間の事前に確立された対応関係に基づいて取得し、第１のＲＢＩＤをデータに追加し、第１のＲＢＩＤが追加されたデータをネットワーク側デバイスに送信する。
【０１６８】
図８を参照すると、図８は、本発明の別の実施形態に係るデータ伝送方法の概略フローチャートである。本発明のこの実施形態において、ダウンリンクデータ伝送の応用シナリオが説明される。ここで、ネットワーク側デバイスは、送信される必要があるデータに第１のＵＥの端末識別子情報を追加し、第２のＵＥは、第１のＵＥの端末識別子情報が追加されたデータに第１のＲＢＩＤを追加する。図８に示すように、本発明のこの実施形態のデータ伝送方法は、以下の段階を備えてよい。
【０１６９】
段階Ｓ８０１．ネットワーク側デバイスが、第１のユーザ機器の端末識別子情報を取得する。
【０１７０】
段階Ｓ８０２．ネットワーク側デバイスが、送信される必要があるデータに端末識別子情報を追加する。
【０１７１】
任意選択的な実施形態において、ネットワーク側デバイスは、第１のＵＥと通信する第５のＰＤＣＰエンティティ層と、第２のＵＥと通信するために使用される第２のＲＢエンティティ層とを有してよい。ネットワーク側デバイスは、送信される必要があるデータを第５のＰＤＣＰエンティティ層を使用することによって第２のＲＢエンティティ層に送信する。ここで、第１のＵＥの端末識別子情報が保持され、ネットワーク側デバイスは、第２のＲＢエンティティ層において第１のＵＥの端末識別子情報をデータに追加する。
【０１７２】
任意選択的な実施形態において、ネットワーク側デバイスは、第１のＵＥと通信する第５のＲＬＣエンティティ層をさらに有してよく、ネットワーク側デバイスは、送信される必要があるデータを、第５のＲＬＣエンティティ層を使用することによって第２のＲＢエンティティ層に送信してよい。
【０１７３】
段階Ｓ８０３．ネットワーク側デバイスが、端末識別子情報が追加されたデータを第２のユーザ機器に送信する。
【０１７４】
第２のＲＢエンティティ層において第１のＵＥの端末識別子情報をデータに追加した後、ネットワーク側デバイスは、第１のＵＥの端末識別子情報が追加されたデータを、第２のＲＢエンティティ層を使用することによって第２のＵＥに送信してよい。
【０１７５】
段階Ｓ８０４．第２のユーザ機器が、データが転送される必要があるデータであると判断する。
【０１７６】
ネットワーク側デバイスによって送信されたデータを受信した後、第２のＵＥは、データが転送される必要があるデータであるかどうかを判断してよい。データが転送される必要があるデータであるとき、第２のＵＥは、データを端末識別子情報に対応する第１のＵＥに送信してよい。データが転送される必要があるデータではないとき、第２のＵＥは、データを直接処理してよい。
【０１７７】
任意選択的な実施形態において、第２のＵＥは、端末識別子情報に基づいて、データが転送される必要があるデータであると判断してよい。具体的には、ネットワーク側デバイスがデータを第２のＵＥのみに送信する予定である場合、ネットワーク側デバイスは、端末識別子情報を追加せず、データを第２のＵＥに直接送信してよい。第２のＵＥによって受信されたデータは、端末識別子情報を含まない。第２のＵＥがデータを第１のＵＥに転送するよう、ネットワーク側デバイスがデータを第２のＵＥに送信する予定である場合、ネットワーク側デバイスは、第１のＵＥの端末識別子情報を追加し、第１のＵＥの端末識別子情報が追加されたデータを第２のＵＥに送信してよい。第２のＵＥによって受信されたデータは、端末識別子情報を含む。言い換えれば、第２のＵＥは、受信されたデータが端末識別子情報を含むかどうかを判断してよく、受信されたデータが端末識別子情報を含むとき、第２のＵＥは、データが転送される必要があるデータであると判断してよい。
【０１７８】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の受信端が第１のＵＥである１または複数のデータを伝送するために使用される。
【０１７９】
段階Ｓ８０５．第２のユーザ機器が、データの第１の無線ベアラ識別子情報を取得する。
【０１８０】
本発明のこの実施形態において、第２のＵＥが第１のＵＥのみの中継機として使用されるようネットワーク側デバイスが構成する場合、第２のＵＥは、ローカルに記憶されたデータの第１のＲＢＩＤを取得してよい。
【０１８１】
段階Ｓ８０６．第２のユーザ機器が、第１の無線ベアラ識別子情報をデータに追加する。
【０１８２】
段階Ｓ８０７．第２のユーザ機器が、第１の無線ベアラ識別子情報が追加されたデータを第１のユーザ機器に送信する。
【０１８３】
任意選択的な実施形態において、第１のＵＥと通信するために使用される第３のＰＤＣＰエンティティ層が第２のＵＥのために構成され、第３のＰＤＣＰエンティティ層が第１のＵＥの第１のＲＢエンティティと一対一の対応関係にあるとき、第２のＵＥは、第１のＲＢエンティティに対応する第３のＰＤＣＰエンティティ層を第１のＲＢＩＤに基づいて判断し、第３のＰＤＣＰエンティティ層においてデータから第１のＲＢＩＤおよび端末識別子情報を削除し、第１のＲＢＩＤおよび端末識別子情報が削除されたデータを、第３のＰＤＣＰエンティティ層を使用することによって第１のＵＥに送信してよい。
【０１８４】
第３のＰＤＣＰエンティティ層が第２のＵＥのために構成されないとき、第２のＵＥは、第１のＲＢエンティティに対応する第３のＲＬＣエンティティ層を第１のＲＢＩＤに基づいて判断し、第３のＲＬＣエンティティ層においてデータから第１のＲＢＩＤおよび端末識別子情報を削除し、第１のＲＢＩＤおよび端末識別子情報が削除されたデータを、第３のＲＬＣエンティティ層を使用することによって第１のＵＥに送信する。
【０１８５】
図８に示される実施形態において、ネットワーク側デバイスは、第１のＵＥの端末識別子情報を取得し、端末識別子情報をデータに追加し、端末識別子情報が追加されたデータを第２のＵＥに送信する。また、第２のＵＥは、第１のＲＢＩＤを取得し、第１のＲＢＩＤをデータに追加し、第１のＲＢＩＤが追加されたデータを第１のＵＥに送信する。これにより、第１のＵＥは、受信されたデータのデータタイプを簡便に識別する。
【０１８６】
図９を参照すると、図９は、本発明の別の実施形態に係るデータ伝送方法の概略フローチャートである。本発明のこの実施形態においては、アップリンクデータ伝送の応用シナリオが説明される。ここで、第２のＵＥは、第１のＵＥおよび第１のＲＢＩＤの端末識別子情報をデータに追加する。図９に示すように、本発明のこの実施形態のデータ伝送方法は、以下の段階を備えてよい。
【０１８７】
段階Ｓ９０１．第１のユーザ機器が、送信される必要があるデータを第２のユーザ機器に送信する。
【０１８８】
データを送信する必要があるとき、第１のＵＥは、送信される必要があるデータを第２のＵＥに直接送信してよい。
【０１８９】
段階Ｓ９０２．第２のユーザ機器が、第１のユーザ機器によって送信されたデータを、第３の無線ベアラエンティティを使用することによって受信する。
【０１９０】
第２のＵＥは、第１のＵＥによって送信されたデータを、第１のＵＥと通信するために使用される第３のＲＢエンティティを使用することによって受信してよい。第２のＵＥは、第１のＵＥと通信するために使用される第３のＰＤＣＰ層を有してよく、第３のＰＤＣＰ層は、少なくとも１つのＰＤＣＰ処理プロセスを含み、各ＰＤＣＰ処理プロセスは、第３のＲＢエンティティに対応し、第３のＲＢエンティティは、第２のＵＥと第１のＵＥとの間の通信に使用される。本発明のこの実施形態において、ネットワーク側デバイスは、第１のＵＥの第１のＲＢが第２のＵＥの第３のＲＢと一対一の対応関係にあるよう構成し、第２のＵＥは、第３のＲＢと第１のＵＥの端末識別子情報および第１のＲＢＩＤとの間の対応関係を事前に確立してよい。
【０１９１】
任意選択的な実施形態において、第１のＵＥと通信するために使用される第３のＰＤＣＰエンティティ層が第２のＵＥのために構成されたとき、第２のＵＥは、第１のＵＥによって送信されたデータを第３のＰＤＣＰエンティティ層において受信する。
【０１９２】
任意選択的な実施形態において、第３のＰＤＣＰ層が第２のＵＥのために構成されないとき、第２のＵＥは、第１のＵＥによって送信されたデータを、第３のＲＬＣエンティティ層において受信する。
【０１９３】
段階Ｓ９０３．第２のユーザ機器が、データが転送される必要があるデータであると判断する。
【０１９４】
具体的な実装例において、第２のＵＥは、データの伝送リンク属性に基づいて、データが転送される必要があるデータであると判断してよい。
【０１９５】
段階Ｓ９０４．第２のユーザ機器が、データの第１の無線ベアラ識別子情報と第１のユーザ機器の端末識別子情報とを、第３の無線ベアラエンティティと第１の無線ベアラ識別子情報および端末識別子情報との間の事前に確立された対応関係に基づいて取得する。
【０１９６】
段階Ｓ９０５．第２のユーザ機器が、第１の無線ベアラ識別子情報および端末識別子情報をデータに追加する。
【０１９７】
任意選択的な実施形態において、第２のＵＥは、データの伝送リンク属性に基づいて、第１のＲＢＩＤおよび端末識別子情報をデータに追加してよい。
【０１９８】
任意選択的な実施形態において、第１のＵＥによって送信されたデータを第３のＰＤＣＰエンティティ層において受信した後、第２のＵＥは、第３のＰＤＣＰエンティティ層において第１のＲＢＩＤおよび端末識別子情報をデータに追加してよい。
【０１９９】
任意選択的な実施形態において、第１のＵＥによって送信されたデータを第３のＲＬＣエンティティ層において受信した後、第２のＵＥは、第３のＲＬＣエンティティ層において第１のＲＢＩＤおよび端末識別子情報をデータに追加してよい。
【０２００】
任意選択的な実施形態において、第２のＵＥは、ネットワーク側デバイスと通信するために使用される第４のＰＤＣＰエンティティ層、第４のＲＬＣエンティティ層、または第４のＭＡＣエンティティ層において、第１のＲＢＩＤおよび端末識別子情報をデータに追加してよい。
【０２０１】
第２のＵＥは、限定されないが先述のエンティティ層を含む層において、端末識別子情報をデータに追加することに留意すべきである。例えば、第２のＵＥは、アダプテーション層において端末識別子情報をデータに追加してよい。具体的事項は、本発明のこの実施形態において限定されない。
【０２０２】
段階Ｓ９０６．第２のユーザ機器が、第１の無線ベアラ識別子情報および端末識別子情報が追加されたデータをネットワーク側デバイスに送信する。
【０２０３】
段階Ｓ９０７．ネットワーク側デバイスが、第１のＲＢＩＤに基づいてデータのデータタイプを判断し、端末識別子情報に基づいて、データの送信元の送信端が第１のユーザ機器であると判断する。
【０２０４】
図９に示される実施形態において、第１のＵＥは、送信される必要があるデータを第２のＵＥに送信する。また、第２のＵＥは、第１のＵＥによって送信されたデータを第３のＲＢエンティティを使用することによって受信し、データの第１のＲＢＩＤと第１のＵＥの端末識別子情報とを、第３のＲＢエンティティと第１のＲＢＩＤおよび端末識別子情報との間の事前に確立された対応関係とに基づいて取得し、第１のＲＢＩＤおよび端末識別子情報をデータに追加し、第１のＲＢＩＤおよび端末識別子情報が追加されたデータをネットワーク側デバイスに送信する。これにより、ネットワーク側デバイスは、受信されたデータの送信元の送信端およびデータタイプを簡便に識別する。
【０２０５】
図１０を参照すると、図１０は、本発明の別の実施形態に係るデータ伝送方法の概略フローチャートである。本発明のこの実施形態においては、ダウンリンクデータ伝送の応用シナリオが説明される。ここで、第２のＵＥは、第１のＲＢＩＤをデータに追加する。図１０に示すように、本発明のこの実施形態のデータ伝送方法は、以下の段階を備えてよい。
【０２０６】
段階Ｓ１００１．ネットワーク側デバイスが、送信される必要があるデータを第２のユーザ機器に送信する。ここで、データは、第１の無線ベアラ識別子情報と第１のユーザ機器の端末識別子情報とを保持する。
【０２０７】
段階Ｓ１００２．第２のユーザ機器が、データが転送される必要があるデータであると判断する。
【０２０８】
ネットワーク側デバイスによって送信されたデータを受信した後、第２のＵＥは、データが転送される必要があるデータであるかどうかを判断してよい。データが転送される必要があるデータであるとき、第２のＵＥは、データを端末識別子情報に対応する第１のＵＥに送信してよい。データが転送される必要があるデータではないとき、第２のＵＥは、データを直接処理してよい。
【０２０９】
任意選択的な実施形態において、第２のＵＥは、第１のＲＢＩＤおよび／または端末識別子情報に基づいて、データが転送される必要があるデータであると判断してよい。具体的には、ネットワーク側デバイスがデータを第２のＵＥのみに送信する予定である場合、ネットワーク側デバイスは、第１のＲＢＩＤおよび／または端末識別子情報を追加せず、データを第２のＵＥに直接送信してよい。第２のＵＥによって受信されたデータは、第１のＲＢＩＤも端末識別子情報も含まない。第２のＵＥがデータを第１のＵＥに転送するよう、ネットワーク側デバイスがデータを第２のＵＥに送信する予定である場合、ネットワーク側デバイスは、第１のＲＢＩＤおよび／または端末識別子情報を追加し、第１のＲＢＩＤおよび／または端末識別子情報が追加されたデータを第２のＵＥに送信してよい。第２のＵＥによって受信されたデータは、第１のＲＢＩＤまたは端末識別子情報を含む。言い換えれば、第２のＵＥは、受信されたデータが第１のＲＢＩＤまたは端末識別子情報を含むかどうかを判断してよく、受信されたデータが第１のＲＢＩＤまたは端末識別子情報を含むとき、第２のＵＥは、データが転送される必要があるデータであると判断してよい。
【０２１０】
任意選択的な実施形態において、第２のＵＥがネットワーク側において構成された第２のＲＢからデータパケットを取得したとき、第２のＵＥは、データが転送される必要があるデータであると判断してよい。第２のＲＢは、第２のＵＥとネットワーク側デバイスとの間に位置し、第２のＲＢは、送信元の送信端または送信先の受信端が第１のＵＥである１または複数のデータを伝送するために使用される。
【０２１１】
段階Ｓ１００３．第２のユーザ機器が、第１の無線ベアラ識別子情報をデータに追加する。
【０２１２】
段階Ｓ１００４．第２のユーザ機器が、第１の無線ベアラ識別子情報が追加されたデータを、端末識別子情報に基づいて第１のユーザ機器に送信する。
【０２１３】
任意選択的な実施形態において、第１のＵＥと通信するために使用される第３のＰＤＣＰエンティティ層が第２のＵＥのために構成され、第３のＰＤＣＰエンティティ層が第１のＵＥの第１のＲＢエンティティと一対一の対応関係にあるとき、第２のＵＥは、第１のＲＢエンティティに対応する第３のＰＤＣＰエンティティ層を第１のＲＢＩＤに基づいて判断し、第３のＰＤＣＰエンティティ層においてデータから第１のＲＢＩＤおよび端末識別子情報を削除し、第１のＲＢＩＤおよび端末識別子情報が削除されたデータを、第３のＰＤＣＰエンティティ層を使用することによって第１のＵＥに送信してよい。
【０２１４】
第３のＰＤＣＰエンティティ層が第２のＵＥのために構成されないとき、第２のＵＥは、第１のＲＢエンティティに対応する第３のＲＬＣエンティティ層を第１のＲＢＩＤに基づいて判断し、第３のＲＬＣエンティティ層においてデータから第１のＲＢＩＤおよび端末識別子情報を削除し、第１のＲＢＩＤおよび端末識別子情報が削除されたデータを、第３のＲＬＣエンティティ層使用することによって第１のＵＥに送信してよい。
【０２１５】
図１０に示される実施形態において、ネットワーク側デバイスは、送信される必要があるデータを第２のＵＥに送信する。ここで、データは、第１のＲＢＩＤおよび第１のＵＥの端末識別子情報を保持する。また、第２のＵＥは、第１のＲＢＩＤをデータに追加し、第１のＲＢＩＤが追加されたデータを、端末識別子情報に基づいて第１のＵＥに送信する。これにより、第１のＵＥは、受信されたデータのデータタイプを簡便に識別する。
【０２１６】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも処理モジュール１１０１と送信モジュール１１０２とを備えてよい。
【０２１７】
処理モジュール１１０１は、転送される必要があるデータに第１のＲＢＩＤおよび／または第１のＵＥの端末識別子情報を追加するよう構成される。ここで、第１のＲＢＩＤに対応する第１のＲＢは、第１のＵＥとネットワーク側デバイスとの間に位置する。
【０２１８】
送信モジュール１１０２は、第２のＵＥがデータを転送するように、データを第２のＵＥに送信するよう構成される。ここで、データは、処理モジュール１１０１によって追加された第１のＲＢＩＤおよび／または端末識別子情報を含む。
【０２１９】
任意選択的な実施形態において、処理モジュール１１０１は具体的に、データを含むデータパケットのヘッダに第１のＲＢＩＤおよび／または第１のＵＥの端末識別子情報を追加するよう構成される。
【０２２０】
任意選択的な実施形態において、本発明のこの実施形態の装置は、第２のＵＥによって転送されたネットワーク側デバイスのデータを受信するよう構成される受信モジュール１１０３をさらに備えてよい。ここで、データは、第１のＲＢＩＤを保持する。
【０２２１】
処理モジュール１１０１はさらに、受信モジュール１１０３によって受信されたデータのデータタイプを、第１のＲＢＩＤに基づいて取得するよう構成される。ここで、データタイプは、サービスまたはシグナリングを含む。
【０２２２】
任意選択的な実施形態において、送信モジュール１１０２は具体的に、第１のＲＢＩＤおよび／または端末識別子情報が追加されたデータを、事前に確立された第２のＵＥへの通信接続を使用することによって第２のＵＥに送信するよう構成される。これにより、第２のＵＥは、第１のＲＢＩＤおよび／または端末識別子情報が追加されたデータをネットワーク側デバイスに送信する。ここで、当該通信接続は、Ｄ２Ｄ接続、ブルートゥース（登録商標）接続、またはＷｉＦｉ（登録商標）接続を含む。
【０２２３】
任意選択的な実施形態において、装置のモジュールは、第１のＵＥと第２のＵＥとの間の通信に使用されるＰＤＣＰ処理層に位置するか、または、第１のＵＥとネットワーク側デバイスとの間の通信に使用されるＰＤＣＰ処理層に位置するか、または、第１のＵＥと第２のＵＥとの間の通信に使用されるＲＬＣエンティティ層に位置する。
【０２２４】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２２５】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１と送信モジュール１１０２とを備えてよい。
【０２２６】
受信モジュール１１０３は、第１のＵＥによって送信されたデータを受信するよう構成される。ここで、データは、第１のＲＢＩＤおよび／または第１のＵＥの端末識別子情報を保持する。
【０２２７】
処理モジュール１１０１は、受信モジュール１１０３によって受信されたデータが転送される必要があるデータであると判断するよう構成される。
【０２２８】
送信モジュール１１０２は、処理モジュール１１０１によって処理されたデータをネットワーク側デバイスに送信するよう構成される。
【０２２９】
任意選択的な実施形態において、受信モジュール１１０３はさらに、ネットワーク側デバイスによって送信されたデータを受信するよう構成される。ここで、データは、第１のＲＢＩＤおよび／または第１のＵＥの端末識別子情報を保持する。
【０２３０】
処理モジュール１１０１はさらに、データが転送される必要があるデータであると判断するよう構成される。
【０２３１】
送信モジュール１１０２はさらに、端末識別子情報に基づいてデータを第１のＵＥに送信するよう構成される。
【０２３２】
任意選択的な実施形態において、データが転送される必要があるデータであると判断するとき、処理モジュール１１０１は具体的に、データが転送される必要があるデータであると第１のＲＢＩＤおよび／または端末識別子情報に基づいて判断するよう構成される。
【０２３３】
任意選択的な実施形態において、データが転送される必要があるデータであると判断するとき、処理モジュール１１０１は具体的に、データが転送される必要があるデータであるとデータの伝送リンク属性に基づいて判断するよう構成される。ここで、伝送リンク属性は、第１のＵＥと第２のＵＥとの間の伝送リンクが第１のＵＥとネットワーク側デバイスとの間の第１のＲＢと一対一の対応関係にあることを示すために使用され、伝送リンク属性は、データが転送される必要があるかどうかを示す識別子を含む。
【０２３４】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２３５】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１とを備えてよい。
【０２３６】
受信モジュール１１０３は、第２のＵＥによって転送された第１のＵＥのデータを受信するよう構成される。ここで、データは、第１のＲＢＩＤおよび／または第１のＵＥの端末識別子情報を保持し、第１のＲＢＩＤに対応する第１のＲＢは、第１のＵＥとネットワーク側デバイスとの間に位置する。
【０２３７】
処理モジュール１１０１は、受信モジュール１１０３によって受信されたデータのデータタイプを第１のＲＢＩＤに基づいて判断し、受信モジュール１１０３によって受信されたデータの送信元の送信端が第１のＵＥであると端末識別子情報に基づいて判断するよう構成される。ここで、データタイプは、サービスまたはシグナリングを含む。
【０２３８】
任意選択的な実施形態において、処理モジュール１１０１はさらに、受信モジュール１１０３によって受信されたデータを、第１のＲＢＩＤおよび端末識別子情報に対応するＰＤＣＰ処理プロセスを使用することによって処理するよう構成される。ここで、ＰＤＣＰ処理プロセスは、第１のＲＢＩＤおよび端末識別子情報と一対一の対応関係にある。
【０２３９】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２４０】
図１１を参照すると、図１１は、本発明の一実施形態に係るデータ伝送装置の概略構造図である。本発明のこの実施形態において提供されるデータ伝送装置は、本発明における図３から図８に関連して説明されたデータ伝送方法の実施形態の一部または全部の手順を実装するよう構成されてよい。図１１に示すように、本発明のこの実施形態のデータ伝送装置は、少なくとも処理モジュール１１０１と送信モジュール１１０２とを備えてよい。
【０２４１】
処理モジュール１１０１は、伝送される必要があるデータの第１のＲＢＩＤおよび／または第１のＵＥの端末識別子情報を取得するよう構成される。
【０２４２】
処理モジュール１１０１はさらに、第１のＲＢＩＤおよび／または端末識別子情報をデータに追加するよう構成される。
【０２４３】
送信モジュール１１０２は、第１のＲＢＩＤおよび／または端末識別子情報が追加されたデータを第２のＵＥに送信するよう構成される。これにより、第２のＵＥは、データを第１のＵＥに転送する。
【０２４４】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２４５】
図１１を参照すると、図１１は、本発明の一実施形態に係るデータ伝送装置の概略構造図である。本発明のこの実施形態において提供されるデータ伝送装置は、本発明における図５から図１０に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１と送信モジュール１１０２とを備えてよい。
【０２４６】
受信モジュール１１０３は、第１のＵＥによって送信されたデータを、第１のＵＥと通信するために使用された第３のＲＢエンティティを使用することによって受信するよう構成される。
【０２４７】
処理モジュール１１０１は、受信モジュール１１０３によって受信されたデータの第１のＲＢＩＤおよび／または第１のＵＥの端末識別子情報を、第３のＲＢエンティティと第１のＲＢＩＤおよび／または端末識別子情報との間の事前に確立された対応関係に基づいて取得するよう構成される。
【０２４８】
処理モジュール１１０１はさらに、第１のＲＢＩＤおよび／または端末識別子情報をデータに追加するよう構成される。
【０２４９】
送信モジュール１１０２は、データをネットワーク側デバイスに送信するよう構成される。ここで、データは、処理モジュール１１０１によって追加された第１のＲＢＩＤおよび／または端末識別子情報を含む。
【０２５０】
任意選択的な実施形態において、処理モジュール１１０１はさらに、データの第１のＲＢＩＤおよび／または第１のＵＥの端末識別子情報を取得した後、データが転送される必要があるデータであると第１のＲＢＩＤおよび／または端末識別子情報に基づいて判断するよう構成されるか、または、処理モジュール１１０１はさらに、データの第１のＲＢＩＤおよび／または第１のＵＥの端末識別子情報を取得した後、データが転送される必要があるデータであるとデータの伝送リンク属性に基づいて判断するよう構成される。
【０２５１】
任意選択的な実施形態において、処理モジュール１１０１は具体的に、第１のＲＢＩＤおよび／または端末識別子情報をデータの伝送リンク属性に基づいてデータに追加するよう構成される。
【０２５２】
任意選択的な実施形態において、受信モジュール１１０３は具体的に、第１のＵＥと通信するために使用される第３のＰＤＣＰエンティティ層が第２のＵＥのために構成されたとき、第１のＵＥによって送信されたデータを第３のＰＤＣＰエンティティ層において受信するよう構成され、処理モジュール１１０１は具体的に、第３のＰＤＣＰエンティティ層において第１のＲＢＩＤおよび／または端末識別子情報をデータに追加するよう構成される。
【０２５３】
任意選択的な実施形態において、受信モジュール１１０３は具体的に、第１のＵＥと通信するために使用される第３のＰＤＣＰエンティティ層が第２のＵＥのために構成されないとき、第１のＵＥによって送信されたデータを第１のＵＥと通信するために使用される第３のＲＬＣエンティティ層において受信するよう構成され、処理モジュール１１０１は具体的に、第３のＲＬＣエンティティ層において第１のＲＢＩＤおよび／または端末識別子情報をデータに追加するよう構成される。
【０２５４】
任意選択的な実施形態において、処理モジュール１１０１は具体的に、ネットワーク側デバイスと通信するために使用される第４のＰＤＣＰエンティティ層、第４のＲＬＣエンティティ層、または第４のＭＡＣエンティティ層において、第１のＲＢＩＤおよび／または端末識別子情報をデータに追加するよう構成される。
【０２５５】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２５６】
図１１を参照すると、図１１は、本発明の一実施形態に係るデータ伝送装置の概略構造図である。本発明のこの実施形態において提供されるデータ伝送装置は、本発明における図５から図１０に関連して説明されたデータ伝送方法の実施形態の一部または全部の手順を実装するよう構成されてよい。図１１に示すように、本発明のこの実施形態のデータ伝送装置は、少なくとも受信モジュール１１０３と処理モジュール１１０１と送信モジュール１１０２とを備えてよい。
【０２５７】
受信モジュール１１０３は、ネットワーク側デバイスによって送信されたデータを受信するよう構成される。ここで、データは、第１のＲＢＩＤおよび／または第１のＵＥの端末識別子情報を保持し、第１のＲＢＩＤに対応する第１のＲＢは、第１のＵＥとネットワーク側デバイスとの間に位置する。
【０２５８】
処理モジュール１１０１は、受信モジュール１１０３によって受信されたデータが転送される必要があるデータであると第１のＲＢＩＤおよび／または端末識別子情報に基づいて判断するよう構成される。
【０２５９】
送信モジュール１１０２は、データを端末識別子情報に基づいて第１のＵＥに送信するよう構成される。
【０２６０】
任意選択的な実施形態において、データを端末識別子情報に基づいて第１のＵＥに送信するとき、送信モジュール１１０２は具体的に、第１のＵＥと通信するために使用される第３のＰＤＣＰエンティティ層が第２のＵＥのために構成されず、第３のＰＤＣＰエンティティ層が第１のＵＥの第１のＲＢエンティティと一対一の対応関係にあるとき、第１のＲＢＩＤおよび／または端末識別子情報に基づいて第１のＲＢエンティティに対応する第３のＰＤＣＰエンティティ層を判断し、第３のＰＤＣＰエンティティ層においてデータから第１のＲＢＩＤおよび／または端末識別子情報を削除し、第１のＲＢＩＤおよび／または端末識別子情報が削除されたデータを、第３のＰＤＣＰエンティティ層を使用することによって第１のＵＥに送信するよう構成される。
【０２６１】
任意選択的な実施形態において、データを端末識別子情報に対応する第１のＵＥに送信するとき、送信モジュール１１０２が具体的に、第１のＵＥと通信するために使用される第３のＰＤＣＰエンティティ層が第２のＵＥのために構成されないとき、第１のＲＢエンティティに対応する第３のＲＬＣエンティティ層であって、第２のＵＥと第１のＵＥとの間の通信に使用される第３のＲＬＣエンティティ層を第１のＲＢＩＤおよび／または端末識別子情報に基づいて判断し、第３のＲＬＣエンティティ層においてデータから第１のＲＢＩＤおよび／または端末識別子情報を削除し、第１のＲＢＩＤおよび／または端末識別子情報が削除されたデータを、第３のＲＬＣエンティティ層を使用することによって第１のＵＥに送信するよう構成される。
【０２６２】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２６３】
図１１を参照すると、図１１は、本発明の一実施形態に係るデータ伝送装置の概略構造図である。本発明のこの実施形態において提供されるデータ伝送装置は、本発明における図５から図１０に関連して説明されたデータ伝送方法の実施形態の一部または全部の手順を実装するよう構成されてよい。図１１に示すように、本発明のこの実施形態のデータ伝送装置は、少なくとも送信モジュール１１０２と処理モジュール１１０１とを備えてよい。
【０２６４】
送信モジュール１１０２は、送信される必要があるデータを、第５のＰＤＣＰエンティティ層を使用することによって第２のＲＢエンティティ層に送信するよう構成される。ここで、第１のＲＢＩＤおよび／または第１のＵＥの端末識別子情報が保持され、第１のＲＢＩＤは、第１のＵＥの第１のＲＢを識別するためにネットワーク側デバイスによって使用される。
【０２６５】
処理モジュール１１０１は、第１のＲＢＩＤおよび／または端末識別子情報を第２のＲＢエンティティ層においてデータに追加するよう構成される。
【０２６６】
送信モジュール１１０２はさらに、第２のＲＢエンティティ層を使用することによってデータを第２のＵＥに送信するよう構成される。ここで、データは、処理モジュール１１０１によって追加された第１のＲＢＩＤおよび／または端末識別子情報を含む。
【０２６７】
任意選択的な実施形態において、ネットワーク側デバイスは、第１のＵＥと通信する第５のＲＬＣ層をさらに含んでよい。送信モジュール１１０２は、送信される必要があるデータを、第５のＲＬＣエンティティ層を使用することによって第２のＲＢエンティティ層に送信するよう構成される。
【０２６８】
本発明のこの実施形態において、処理モジュール１１０１に対応するエンティティデバイスはプロセッサであり、受信モジュール１１０３に対応するエンティティデバイスは受信機であり、送信モジュール１１０２に対応するエンティティデバイスは送信機であることに留意すべきである。具体的事項は、本発明のこの実施形態において限定されない。
【０２６９】
図１２を参照すると、図１２は、本発明の一実施形態に係るデータ伝送システムを示す。本発明のこの実施形態のデータ伝送システムは、本発明における図３および図４に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２７０】
第１のＵＥ１２０１は、第１のＲＢＩＤと第１のＵＥの端末識別子情報とをデータに追加し、第１のＲＢＩＤおよび端末識別子情報が追加されたデータを第２のＵＥ１２０２に送信する。
【０２７１】
第２のＵＥ１２０２は、データが転送される必要があるデータであると判断し、データをネットワーク側デバイスに送信する。
【０２７２】
ネットワーク側デバイス１２０３は、第１のＲＢＩＤに基づいてデータのデータタイプを判断し、端末識別子情報に基づいて、データの送信元の送信端が第１のＵＥであると判断する。ここで、データタイプは、サービスまたはシグナリングを含む。
【０２７３】
図１２を参照すると、図１２は、本発明の一実施形態に係るデータ伝送システムを示す。本発明のこの実施形態のデータ伝送システムは、本発明における図５および図６に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２７４】
第１のＵＥ１２０１は、送信される必要があるデータを、第１のＵＥ１２０１の第１のＲＢエンティティを使用することによって第２のＵＥ１２０２に送信する。ここで、データは第１のＲＢＩＤを保持し、第１のＲＢＩＤは、第１のＵＥ１２０１の第１のＲＢを識別するためにネットワーク側デバイス１２０３によって使用される。
【０２７５】
第２のＵＥ１２０２は、第１のＵＥ１２０１によって送信されたデータを、第１のＵＥ１２０１と通信するために使用される第３のＲＢエンティティを使用することによって受信し、第１のＵＥ１２０１の端末識別子情報を第３のＲＢエンティティと第１のＵＥの端末識別子情報との間の事前に確立された対応関係に基づいて取得し、端末識別子情報をデータに追加し、第１のＲＢＩＤおよび端末識別子情報を保持するデータをネットワーク側デバイス１２０３に送信する。ここで、第３のＲＢエンティティは、第１のＵＥ１２０１と第２のＵＥ１２０２との間の通信に使用される。
【０２７６】
ネットワーク側デバイス１２０３は、第１のＲＢＩＤに基づいてデータのデータタイプを判断し、端末識別子情報に基づいて、データの送信元の送信端が第１のＵＥ１２０１であると判断する。
【０２７７】
図１２を参照すると、図１２は、本発明の一実施形態に係るデータ伝送システムを示す。本発明のこの実施形態のデータ伝送システムは、本発明における図７および図８に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２７８】
第１のＵＥ１２０１は、送信される必要があるデータを、第１のＵＥ１２０１の第１のＲＢエンティティを使用することによって第２のＵＥ１２０２に送信する。ここで、データは、第１のＵＥの端末識別子情報を保持する。
【０２７９】
第２のＵＥ１２０２は、第１のＵＥ１２０１によって送信されたデータを、第１のＵＥ１２０１と通信するために使用される第３のＲＢエンティティを使用することによって受信し、データの第１のＲＢＩＤを第３のＲＢエンティティと第１のＲＢＩＤとの間の事前に確立された対応関係に基づいて取得し、第１のＲＢＩＤをデータに追加し、第１のＲＢＩＤおよび端末識別子情報を保持するデータをネットワーク側デバイス１２０３に送信する。ここで、第３のＲＢエンティティは、第１のＵＥ１２０１と第２のＵＥ１２０２との間の通信に使用される。
【０２８０】
ネットワーク側デバイス１２０３は、第１のＲＢＩＤに基づいてデータのデータタイプを判断し、端末識別子情報に基づいて、データの送信元の送信端が第１のＵＥ１２０１であると判断する。
【０２８１】
図１２を参照すると、図１２は、本発明の一実施形態に係るデータ伝送システムを示す。本発明のこの実施形態のデータ伝送システムは、本発明における図９および図１０に関連して説明されたデータ伝送方法の実施形態の一部または全部の手順を実装するよう構成されてよい。データ伝送システムは、第１のＵＥ１２０１と第２のＵＥ１２０２とネットワーク側デバイス１２０３とを備える。
【０２８２】
第１のＵＥ１２０１は、送信される必要があるデータを、第１のＵＥ１２０１の第１のＲＢエンティティを使用することによって第２のＵＥ１２０２に送信する。ここで、第１のＲＢエンティティは、第１のＵＥ１２０１とネットワーク側デバイス１２０３との間でデータを伝送するために使用される。
【０２８３】
第２のＵＥ１２０２は、第１のＵＥ１２０１によって送信されたデータを、第１のＵＥ１２０１と通信するために使用される第３のＲＢエンティティを使用することによって受信し、データの第１のＲＢＩＤと第１のＵＥ１２０１の端末識別子情報とを、第３のＲＢエンティティと第１のＲＢＩＤおよび端末識別子情報との間の事前に確立された対応関係に基づいて取得し、第１のＲＢＩＤおよび端末識別子情報をデータに追加し、第１のＲＢＩＤおよび端末識別子情報が追加されたデータをネットワーク側デバイス１２０３に送信する。ここで、第３のＲＢエンティティは、第１のＵＥ１２０１と第２のＵＥ１２０２との間の通信に使用される。
【０２８４】
ネットワーク側デバイス１２０３は、第１のＲＢＩＤに基づいてデータのデータタイプを判断し、端末識別子情報に基づいて、データの送信元の送信端が第１のＵＥであると判断する。
【０２８５】
先述の実施形態において、各実施形態の説明にはそれぞれの着目点があることに留意すべきである。一実施形態において詳細に説明されない部分については、他の実施形態における関連する説明を参照されたい。加えて、本明細書において説明された全ての実施形態は例示的な実施形態であり、関連する動作およびモジュールは必ずしも本発明の実施形態にとって必須ではないということも当業者は理解するべきである。
【０２８６】
本発明の実施形態の方法の段階の順序は修正されてよく、実際の必要性に応じて特定の段階がまた統合されても除去されてもよい。
【０２８７】
本発明の実施形態の装置におけるモジュールは、実際の要件に応じて組み合わせられ、分割され、削除されてよい。
【０２８８】
本発明の実施形態のユニットは、ＣＰＵ（Ｃｅｎｔｒａｌ  Ｐｒｏｃｅｓｓｉｎｇ  Ｕｎｉｔ、中央処理装置）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）などの汎用集積回路によって実行されてよい。
【０２８９】
当業者であれば、実施形態における方法のプロセスの全部または一部が、関連するハードウェアに命令するコンピュータプログラムによって実装されてよいことを理解し得る。プログラムは、コンピュータ可読記憶媒体に記憶されてよい。プログラムが動作するとき、実施形態における方法のプロセスが行われる。先述の記憶媒体は、磁気ディスク、光ディスク、リードオンリメモリ（Ｒｅａｄ−Ｏｎｌｙ  Ｍｅｍｏｒｙ、ＲＯＭ）、または、ランダムアクセスメモリ（Ｒａｎｄｏｍ  Ａｃｃｅｓｓ  Ｍｅｍｏｒｙ、ＲＡＭ）を含んでよい。
【０２９０】
上記において開示されたものは、本発明の例示的な実施形態に過ぎず、本発明の保護範囲を限定することを意図するものでないことは言うまでもない。したがって、本発明の特許請求の範囲にしたがって施される同等の変形が、本発明の範囲に含まれるものとする。
［項目１］
データ伝送方法であって、
送信される必要があるデータに第１の無線ベアラ識別子情報および／または第１のユーザ機器の端末識別子情報を上記第１のユーザ機器が追加する段階であって、上記第１の無線ベアラ識別子情報に対応する第１の無線ベアラは、上記第１のユーザ機器とネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、段階と、
第２のユーザ機器が上記データを上記ネットワーク側デバイスに転送するよう、上記第１の無線ベアラ識別子情報および／または上記端末識別子情報が追加された上記データを上記第１のユーザ機器が上記第２のユーザ機器に送信する段階と
を備える
方法。
［項目２］
送信される必要があるデータに第１の無線ベアラ識別子情報および／または第１のユーザ機器の端末識別子情報を上記第１のユーザ機器が追加する上記段階は、
上記データを含むデータパケットのヘッダに上記第１の無線ベアラ識別子情報および／または上記第１のユーザ機器の上記端末識別子情報を上記第１のユーザ機器が追加する段階を有する、
項目１に記載の方法。
［項目３］
上記第２のユーザ機器によって転送された上記ネットワーク側デバイスのデータを上記第１のユーザ機器が受信する段階であって、上記データは、上記第１の無線ベアラ識別子情報を保持する、段階と、
上記第１の無線ベアラ識別子情報に基づいて上記データのデータタイプを上記第１のユーザ機器が取得する段階であって、上記データタイプは、サービスまたはシグナリングを含み、上記シグナリングは、上記アクセスネットワークにとって可視の制御信号を示すために使用される、段階
をさらに備える
項目１に記載の方法。
［項目４］
第２のユーザ機器が上記データを上記ネットワーク側デバイスに転送するよう、上記第１の無線ベアラ識別子情報および／または上記端末識別子情報が追加された上記データを上記第１のユーザ機器が上記第２のユーザ機器に送信する上記段階は、
上記第２のユーザ機器が、上記第１の無線ベアラ識別子情報および上記端末識別子情報が追加された上記データを上記ネットワーク側デバイスに送信するよう、上記第１の無線ベアラ識別子情報および／または上記端末識別子情報が追加された上記データを事前に確立された上記第２のユーザ機器への通信接続を使用することによって上記第１のユーザ機器が上記第２のユーザ機器に送信する段階であって、上記通信接続は、デバイスツーデバイス接続、ブルートゥース（登録商標）接続、またはＷｉＦｉ（登録商標）接続を含む、段階を有する、
項目１から３のいずれか一項に記載の方法。
［項目５］
データ伝送方法であって、
第１のユーザ機器によって送信されたデータを第２のユーザ機器が受信する段階であって、上記データは、第１の無線ベアラ識別子情報および／または上記第１のユーザ機器の端末識別子情報を保持し、上記第１の無線ベアラ識別子情報に対応する第１の無線ベアラは、上記第１のユーザ機器とネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、段階と、
上記データが転送される必要があるデータであると上記第２のユーザ機器が判断する段階と、
上記データを上記第２のユーザ機器が上記ネットワーク側デバイスに送信する段階と
を備える
方法。
［項目６］
上記ネットワーク側デバイスによって送信されたデータを上記第２のユーザ機器が受信する段階であって、上記データは、上記第１の無線ベアラ識別子情報および／または上記第１のユーザ機器の上記端末識別子情報を保持する、段階と、
上記データが転送される必要があるデータであると上記第２のユーザ機器が判断する段階と、
上記端末識別子情報に基づいて上記データを上記第２のユーザ機器が上記第１のユーザ機器に送信する段階と
をさらに備える
項目５に記載の方法。
［項目７］
上記データが転送される必要があるデータであると上記第２のユーザ機器が判断する上記段階は、
上記データが転送される必要がある上記データであると上記第１の無線ベアラ識別子情報および／または上記端末識別子情報に基づいて上記第２のユーザ機器が判断する段階を有する、
項目５または６に記載の方法。
［項目８］
上記データが転送される必要があるデータであると上記第２のユーザ機器が判断する上記段階は、
上記データが転送される必要がある上記データであると上記データの伝送リンク属性に基づいて上記第２のユーザ機器が判断する段階であって、上記伝送リンク属性は、上記第１のユーザ機器と上記第２のユーザ機器との間の伝送リンクが上記第１のユーザ機器と上記ネットワーク側デバイスとの間の上記第１の無線ベアラと一対一の対応関係にあることを示すために使用され、上記伝送リンク属性は、上記データが転送される必要があるかどうかを示す識別子を含む、段階を有する、
項目５に記載の方法。
［項目９］
データ伝送方法であって、
第２のユーザ機器によって転送された第１のユーザ機器のデータをネットワーク側デバイスが受信する段階であって、上記データは、第１の無線ベアラ識別子情報および／または上記第１のユーザ機器の端末識別子情報を保持し、上記第１の無線ベアラ識別子情報に対応する第１の無線ベアラは、上記第１のユーザ機器と上記ネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、段階と、
上記ネットワーク側デバイスが、上記第１の無線ベアラ識別子情報に基づいて上記データのデータタイプを判断し、上記端末識別子情報に基づいて、上記データの送信元の送信端が上記第１のユーザ機器であると判断する段階であって、上記データタイプは、サービスまたはシグナリングを含む、段階と
を備える
方法。
［項目１０］
第２のユーザ機器によって転送された第１のユーザ機器のデータをネットワーク側デバイスが受信する上記段階の後に、
上記第１の無線ベアラ識別子情報および上記端末識別子情報に対応するパケットデータコンバージェンスプロトコル処理プロセスを使用することによって上記データを上記ネットワーク側デバイスが処理する段階であって、上記パケットデータコンバージェンスプロトコル処理プロセスは、上記第１の無線ベアラ識別子情報および上記端末識別子情報と一対一の対応関係にある、段階
をさらに備える
項目９に記載の方法。
［項目１１］
データ伝送方法であって、
第１のユーザ機器によって送信されたデータを、上記第１のユーザ機器と通信するために使用される第３の無線ベアラエンティティを使用することによって第２のユーザ機器が受信する段階と、
上記データの第１の無線ベアラ識別子情報および／または上記第１のユーザ機器の端末識別子情報を、上記第３の無線ベアラエンティティと上記第１の無線ベアラ識別子情報および／または上記端末識別子情報との間の事前に確立された対応関係に基づいて上記第２のユーザ機器が取得する段階であって、上記第１の無線ベアラ識別子情報に対応する第１の無線ベアラは、上記第１のユーザ機器とネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、段階と、
上記データに上記第１の無線ベアラ識別子情報および／または上記端末識別子情報を上記第２のユーザ機器が追加する段階と、
上記第１の無線ベアラ識別子情報および／または上記端末識別子情報が追加された上記データを上記第２のユーザ機器が上記ネットワーク側デバイスに送信する段階と
を備える
方法。
［項目１２］
上記データの第１の無線ベアラ識別子情報および／または上記第１のユーザ機器の端末識別子情報を、上記第３の無線ベアラエンティティと上記第１の無線ベアラ識別子情報および／または上記端末識別子情報との間の事前に確立された対応関係に基づいて上記第２のユーザ機器が取得する上記段階の後、
上記データが転送される必要があるデータであると上記第１の無線ベアラ識別子情報および／または上記端末識別子情報に基づいて上記第２のユーザ機器が判断する段階、または
上記データが転送される必要があるデータであると上記データの伝送リンク属性に基づいて上記第２のユーザ機器が判断する段階
をさらに備える
項目１１に記載の方法。
［項目１３］
上記データに上記第１の無線ベアラ識別子情報および／または上記端末識別子情報を上記第２のユーザ機器が追加する上記段階は、
上記データの上記伝送リンク属性に基づいて、上記データに上記第１の無線ベアラ識別子情報および／または上記端末識別子情報を上記第２のユーザ機器が追加する段階を有する、
項目１２に記載の方法。
［項目１４］
第１のユーザ機器によって送信されたデータを、上記第１のユーザ機器と通信するために使用される第３の無線ベアラエンティティを使用することによって第２のユーザ機器が受信する上記段階は、
上記第１のユーザ機器と通信するために使用される第３のパケットデータコンバージェンスプロトコルエンティティ層が上記第２のユーザ機器のために構成されたとき、上記第１のユーザ機器によって送信された上記データを上記第３のパケットデータコンバージェンスプロトコルエンティティ層において上記第２のユーザ機器が受信する段階を有し、
上記データに上記第１の無線ベアラ識別子情報および／または上記端末識別子情報を上記第２のユーザ機器が追加する上記段階は、
上記第３のパケットデータコンバージェンスプロトコルエンティティ層において、上記データに上記第１の無線ベアラ識別子情報および／または上記端末識別子情報を上記第２のユーザ機器が追加する段階を有する、
項目１１から１３のいずれか一項に記載の方法。
［項目１５］
第１のユーザ機器によって送信されたデータを、上記第１のユーザ機器と通信するために使用される第３の無線ベアラエンティティを使用することによって第２のユーザ機器が受信する上記段階は、
上記第１のユーザ機器と通信するために使用される第３のパケットデータコンバージェンスプロトコルエンティティ層が上記第２のユーザ機器のために構成されないとき、上記第１のユーザ機器によって送信された上記データを上記第１のユーザ機器と通信するために使用される第３の無線リンク制御エンティティ層において上記第２のユーザ機器が受信する段階を有し、
上記データに上記第１の無線ベアラ識別子情報および／または上記端末識別子情報を上記第２のユーザ機器が追加する上記段階は、
上記第３の無線リンク制御エンティティ層において、上記データに記第１の無線ベアラ識別子情報および／または上記端末識別子情報を上記第２のユーザ機器が追加する段階を有する、
項目１１から１３のいずれか一項に記載の方法。
［項目１６］
上記データに上記第１の無線ベアラ識別子情報および／または上記端末識別子情報を上記第２のユーザ機器が追加する上記段階は、
上記ネットワーク側デバイスと通信するために使用される第４のパケットデータコンバージェンスプロトコルエンティティ層、第４の無線リンク制御エンティティ層、または第４の媒体アクセス制御エンティティ層において、上記データに上記第１の無線ベアラ識別子情報および／または上記端末識別子情報を上記第２のユーザ機器が追加する段階を有する、
項目１１から１３のいずれか一項に記載の方法。
［項目１７］
データ伝送方法であって、
ネットワーク側デバイスによって送信されたデータを第２のユーザ機器が受信する段階であって、上記データは、第１の無線ベアラ識別子情報および／または第１のユーザ機器の端末識別子情報を保持し、上記第１の無線ベアラ識別子情報に対応する第１の無線ベアラは、上記第１のユーザ機器と上記ネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、段階と、
上記データが転送される必要があるデータであると上記第１の無線ベアラ識別子情報および／または上記端末識別子情報に基づいて上記第２のユーザ機器が判断する段階と、
上記端末識別子情報に基づいて上記データを上記第２のユーザ機器が上記第１のユーザ機器に送信する段階と
を備える
方法。
［項目１８］
上記端末識別子情報に基づいて上記データを上記第２のユーザ機器が上記第１のユーザ機器に送信する上記段階は、
上記第１のユーザ機器と通信するために使用される第３のパケットデータコンバージェンスプロトコルエンティティ層が上記第２のユーザ機器のために構成され、上記第３のパケットデータコンバージェンスプロトコルエンティティ層が、上記第１のユーザ機器の第１の無線ベアラエンティティと一対一の対応関係にあるとき、上記第１の無線ベアラエンティティに対応する上記第３のパケットデータコンバージェンスプロトコルエンティティ層を、上記第１の無線ベアラ識別子情報および／または上記端末識別子情報に基づいて上記第２のユーザ機器が判断する段階と、
上記第３のパケットデータコンバージェンスプロトコルエンティティ層において、上記データから上記第１の無線ベアラ識別子情報および／または上記端末識別子情報を上記第２のユーザ機器が削除する段階と、
上記第１の無線ベアラ識別子情報および／または上記端末識別子情報が削除された上記データを、上記第３のパケットデータコンバージェンスプロトコルエンティティ層を使用することによって上記第２のユーザ機器が上記第１のユーザ機器に送信する段階とを有する、
項目１７に記載の方法。
［項目１９］
上記端末識別子情報に基づいて上記データを上記第２のユーザ機器が上記第１のユーザ機器に送信する上記段階は、
上記第１のユーザ機器と通信するために使用される第３のパケットデータコンバージェンスプロトコルエンティティ層が上記第２のユーザ機器のために構成されないとき、第１の無線ベアラエンティティに対応する第３の無線リンク制御エンティティ層を、上記第１の無線ベアラ識別子情報および／または上記端末識別子情報に基づいて上記第２のユーザ機器が判断する段階であって、上記第３の無線リンク制御エンティティ層は、上記第２のユーザ機器と上記第１のユーザ機器との間の通信に使用される、段階と、
上記第３の無線リンク制御エンティティ層において、上記データから上記第１の無線ベアラ識別子情報および／または上記端末識別子情報を上記第２のユーザ機器が削除する段階と、
上記第１の無線ベアラ識別子情報および／または上記端末識別子情報が削除された上記データを上記第３の無線リンク制御エンティティ層を使用することによって上記第２のユーザ機器が上記第１のユーザ機器に送信する段階とを有する、
項目１７に記載の方法。
［項目２０］
データ伝送方法であって、上記方法はネットワーク側デバイスに適用され、上記ネットワーク側デバイスは、第１のユーザ機器と通信する第５のパケットデータコンバージェンスプロトコルエンティティ層と、第２のユーザ機器と通信するために使用される第２の無線ベアラエンティティ層とを含み、
上記ネットワーク側デバイスは、送信される必要があるデータを上記第５のパケットデータコンバージェンスプロトコルエンティティ層を使用することによって上記第２の無線ベアラエンティティ層に送信し、第１の無線ベアラ識別子情報および／または上記第１のユーザ機器の端末識別子情報が保持され、上記第１の無線ベアラ識別子情報は、上記第１のユーザ機器の第１の無線ベアラを識別するために上記ネットワーク側デバイスによって使用され、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含み、
上記ネットワーク側デバイスは、上記第２の無線ベアラエンティティ層において上記データに上記第１の無線ベアラ識別子情報および／または上記端末識別子情報を追加し、
上記ネットワーク側デバイスは、上記第１の無線ベアラ識別子情報および／または上記端末識別子情報が追加されたデータを上記第２の無線ベアラエンティティ層を使用することによって上記第２のユーザ機器に送信する、
方法。
［項目２１］
上記ネットワーク側デバイスは、上記第１のユーザ機器と通信する第５の無線リンク制御エンティティ層をさらに含み、
送信される必要があるデータを上記第５のパケットデータコンバージェンスプロトコルエンティティ層を使用することによって上記ネットワーク側デバイスが上記第２の無線ベアラエンティティ層に送信する上記段階は、
上記第５の無線リンク制御エンティティ層を使用することによって上記データを上記ネットワーク側デバイスが上記第２の無線ベアラエンティティ層に送信する段階を有する、
項目２０に記載の方法。
［項目２２］
データ伝送装置であって、
転送される必要があるデータに第１の無線ベアラ識別子情報および／または上記第１のユーザ機器の端末識別子情報を追加するよう構成される処理モジュールであって、上記第１の無線ベアラ識別子情報に対応する第１の無線ベアラは、上記第１のユーザ機器とネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、処理モジュールと、
第２のユーザ機器が上記データを転送するよう、上記データを上記第２のユーザ機器に送信するよう構成される送信モジュールであって、上記データは、上記処理モジュールによって追加された上記第１の無線ベアラ識別子情報および／または上記端末識別子情報を含む、送信モジュールと
を備える
装置。
［項目２３］
上記処理モジュールは具体的に、
上記データを含むデータパケットのヘッダに上記第１の無線ベアラ識別子情報および／または上記第１のユーザ機器の上記端末識別子情報を追加するよう構成される、
項目２２に記載の装置。
［項目２４］
上記第２のユーザ機器によって転送された上記ネットワーク側デバイスのデータを受信するよう構成される受信モジュールであって、上記データは、上記第１の無線ベアラ識別子情報を保持する、受信モジュールをさらに備え、
上記処理モジュールはさらに、上記受信モジュールによって受信された上記第１の無線ベアラ識別子情報に基づいて上記データのデータタイプを取得するよう構成され、上記データタイプは、サービスまたはシグナリングを含み、上記シグナリングは、上記アクセスネットワークにとって可視の制御信号を示すために使用される、
項目２３に記載の装置。
［項目２５］
上記送信モジュールは具体的に、
上記第２のユーザ機器が上記第１の無線ベアラ識別子情報および／または上記端末識別子情報が追加された上記データを上記ネットワーク側デバイスに送信するよう、事前に確立された上記第２のユーザ機器への通信接続を使用することによって、上記第１の無線ベアラ識別子情報および／または上記端末識別子情報が追加された上記データを上記第２のユーザ機器に送信するよう構成され、上記通信接続は、デバイスツーデバイス接続、ブルートゥース（登録商標）接続、またはＷｉＦｉ（登録商標）接続を含む、
項目２２から２４のいずれか一項に記載の装置。
［項目２６］
上記装置の上記モジュールは、上記第１のユーザ機器と上記第２のユーザ機器との間の通信に使用されるパケットデータコンバージェンスプロトコル処理層に位置するか、または、上記第１のユーザ機器と上記ネットワーク側デバイスとの間の通信に使用されるパケットデータコンバージェンスプロトコル処理層に位置するか、または、上記第１のユーザ機器と上記第２のユーザ機器との間の通信に使用される無線リンク制御エンティティ層に位置する、
項目２２から２５のいずれか一項に記載の装置。
［項目２７］
データ伝送装置であって、
第１のユーザ機器によって送信されたデータを受信するよう構成される受信モジュールであって、上記データは、第１の無線ベアラ識別子情報および／または上記第１のユーザ機器の端末識別子情報を保持し、上記第１の無線ベアラ識別子情報に対応する第１の無線ベアラは、上記第１のユーザ機器とネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、受信モジュールと、
上記受信モジュールによって受信された上記データが転送される必要があるデータであると判断するよう構成される処理モジュールと、
上記処理モジュールによって処理された上記データを上記ネットワーク側デバイスに送信するよう構成される送信モジュールと
を備える
装置。
［項目２８］
上記受信モジュールはさらに、上記ネットワーク側デバイスによって送信されたデータを受信するよう構成され、上記データは、上記第１の無線ベアラ識別子情報および／または上記第１のユーザ機器の上記端末識別子情報を保持し、
上記処理モジュールはさらに、上記受信モジュールによって受信された上記データが転送される必要があるデータであると判断するよう構成され、
上記送信モジュールはさらに、上記処理モジュールによって処理された上記データを上記端末識別子情報に基づいて上記第１のユーザ機器に送信するよう構成される、
項目２７に記載の装置。
［項目２９］
上記処理モジュールは具体的に、上記データが転送される必要がある上記データであると上記第１の無線ベアラ識別子情報および／または上記端末識別子情報に基づいて判断するよう構成される、
項目２７または２８に記載の装置。
［項目３０］
上記処理モジュールは具体的に、
上記データが転送される必要がある上記データであると上記データの伝送リンク属性に基づいて判断するよう構成され、上記伝送リンク属性は、上記第１のユーザ機器と上記第２のユーザ機器との間の伝送リンクが上記第１のユーザ機器と上記ネットワーク側デバイスとの間の上記無線ベアラと一対一の対応関係にあることを示すために使用され、上記伝送リンク属性は、上記データが転送される必要があるかどうかを示す識別子を含む、
項目２７に記載の装置。
［項目３１］
データ伝送装置であって、
第２のユーザ機器によって転送された第１のユーザ機器のデータを受信するよう構成される受信モジュールであって、上記データは、第１の無線ベアラ識別子情報および／または上記第１のユーザ機器の端末識別子情報を保持し、上記第１の無線ベアラ識別子情報に対応する第１の無線ベアラは、上記第１のユーザ機器とネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、受信モジュールと、
上記受信モジュールによって受信された上記データのデータタイプを上記第１の無線ベアラ識別子情報に基づいて判断し、上記受信モジュールによって受信された上記データの送信元の送信端が上記第１のユーザ機器であると上記端末識別子情報に基づいて判断するよう構成される処理モジュールであって、上記データタイプは、サービスまたはシグナリングを含む、処理モジュールと
を備える
装置。
［項目３２］
上記処理モジュールはさらに、上記受信モジュールによって受信された上記データを、上記第１の無線ベアラ識別子情報および上記端末識別子情報に対応するパケットデータコンバージェンスプロトコル処理プロセスを使用することによって処理するよう構成され、上記パケットデータコンバージェンスプロトコル処理プロセスは、上記第１の無線ベアラ識別子情報および上記端末識別子情報と一対一の対応関係にある、
項目３１に記載の装置。
［項目３３］
データ伝送装置であって、
第１のユーザ機器によって送信されたデータを、上記第１のユーザ機器と通信するために使用される第３の無線ベアラエンティティを使用することによって受信するよう構成される受信モジュールと、
上記受信モジュールによって受信された上記データの第１の無線ベアラ識別子情報および／または上記第１のユーザ機器の端末識別子情報を、上記第３の無線ベアラエンティティと上記第１の無線ベアラ識別子情報および／または上記端末識別子情報との間の事前に確立された対応関係に基づいて取得するよう構成される処理モジュールであって、上記第１の無線ベアラ識別子情報に対応する第１の無線ベアラは、上記第１のユーザ機器とネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含み、
上記処理モジュールはさらに、上記データに上記第１の無線ベアラ識別子情報および／または上記端末識別子情報を追加するよう構成される、処理モジュールと、
上記データを上記ネットワーク側デバイスに送信するよう構成される送信モジュールであって、上記データは、上記処理モジュールによって追加された上記第１の無線ベアラ識別子情報および／または上記端末識別子情報を含む、送信モジュールと
を備える
装置。
［項目３４］
上記処理モジュールはさらに、上記データの上記第１の無線ベアラ識別子情報および／または上記第１のユーザ機器の上記端末識別子情報を取得した後、上記データが転送される必要があるデータであると上記第１の無線ベアラ識別子情報および／または上記端末識別子情報に基づいて判断するよう構成されるか、または、
上記処理モジュールはさらに、上記データの上記第１の無線ベアラ識別子情報および／または上記第１のユーザ機器の上記端末識別子情報を取得した後、上記データが転送される必要があるデータであると上記データの伝送リンク属性に基づいて判断するよう構成される、
項目３３に記載の装置。
［項目３５］
上記処理モジュールは具体的に、
上記データに上記第１の無線ベアラ識別子情報および／または上記端末識別子情報を上記データの上記伝送リンク属性に基づいて追加するよう構成される、
項目３４に記載の装置。
［項目３６］
上記受信モジュールは具体的に、
上記第１のユーザ機器と通信するために使用される第３のパケットデータコンバージェンスプロトコルエンティティ層が上記第２のユーザ機器のために構成されたとき、上記第１のユーザ機器によって送信された上記データを上記第３のパケットデータコンバージェンスプロトコルエンティティ層において受信するよう構成され、
上記処理モジュールは具体的に、
上記第３のパケットデータコンバージェンスプロトコルエンティティ層において上記データに上記第１の無線ベアラ識別子情報および／または上記端末識別子情報を追加するよう構成される、
項目３３から３５のいずれか一項に記載の装置。
［項目３７］
上記受信モジュールは具体的に、
上記第１のユーザ機器と通信するために使用される第３のパケットデータコンバージェンスプロトコルエンティティ層が上記第２のユーザ機器のために構成されないとき、上記第１のユーザ機器によって送信された上記データを、上記第１のユーザ機器と通信するために使用される第３の無線リンク制御エンティティ層において受信するよう構成され、
上記処理モジュールは具体的に、
上記第３の無線リンク制御エンティティ層において上記データに上記第１の無線ベアラ識別子情報および／または上記端末識別子情報を追加するよう構成される、
項目３３から３５のいずれか一項に記載の装置。
［項目３８］
上記処理モジュールは具体的に、
上記ネットワーク側デバイスと通信するために使用される第４のパケットデータコンバージェンスプロトコルエンティティ層、第４の無線リンク制御エンティティ層、または第４の媒体アクセス制御エンティティ層において、上記データに上記第１の無線ベアラ識別子情報および／または上記端末識別子情報を追加するよう構成される、
項目３３から３５のいずれか一項に記載の装置。
［項目３９］
データ伝送装置であって、
ネットワーク側デバイスによって送信されたデータを受信するよう構成される受信モジュールであって、上記データは、第１の無線ベアラ識別子情報および／または第１のユーザ機器の端末識別子情報を保持し、上記第１の無線ベアラ識別子情報に対応する無線ベアラは、上記第１のユーザ機器と上記ネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、受信モジュールと、
上記受信モジュールによって受信された上記データが転送される必要があるデータであると上記第１の無線ベアラ識別子情報および／または上記端末識別子情報に基づいて判断するよう構成される処理モジュールと、
上記データを上記端末識別子情報に基づいて上記第１のユーザ機器に送信するよう構成される送信モジュールと
を備える
装置。
［項目４０］
上記送信モジュールは具体的に、
上記第１のユーザ機器と通信するために使用される第３のパケットデータコンバージェンスプロトコルエンティティ層が上記第２のユーザ機器のために構成され、上記第３のパケットデータコンバージェンスプロトコルエンティティ層が上記第１のユーザ機器の第１の無線ベアラエンティティと一対一の対応関係にあるとき、上記第１の無線ベアラエンティティに対応する上記第３のパケットデータコンバージェンスプロトコルエンティティ層を上記第１の無線ベアラ識別子情報および／または上記端末識別子情報に基づいて判断し、
上記第３のパケットデータコンバージェンスプロトコルエンティティ層において上記データから上記第１の無線ベアラ識別子情報および／または上記端末識別子情報を削除し、
上記第１の無線ベアラ識別子情報および／または上記端末識別子情報が削除された上記データを上記第３のパケットデータコンバージェンスプロトコルエンティティ層を使用することによって上記第１のユーザ機器に送信するよう構成される、
項目３９に記載の装置。
［項目４１］
上記送信モジュールは具体的に、
上記第１のユーザ機器と通信するために使用される第３のパケットデータコンバージェンスプロトコルエンティティ層が上記第２のユーザ機器のために構成されないとき、第１の無線ベアラエンティティに対応する第３の無線リンク制御エンティティ層であって、上記第２のユーザ機器と上記第１のユーザ機器との間の通信に使用される第３の無線リンク制御エンティティ層を、上記第１の無線ベアラ識別子情報および／または上記端末識別子情報に基づいて判断し、
上記第３の無線リンク制御エンティティ層において上記データから上記第１の無線ベアラ識別子情報および／または上記端末識別子情報を削除し、
上記第１の無線ベアラ識別子情報および／または上記端末識別子情報が削除された上記データを上記第３の無線リンク制御エンティティ層を使用することによって上記第１のユーザ機器に送信するよう構成される、
項目３９に記載の装置。
［項目４２］
データ伝送装置であって、
送信される必要があるデータを、第１のユーザ機器と通信するために使用される第５のパケットデータコンバージェンスプロトコルエンティティ層を使用することによって、第２のユーザ機器と通信するために使用される第２の無線ベアラエンティティ層に送信するよう構成される送信モジュールであって、第１の無線ベアラ識別子情報および／または上記第１のユーザ機器の端末識別子情報が保持され、上記第１の無線ベアラ識別子は、上記第１のユーザ機器の第１の無線ベアラを識別するためにネットワーク側デバイスによって使用され、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含む、送信モジュールと、
上記第２の無線ベアラエンティティ層において上記データに上記第１の無線ベアラ識別子情報および／または上記端末識別子情報を追加するよう構成される処理モジュールと
備え、
上記送信モジュールはさらに、上記データを上記第２の無線ベアラエンティティ層を使用することによって上記第２のユーザ機器に送信するよう構成され、上記データは、上記処理モジュールによって追加された上記第１の無線ベアラ識別子情報および／または上記端末識別子情報を含む、
装置。
［項目４３］
上記送信モジュールは具体的に、
上記第１のユーザ機器と通信するために使用される第５の無線リンク制御エンティティ層を使用することによって上記データを上記第２の無線ベアラエンティティ層に送信するよう構成される、
項目４２に記載の装置。
［項目４４］
第１のユーザ機器と第２のユーザ機器とネットワーク側デバイスとを備えるデータ伝送システムであって、
上記第１のユーザ機器は、上記データに上記第１の無線ベアラ識別子情報および上記第１のユーザ機器の端末識別子情報を追加し、上記第１の無線ベアラ識別子情報および上記端末識別子情報が追加された上記データを上記第２のユーザ機器に送信し、上記第１の無線ベアラ識別子情報に対応する第１の無線ベアラは、上記第１のユーザ機器と上記ネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含み、
上記第２のユーザ機器は、上記データが転送される必要があるデータであると判断し、上記データを上記ネットワーク側デバイスに送信し、
上記ネットワーク側デバイスは、上記第１の無線ベアラ識別子情報に基づいて上記データのデータタイプを判断し、上記端末識別子情報に基づいて、上記データの送信元の送信端が上記第１のユーザ機器であると判断し、上記データタイプは、サービスまたはシグナリングを含む、
システム。
［項目４５］
第１のユーザ機器と第２のユーザ機器とネットワーク側デバイスとを備えるデータ伝送システムであって、
上記第１のユーザ機器は、送信される必要があるデータを上記第１のユーザ機器の第１の無線ベアラエンティティを使用することによって上記第２のユーザ機器に送信し、上記データは、第１の無線ベアラ識別子情報を保持し、上記第１の無線ベアラ識別子情報に対応する第１の無線ベアラは、上記第１のユーザ機器と上記ネットワーク側デバイスとの間に位置し、上記第１の無線ベアラ識別子情報は、上記ネットワーク側デバイスによって上記第１のユーザ機器に割り当てられ、
上記第２のユーザ機器は、上記第１のユーザ機器によって送信された上記データを、上記第１のユーザ機器と通信するために使用される第３の無線ベアラエンティティを使用することによって受信し、上記第１のユーザ機器の端末識別子情報を上記第３の無線ベアラエンティティと上記第１のユーザ機器の上記端末識別子情報との間の事前に確立された対応関係に基づいて取得し、上記データに上記端末識別子情報を追加し、上記第１の無線ベアラ識別子情報および上記端末識別子情報を保持する上記データを上記ネットワーク側デバイスに送信し、上記第３の無線ベアラエンティティは、上記第１のユーザ機器と上記第２のユーザ機器との間の通信に使用され、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含み、
上記ネットワーク側デバイスは、上記第１の無線ベアラ識別子情報に基づいて上記データのデータタイプを判断し、上記端末識別子情報に基づいて、上記データの送信元の送信端が上記第１のユーザ機器であると判断する、
システム。
［項目４６］
第１のユーザ機器と第２のユーザ機器とネットワーク側デバイスとを備えるデータ伝送システムであって、
上記第１のユーザ機器は、送信される必要があるデータを上記第１のユーザ機器の第１の無線ベアラエンティティを使用することによって上記第２のユーザ機器に送信し、上記データは、上記第１のユーザ機器の端末識別子情報を保持し、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含み、
上記第２のユーザ機器は、上記第１のユーザ機器によって送信された上記データを、上記第１のユーザ機器と通信するために使用される第３の無線ベアラエンティティを使用することによって受信し、上記データの第１の無線ベアラ識別子情報を、上記第３の無線ベアラエンティティと上記第１の無線ベアラ識別子情報との間の事前に確立された対応関係に基づいて取得し、上記データに上記第１の無線ベアラ識別子情報を追加し、上記第１の無線ベアラ識別子情報および上記端末識別子情報を保持する上記データを上記ネットワーク側デバイスに送信し、上記第３の無線ベアラエンティティは、上記第１のユーザ機器と上記第２のユーザ機器との間の通信に使用され、上記第１の無線ベアラ識別子情報に対応する第１の無線ベアラは、上記第１のユーザ機器と上記ネットワーク側デバイスとの間に位置し、上記第１の無線ベアラ識別子情報は、上記ネットワーク側デバイスによって上記第１のユーザ機器に割り当てられ、
上記ネットワーク側デバイスは、上記第１の無線ベアラ識別子情報に基づいて上記データのデータタイプを判断し、上記端末識別子情報に基づいて、上記データの送信元の送信端が上記第１のユーザ機器であると判断する、
システム。
［項目４７］
第１のユーザ機器と第２のユーザ機器とネットワーク側デバイスとを備えるデータ伝送システムであって、
上記第１のユーザ機器は、送信される必要があるデータを上記第１のユーザ機器の第１の無線ベアラエンティティを使用することによって上記第２のユーザ機器に送信し、上記第１の無線ベアラエンティティは、上記第１のユーザ機器と上記ネットワーク側デバイスとの間でデータを伝送するために使用され、
上記第２のユーザ機器は、上記第１のユーザ機器によって送信された上記データを、上記第１のユーザ機器と通信するために使用される第３の無線ベアラエンティティを使用することによって受信し、上記データの第１の無線ベアラ識別子情報および上記第１のユーザ機器の端末識別子情報を、上記第３の無線ベアラエンティティと上記第１の無線ベアラ識別子情報および上記端末識別子情報との間の事前に確立された対応関係に基づいて取得し、上記データに上記第１の無線ベアラ識別子情報および上記端末識別子情報を追加し、上記第１の無線ベアラ識別子情報および上記端末識別子情報が追加された上記データを上記ネットワーク側デバイスに送信し、上記第３の無線ベアラエンティティは、上記第１のユーザ機器と上記第２のユーザ機器との間の通信に使用され、上記第１の無線ベアラ識別子情報に対応する第１の無線ベアラは、上記第１のユーザ機器と上記ネットワーク側デバイスとの間に位置し、上記第１の無線ベアラ識別子情報は、上記ネットワーク側デバイスによって上記第１のユーザ機器に割り当てられ、上記端末識別子情報は、上記第１のユーザ機器の第２層識別子であり、上記第２層識別子は、上記第１のユーザ機器を識別するようアクセスネットワークに命令するために使用され、上記端末識別子情報は、セル無線ネットワーク一時的識別子、インターネットプロトコルアドレス、一時的識別コード、または国際移動体加入者識別情報を含み、
上記ネットワーク側デバイスは、上記第１の無線ベアラ識別子情報に基づいて上記データのデータタイプを判断し、上記端末識別子情報に基づいて、上記データの送信元の送信端が上記第１のユーザ機器であると判断する、
システム。
【手続補正３】
【補正対象書類名】図面
【補正対象項目名】図１１
【補正方法】変更
【補正の内容】
【図１１】
2019504567.tif 000017
【国際調査報告】
2019504567.tif 000018
2019504567.tif 000019
2019504567.tif 000020
2019504567.tif 000021